(57)【要約】【課題】参照測定リソース（ＲＭＲ）の指示を含み得るダウンリンク制御情報（ＤＣＩ）を受信することと、測定構成の指示を受信することと、フィードバックリソース構成の指示を受信することとを行うためのシステム、装置、および方法が開示される。【解決手段】ＲＭＲの指示と、測定構成の指示と、フィードバックリソース構成の指示とに基づく測定報告が、生成され得、ネットワークデバイスに送信され得る。【選択図】図６
2020202599.tif 000002
【特許請求の範囲】
【請求項１】
無線送受信ユニット（ＷＴＲＵ）であって、
リソース構成情報を受信し、前記リソース構成情報は、参照信号測定を実行するために前記ＷＴＲＵによって使用される同じ参照信号タイプの参照信号を示し、
第１の測定構成を受信し、前記第１の測定構成は、第１の測定が、前記リソース構成情報によって示される前記参照信号の第１のサブセットを使用して前記ＷＴＲＵによって実行されること、および前記第１の測定が、チャネル状態情報（ＣＳＩ）を決定するために使用されることを示し、
第２の測定構成を受信し、前記第２の測定構成は、第２の測定が、前記リソース構成情報によって示される前記参照信号の第２のサブセットを使用して前記ＷＴＲＵによって実行されること、および前記第２の測定が、参照信号受信電力（ＲＳＲＰ）を決定するために使用されることを示し、
前記第１の測定および前記第２の測定を実行し、
前記第１の測定に基づいて決定された前記ＣＳＩおよび前記第２の測定に基づいて決定された前記ＲＳＲＰをネットワークエンティティに報告する
ように構成されたプロセッサ
を備えたＷＴＲＵ。
【請求項２】
前記リソース構成情報によって示される前記参照信号は、非ゼロ電力参照信号である、請求項１のＷＴＲＵ。
【請求項３】
前記プロセッサは、第３の測定構成を受信するようにさらに構成され、前記第３の測定構成は、第３の測定が、前記リソース構成情報によって示される前記参照信号の第３のサブセットを使用して前記ＷＴＲＵによって実行されること、および前記第３の測定が、無線リンク障害を監視するために使用されることを示す、請求項１のＷＴＲＵ。
【請求項４】
前記第１の測定構成は、前記第１の測定が、チャネル品質指示、ランク指示またはプリコーダ行列指示の１つまたは複数を決定するために使用されることを示す、請求項１のＷＴＲＵ。
【請求項５】
前記プロセッサは、前記第１の測定に基づいて決定された前記ＣＳＩおよび前記第２の測定に基づいて決定された前記ＲＳＲＰをそれぞれ第１のフィードバック報告および第２のフィードバック報告において報告するように構成される、請求項１のＷＴＲＵ。
【請求項６】
前記プロセッサは、周期的な方法または非周期的な方法で前記第１のフィードバック報告または前記第２のフィードバック報告を前記ネットワークエンティティに送信するようにさらに構成される、請求項５のＷＴＲＵ。
【請求項７】
前記プロセッサは、前記リソース構成情報によって示される前記参照信号の１つまたは複数がアクティブ化されるか、または非アクティブ化されるかを決定し、および前記決定に基づいて前記第１の測定または前記第２の測定の少なくとも一つを実行するようにさらに構成される、請求項１のＷＴＲＵ。
【請求項８】
前記参照信号の１つまたは複数がアクティブ化されるか、または非アクティブ化されるかの決定は、ダウンリンク制御情報（ＤＣＩ）に基づく、請求項７のＷＴＲＵ。
【請求項９】
前記参照信号の１つまたは複数がアクティブ化されるか、または非アクティブ化されるかの決定は、媒体アクセス制御（ＭＡＣ）制御要素（ＣＥ）に基づく、請求項７のＷＴＲＵ。
【請求項１０】
無線送受信ユニット（ＷＴＲＵ）によって実施される方法であって、前記方法は、
リソース構成情報を受信することであって、前記リソース構成情報は、参照信号測定を実行するために前記ＷＴＲＵによって使用される同じ参照信号タイプの参照信号を示す、ことと、
第１の測定構成を受信することであって、前記第１の測定構成は、第１の測定が、前記リソース構成情報によって示される前記参照信号の第１のサブセットを使用して前記ＷＴＲＵによって実行されること、および前記第１の測定が、チャネル状態情報（ＣＳＩ）を決定するために使用されることを示す、ことと、
第２の測定構成を受信することであって、前記第２の測定構成は、第２の測定が、前記リソース構成情報によって示される前記参照信号の第２のサブセットを使用して前記ＷＴＲＵによって実行されること、および前記第２の測定が、参照信号受信電力（ＲＳＲＰ）を決定するために使用されることを示す、ことと、
前記第１の測定および前記第２の測定を実行することと、
前記第１の測定に基づいて決定された前記ＣＳＩおよび前記第２の測定に基づいて決定された前記ＲＳＲＰをネットワークエンティティに報告することと
を備える方法。
【請求項１１】
前記リソース構成情報によって示される前記参照信号は、非ゼロ電力参照信号である、請求項１０の方法。
【請求項１２】
第３の測定構成を受信することであって、前記第３の測定構成は、第３の測定が、前記リソース構成情報によって示される前記参照信号の第３のサブセットを使用して前記ＷＴＲＵによって実行されること、および前記第３の測定が、無線リンク障害を監視するために使用されることを示す、ことをさらに備える、請求項１０の方法。
【請求項１３】
前記第１の測定構成は、前記第１の測定が、チャネル品質指示、ランク指示またはプリコーダ行列指示の１つまたは複数を決定するために使用されることを示す、請求項１０の方法。
【請求項１４】
前記第１の測定に基づいて決定された前記ＣＳＩおよび前記第２の測定に基づいて決定された前記ＲＳＲＰは、それぞれ第１のフィードバック報告および第２のフィードバック報告において報告される、請求項１０の方法。
【請求項１５】
前記リソース構成情報によって示される前記参照信号の１つまたは複数がアクティブ化されるか、または非アクティブ化されるかを決定することと、前記決定に基づいて前記第１の測定または前記第２の測定の少なくとも一つを実行することとをさらに備える、請求項１０の方法。
【発明の詳細な説明】
【技術分野】
【０００１】
本発明は、無線通信に関する。
【背景技術】
【０００２】
関連出願の相互参照
本出願は、その各々が「Systems and Methods for Reference Signal Measurements in Wireless Systems」と題され、その各々の全体が参照により本明細書に組み込まれる、2016年3月30日に出願された米国特許仮出願第62/315,405号明細書、2016年5月11日に出願された米国特許仮出願第62/334,788号明細書、および2016年11月2日に出願された米国特許仮出願第62/416,397号明細書の優先権を主張する。
【０００３】
セル固有参照信号（ＣＲＳ）は、物理チャネルのコヒーレント復調を実施するためのチャネル推定のために、送信モード（ＴＭ）のためのチャネル状態情報（ＣＳＩ）を収集するために、並びに／またはセル選択およびハンドオーバ判定において使用され得る上位レイヤ測定のために、無線システムにおいて使用され得る。隣接送信／受信ポイント（ＴＲＰ）に対する不要な干渉を制限するために、および／またはＴＲＰにおける電力消費を低減するために、参照信号オーバーヘッドが低減されることが望まれることがある。
【発明の概要】
【０００４】
本発明の概要は、開示される例示的な、非限定的な概念の選択を、発明を実施するための形態において以下でさらに説明される簡略化された形式で紹介するために与えられる。本発明の概要は、請求される主題の主要な特徴および／または本質的特徴を識別することが意図されず、請求される主題の範囲を限定するために使用されることも意図されない。
【０００５】
参照測定リソース（ＲＭＲ）の指示を含み得るダウンリンク制御情報（ＤＣＩ）を受信することと、測定構成の指示を受信することと、フィードバックリソース構成の指示を受信することとを行うためのシステム、装置、および方法が開示される。ＲＭＲの指示、測定構成の指示、および／またはフィードバックリソース構成の指示に基づく測定報告が、生成され得、ネットワークデバイスに送信され得る。
【０００６】
測定構成またはフィードバックリソース構成のうちの少なくとも１つとのＲＭＲの関連付けの指示が受信され得る。ＤＣＩは、モビリティ関係測定、チャネル状態情報（ＣＳＩ）測定、復調プロセス、測位、無線リンク監視、またはセル収集のうちの１つまたは複数に関連付けられ得る情報を含み得る。ＤＣＩはまた、または代わりに、ＲＭＲのアクティブ化状態の変更の指示を含み得る。ＤＣＩはまた、または代わりに、送信をスケジュールするための情報を含み得る。
【０００７】
測定構成は、ＲＭＲインスタンスおよび／またはＲＭＲリソースの絞り込み選択に関連付けられ得る基準を含み得る。測定構成はまた、または代わりに、ＲＭＲプロセスおよび／またはＲＭＲインスタンスの指示を含み得る。測定構成はまた、または代わりに、測定タイプの指示および／または測定目的の指示を含み得る。測定構成はまた、または代わりに、トリガ基準の指示を含み得る。測定報告は、トリガ基準の指示に基づく決定に基づいて、またはそれに応答して、ネットワークデバイスに送信され得る。
【図面の簡単な説明】
【０００８】
添付図面を参照しながら様々な非限定的な例の以下の詳細な説明が行われる。説明の目的で、様々な非限定的な例の説明を支援するために図面が与えられる。企図される主題は、説明または図示される特定の要素および／または手段に限定されない。そうではなく特定の表記なしに、本明細書で説明される主題は、必要および／または本質的として企図されない。説明される例は、全体的にまたは部分的に、任意の組合せで採用され得る。
【図１Ａ】１つまたは複数の開示される例が実装され得る例示的な通信システムのシステム図である。
【図１Ｂ】図１Ａに示されている例示的な通信システム内で使用され得る例示的な無線送受信ユニット（ＷＴＲＵ）のシステム図である。
【図１Ｃ】図１Ａに示されている例示的な通信システム内で使用され得る例示的な無線アクセスネットワークおよび例示的なコアネットワークのシステム図である。
【図１Ｄ】図１Ａに示されている例示的な通信システム内で使用され得る別の例示的な無線アクセスネットワークおよび別の例示的なコアネットワークのシステム図である。
【図１Ｅ】図１Ａに示されている例示的な通信システム内で使用され得る別の例示的な無線アクセスネットワークおよび別の例示的なコアネットワークのシステム図である。
【図２】例示的なチャネル帯域幅を示すグラフである。
【図３】例示的なスペクトル割振りを示すグラフである。
【図４】例示的なフレーム構造の図である。
【図５】別の例示的なフレーム構造の図である。
【図６】例示的なＤＣＩ構成およびアクティブ化／非アクティブ化プロセスの図である。
【図７】例示的なＤＣＩ構成およびリソース要求プロセスの図である。
【発明を実施するための形態】
【０００９】
様々な図を参照しながら、非限定的な例の詳細な説明がなされる。この説明は考えられる例の詳細な例を与えるが、詳細は例示的なことが意図され、適用例の範囲を決して限定しないことに留意されたい。さらなる修飾または特徴づけなしに、本明細書で使用される冠詞「ａ」または「ａｎ」は、例えば、「１つまたは複数」または「少なくとも１つ」を意味すると理解され得る。また、本明細書で使用される「ユーザ機器」（ＵＥ）という句は、「無線送受信ユニット」（ＷＴＲＵ）をも指すものと理解され得る。
【００１０】
図１Ａは、１つまたは複数の開示される例が実装され得る例示的な通信システム１００の図である。通信システム１００は、複数の無線ユーザに、音声、データ、ビデオ、メッセージング、ブロードキャストなど、コンテンツを与え得る多元接続システムであり得る。通信システム１００は、複数の無線ユーザが、限定はしないが、無線帯域幅を含む、システムリソースの共有を通してそのようなコンテンツにアクセスすることを可能にし得る。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）など、１つまたは複数のチャネルアクセス方法を採用し得る。
【００１１】
図１Ａに示されているように、通信システム１００は、（本明細書では、概してまたはまとめてＷＴＲＵ１０２と呼ばれることがある）無線送受信ユニット（ＷＴＲＵ）１０２ａ、１０２ｂ、１０２ｃ、および／もしくは１０２ｄ、無線アクセスネットワーク（ＲＡＮ）１０３／１０４／１０５、コアネットワーク１０６／１０７／１０９、公衆交換電話網（ＰＳＴＮ）１０８、インターネット１１０、並びに／または他のネットワーク１１２を含み得るが、開示される例は、任意の数のＷＴＲＵ、基地局、ネットワーク、および／またはネットワーク要素を企図する。ＷＴＲＵ１０２ａ、１０２ｂ、１０２ｃ、１０２ｄの各々は、無線環境において動作および／または通信するように構成された任意のタイプのデバイスであり得る。例えば、ＷＴＲＵ１０２ａ、１０２ｂ、１０２ｃ、１０２ｄの各々は、無線信号を送信および／または受信するように構成され得、ユーザ機器（ＵＥ）、移動局、固定加入者ユニット、モバイル加入者ユニット、ページャ、セルラー電話、携帯情報端末（ＰＤＡ）、スマートフォン、ラップトップ、ネットブック、パーソナルコンピュータ、無線センサー、コンシューマーエレクトロニクスなど、またはそれらの任意の組合せのいずれかであり得る。
【００１２】
通信システム１００はまた、基地局１１４ａと基地局１１４ｂとを含み得る。基地局１１４ａおよび１１４ｂの各々は、コアネットワーク１０６／１０７／１０９、インターネット１１０、および／または他のネットワーク１１２など、１つまたは複数の通信ネットワークへのアクセスを容易にするために、ＷＴＲＵ１０２ａ、１０２ｂ、１０２ｃ、および１０２ｄのうちの少なくとも１つと無線でインターフェースするように構成された任意のタイプのデバイスであり得る。例えば、基地局１１４ａおよび１１４ｂの各々は、基地トランシーバ局（ＢＴＳ）、ノードＢ、ｅノードＢ、ホームノードＢ、ホームｅノードＢ、サイトコントローラ、アクセスポイント（ＡＰ）、無線ルータなど、またはそれらの任意の組合せであり得る。基地局１１４ａおよび１１４ｂは各々単一の要素として示されているが、基地局１１４ａおよび１１４ｂの各々は、任意の数の相互接続された基地局および／またはネットワーク要素を含み得ることが企図される。
【００１３】
基地局１１４ａはまた、基地局コントローラ（ＢＳＣ）、無線ネットワークコントローラ（ＲＮＣ）、リレーノードなど、任意の数の他の基地局および／またはネットワーク要素（図示せず）を含み得る、ＲＡＮ１０３／１０４／１０５の一部であり得る。基地局１１４ａおよび／または基地局１１４ｂは、セルと呼ばれることがある、地理的領域内で無線信号を送信および／または受信するように構成され得る。セルはセルセクタに分割され得る。例えば、基地局１１４ａに関連付けられたセルは、３つのセルセクタに分割され得る。例では、基地局１１４ａは、例えば、３つのトランシーバを含み、基地局１１４ａに関連付けられたセルの各セクタについて１つのトランシーバを含み得る。別の例では、基地局１１４ａは、多入力多出力（ＭＩＭＯ）技術を採用し得、基地局１１４ａに関連付けられたセルの各セクタについて複数のトランシーバを利用し得る。
【００１４】
基地局１１４ａおよび１１４ｂは、各々、任意の好適な無線通信リンク（例えば、無線周波数（ＲＦ）、マイクロ波、赤外線（ＩＲ）、紫外線（ＵＶ）、可視光など）であり得る、エアインターフェース１１５／１１６／１１７を介してＷＴＲＵ１０２ａ、１０２ｂ、１０２ｃ、および１０２ｄのうちの１つまたは複数と通信し得る。エアインターフェース１１５／１１６／１１７は、任意の好適な無線アクセス技術（ＲＡＴ）を使用して確立され得る。
【００１５】
通信システム１００は、多元接続システムであり得、ＣＤＭＡ、ＴＤＭＡ、ＦＤＭＡ、ＯＦＤＭＡ、ＳＣ−ＦＤＭＡなど、１つまたは複数のチャネルアクセス方式を採用し得る。例えば、ＲＡＮ１０３／１０４／１０５における基地局１１４ａ並びにＷＴＲＵ１０２ａ、１０２ｂ、および１０２ｃの各々は、広帯域ＣＤＭＡ（ＷＣＤＭＡ（登録商標））を使用してエアインターフェース１１５／１１６／１１７を確立し得る、ユニバーサルモバイルテレコミュニケーションズシステム（ＵＭＴＳ）地上波無線アクセス（ＵＴＲＡ）などの無線技術を実装し得る。ＷＣＤＭＡは、高速パケットアクセス（ＨＳＰＡ）および／または発展型ＨＳＰＡ（ＨＳＰＡ＋）など、通信プロトコルの使用を含み得る。ＨＳＰＡは、高速ダウンリンクパケットアクセス（ＨＳＤＰＡ）および／または高速アップリンクパケットアクセス（ＨＳＵＰＡ）を含み得る。
【００１６】
別の例では、基地局１１４ａ並びにＷＴＲＵ１０２ａ、１０２ｂ、および１０２ｃは、ロングタームエボリューション（ＬＴＥ）および／またはＬＴＥ−アドバンスト（ＬＴＥ−Ａ）を使用してエアインターフェース１１５／１１６／１１７を確立し得る、発展型ＵＭＴＳ地上波無線アクセス（Ｅ−ＵＴＲＡ）などの無線技術を実装し得る。
【００１７】
他の例では、基地局１１４ａ並びにＷＴＲＵ１０２ａ、１０２ｂ、および１０２ｃは、ＩＥＥＥ８０２．１６（すなわち、ＷｉＭＡＸ（Worldwide Interoperability for Microwave Access））、ＣＤＭＡ２０００、ＣＤＭＡ２０００  ＩＸ、ＣＤＭＡ２０００  ＥＶ−ＤＯ、暫定規格２０００（ＩＳ−２０００）、暫定規格９５（ＩＳ−９５）、暫定規格８５６（ＩＳ−８５６）、モバイル通信用グローバルシステム（ＧＳＭ（登録商標））、ＧＳＭ進化型高速データレート（ＥＤＧＥ）、ＧＳＭエッジ（ＧＥＲＡＮ）など、無線技術を実装し得る。
【００１８】
図１Ａ中の基地局１１４ｂは、例えば、無線ルータ、ホームノードＢ、ホームｅノードＢ、またはアクセスポイントであり得、事業所、自宅、車両、キャンパスなど、局所エリア中の無線接続性を容易にするために任意の好適なＲＡＴを利用し得る。例では、基地局１１４ｂ並びにＷＴＲＵ１０２ｃおよび１０２ｄは、無線ローカルエリアネットワーク（ＷＬＡＮ）を確立するためにＩＥＥＥ８０２．１１などの無線技術を実装し得る。別の例では、基地局１１４ｂ並びにＷＴＲＵ１０２ｃおよび１０２ｄは、無線パーソナルエリアネットワーク（ＷＰＡＮ）を確立するためにＩＥＥＥ８０２．１５などの無線技術を実装し得る。また別の例では、基地局１１４ｂ並びにＷＴＲＵ１０２ｃおよび１０２ｄは、ピコセルまたはフェムトセルを確立するためにセルラーベースＲＡＴ（例えば、ＷＣＤＭＡ、ＣＤＭＡ２０００、ＧＳＭ、ＬＴＥ、ＬＴＥ−Ａなど）を利用し得る。図１Ａに示されているように、基地局１１４ｂは、インターネット１１０への直接接続を有し得る。基地局１１４ｂは、コアネットワーク１０６／１０７／１０９を介してインターネット１１０にアクセスすることを必要とされないことがある。
【００１９】
ＲＡＮ１０３／１０４／１０５は、コアネットワーク１０６／１０７／１０９と通信していることがある。コアネットワーク１０６／１０７／１０９は、ＷＴＲＵ１０２ａ、１０２ｂ、１０２ｃ、および１０２ｄのうちの１つまたは複数に、音声、データ、アプリケーション、および／またはＶｏＩＰ（Voice over Internet Protocol）サービスを与えるように構成された任意のタイプのネットワークであり得る。例えば、コアネットワーク１０６／１０７／１０９は、呼制御、課金サービス、モバイル位置情報サービス、プリペイド発呼、インターネット接続性、ビデオ配信などを与え得、および／または、ユーザ認証など、高レベルセキュリティ機能を実施し得る。ＲＡＮ１０３／１０４／１０５および／またはコアネットワーク１０６／１０７／１０９は、ＲＡＮ１０３／１０４／１０５と同じＲＡＴおよび／または異なるＲＡＴを採用し得る、他のＲＡＮと直接的および／または間接的に通信していることがある。例えば、Ｅ−ＵＴＲＡ無線技術を利用していることがある、ＲＡＮ１０３／１０４／１０５に接続されることに加えて、コアネットワーク１０６／１０７／１０９は、ＧＳＭ無線技術を採用する別のＲＡＮとも通信していることがある。
【００２０】
コアネットワーク１０６／１０７／１０９はまた、ＰＳＴＮ１０８、インターネット１１０、および／または他のネットワーク１１２にアクセスするために使用され得るＷＴＲＵ１０２ａ、１０２ｂ、１０２ｃ、および１０２ｄのうちの１つまたは複数のためのゲートウェイとして働き得る。ＰＳＴＮ１０８は、簡易電話サービス（ＰＯＴＳ）を与え得る回線交換電話ネットワークを含み得る。インターネット１１０は、ＴＣＰ／ＩＰインターネットプロトコルスイートにおけるＴＣＰ、ＵＤＰ、および／またはＩＰなど、共通通信プロトコルを使用する、相互接続されたコンピュータネットワークおよびデバイスのグローバルシステムを含み得る。他のネットワーク１１２は、他のサービスプロバイダによって所有され、および／または動作させられる有線および／または無線通信ネットワークを含み得る。例えば、他のネットワーク１１２は、１つまたは複数のＲＡＮに接続されたコアネットワークを含み得、それらの各々は、ＲＡＮ１０３／１０４／１０５と同じＲＡＴおよび／または異なるＲＡＴを採用し得る。
【００２１】
通信システム１００におけるＷＴＲＵ１０２ａ、１０２ｂ、１０２ｃ、および１０２ｄの一部または全部は、マルチモード能力を含み得、例えば、ＷＴＲＵ１０２ａ、１０２ｂ、１０２ｃ、および１０２ｄの各々は、異なる無線リンクを介して異なる無線ネットワークと通信するための複数のトランシーバを含み得る。例えば、図１Ａに示されているＷＴＲＵ１０２ｃは、セルラーベース無線技術を採用し得る、基地局１１４ａと通信し、ＩＥＥＥ８０２無線技術を採用し得る、基地局１１４ｂと通信するように構成され得る。
【００２２】
図１Ｂは、ＷＴＲＵ１０２ａ、１０２ｂ、１０２ｃ、および１０２ｄのいずれかなどのＷＴＲＵを表し得る、例示的なＷＴＲＵ１０２のシステム図である。図１Ｂに示されているように、ＷＴＲＵ１０２は、プロセッサ１１８、トランシーバ１２０、送受信要素１２２、スピーカー／マイクロフォン１２４、キーパッド１２６、ディスプレイ／タッチパッド１２８、非リムーバブルメモリ１３０、リムーバブルメモリ１３２、電源１３４、ＧＰＳチップセット１３６、および他の周辺機器１３８のいずれかを含み得る。ＷＴＲＵ１０２は、開示される例に一致したままでありながら、上記の要素の任意のサブコンビネーションを含み得る。基地局１１４ａおよび１１４ｂの各々、並びに／または、限定はしないが、基地トランシーバ局（ＢＴＳ）、ノードＢ、サイトコントローラ、アクセスポイント（ＡＰ）、ホームノードＢ、発展型ホームノードＢ（ｅノードＢ）、ホーム発展型ノードＢ（ＨｅＮＢ）、ホーム発展型ノードＢゲートウェイ、およびプロキシノードなど、基地局１１４ａおよび１１４ｂが表し得るノードのいずれも、特に、図１Ｂに示され、本明細書で説明される要素のいずれかまたは全てを含み得ることが企図される。
【００２３】
プロセッサ１１８は、汎用プロセッサ、専用プロセッサ、従来のプロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、１つまたは複数のＡＳＩＣ、１つまたは複数のＦＰＧＡ回路、他のタイプの集積回路（ＩＣ）、状態機械など、またはそれらの任意の組合せであり得る。プロセッサ１１８は、信号符号化、データ処理、電力制御、入出力処理、および／または、ＷＴＲＵ１０２が無線環境において動作することを可能にする任意の他の機能性を実施し得る。プロセッサ１１８は、トランシーバ１２０に結合され得、これは、送受信要素１２２に結合され得る。図１Ｂはプロセッサ１１８およびトランシーバ１２０を別個の構成要素として示すが、プロセッサ１１８およびトランシーバ１２０は、電子パッケージまたはチップ中に互いに組み込まれ得ることが企図される。
【００２４】
送受信要素１２２は、エアインターフェース１１５／１１６／１１７を介して基地局（例えば、基地局１１４ａ）に信号を送信するかまたはそれから信号を受信するように構成され得る。例えば、例では、送受信要素１２２は、ＲＦ信号を送信および／または受信するように構成されたアンテナであり得る。別の例では、送受信要素１２２は、例えば、ＩＲ、ＵＶ、または可視光信号を送信および／または受信するように構成されたエミッタ／検出器であり得る。別の例では、送受信要素１２２は、ＲＦ信号と光信号の両方を送信および／または受信するように構成され得る。送受信要素１２２は、無線信号の任意の組合せを送信および／または受信するように構成され得る。
【００２５】
図１Ｂに示されている送受信要素１２２は単一の要素であり得るが、ＷＴＲＵ１０２は、任意の数の送受信要素１２２を含み得る。ＷＴＲＵ１０２はＭＩＭＯ技術を採用し得る。例では、ＷＴＲＵ１０２は、エアインターフェース１１５／１１６／１１７を介して無線信号を送信および／または受信するための２つまたはそれ以上の送受信要素１２２（例えば、複数のアンテナ）を含み得る。
【００２６】
トランシーバ１２０は、送受信要素１２２によって送信され得る信号を変調し、および／または送受信要素１２２によって受信され得る信号を復調するように構成され得る。ＷＴＲＵ１０２はマルチモード能力を有し得る。トランシーバ１２０は、ＷＴＲＵ１０２が、例えば、ＵＴＲＡおよび／またはＩＥＥＥ８０２．１１など、複数のＲＡＴを介して通信することを可能にし得る複数のトランシーバを含み得る。
【００２７】
ＷＴＲＵ１０２のプロセッサ１１８は、スピーカー／マイクロフォン１２４、キーパッド１２６、および／もしくは（例えば、液晶ディスプレイ（ＬＣＤ）ディスプレイユニットまたは有機発光ダイオード（ＯＬＥＤ）ディスプレイユニットであり得る）ディスプレイ／タッチパッド１２８に結合され得、並びに／またはそれらからユーザ入力データを受信し得る。プロセッサ１１８はまた、スピーカー／マイクロフォン１２４、キーパッド１２６、および／またはディスプレイ／タッチパッド１２８にユーザデータを出力し得る。プロセッサ１１８は、非リムーバブルメモリ１３０および／もしくはリムーバブルメモリ１３２など、任意のタイプの好適なメモリからの情報にアクセスし得、並びに／またはそれにデータを記憶し得る。非リムーバブルメモリ１３０は、ＲＡＭ、ＲＯＭ、ハードディスク、および／または他のタイプのメモリ記憶デバイスを含み得る。リムーバブルメモリ１３２は、加入者識別モジュール（ＳＩＭ）カード、メモリスティック、セキュアデジタル（ＳＤ）メモリカードなど、またはそれらの任意の組合せを含み得る。プロセッサ１１８は、サーバに位置するメモリまたはホームコンピュータに位置するメモリなど、ＷＴＲＵ１０２に物理的に位置しないメモリからの情報にアクセスし得、および／またはそれにデータを記憶し得る。
【００２８】
プロセッサ１１８は、電源１３４から電力を受信し得、ＷＴＲＵ１０２の他の構成要素に電力を供給および／または制御するように構成され得る。電源１３４は、ＷＴＲＵ１０２に電力供給するための任意の好適なデバイスであり得る。例えば、電源１３４は、１つまたは複数の乾電池（例えば、ニッケルカドミウム（ＮｉＣｄ）、ニッケル亜鉛（ＮｉＺｎ）、ニッケル金属水素化物（ＮｉＭＨ）、リチウムイオン（Ｌｉイオン）など）、太陽電池、燃料電池など、またはそれらの任意の組合せを含み得る。
【００２９】
プロセッサ１１８はまた、ＷＴＲＵ１０２の現在位置に関するロケーション情報（例えば、経度および緯度）を与えるように構成され得る、ＧＰＳチップセット１３６に結合され得る。ＧＰＳチップセット１３６によって与えられるロケーション情報に加えて、またはそれの代わりに、ＷＴＲＵ１０２は、基地局（例えば、基地局１１４ａ、１１４ｂ）からエアインターフェース１１５／１１６／１１７を介してロケーション情報を受信し、および／または２つまたはそれ以上の近くの基地局から受信される信号のタイミングに基づいてそれのロケーションを決定し得る。ＷＴＲＵ１０２は、開示される例に一致したままでありながら、任意の好適なロケーション決定方法によってロケーション情報を収集し得ることが諒解されよう。
【００３０】
プロセッサ１１８は、追加の特徴、機能性および／または接続性（有線および／または無線）を与え得る１つまたは複数のソフトウェアおよび／またはハードウェアモジュールを含み得る、周辺機器１３８にさらに結合され得る。例えば、周辺機器１３８は、加速度計、電子コンパス、衛星トランシーバ、（写真および／またはビデオをキャプチャすることが可能な）デジタルカメラ、ＵＳＢポート、振動デバイス、テレビジョントランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなど、またはそれらの任意の組合せを含み得る。
【００３１】
図１Ｃは、例による、ＲＡＮ１０３およびコアネットワーク１０６のシステム図である。ＲＡＮ１０３は、エアインターフェース１１５を介してＷＴＲＵ１０２ａ、１０２ｂ、および／または１０２ｃと通信するためにＵＴＲＡ無線技術を採用し得る。ＲＡＮ１０３はまた、コアネットワーク１０６と通信していることがある。ＲＡＮ１０３は、ノードＢ１４０ａ、１４０ｂ、および／または１４０ｃを含み得、それらの各々は、エアインターフェース１１５を介してＷＴＲＵ１０２ａ、１０２ｂ、および／または１０２ｃと通信するための１つまたは複数のトランシーバを含み得る。ノードＢ１４０ａ、１４０ｂ、および１４０ｃは、各々、ＲＡＮ１０３内のセルに関連付けられ得る。ＲＡＮ１０３は、ＲＮＣ１４２ａおよび１４２ｂの一方もしくは両方、並びに／または任意の他のＲＮＣを含み得る。ＲＡＮ１０３は、企図された例に一致したままでありながら、任意の数のノードＢおよびＲＮＣを含み得る。
【００３２】
ノードＢ１４０ａおよび１４０ｂは、ＲＮＣ１４２ａと通信していることがある。ノードＢ１４０ｃは、ＲＮＣ１４２ｂと通信していることがある。ノードＢ１４０ａおよび１４０ｂは、Ｉｕｂインターフェースを介してＲＮＣ１４２ａと通信し得る。ノードＢ１４０ｃは、Ｉｕｂインターフェースを介してＲＮＣ１４２ｂと通信し得る。ＲＮＣ１４２ａとＲＮＣ１４２ｂとは、Ｉｕｒインターフェースを介して互いに通信していることがある。ＲＮＣ１４２ａおよび１４２ｂの各々は、ＲＮＣが接続されたそれぞれのノードＢ１４０ａ、１４０ｂ、および１４０ｃを制御するように構成され得る。ＲＮＣ１４２ａおよび１４２ｂの各々はまた、または代わりに、外部ループ電力制御、負荷制御、承認制御、パケットスケジューリング、ハンドオーバ制御、マクロダイバーシティ、セキュリティ機能、データ暗号化など、またはそれらの任意の組合せなど、他の機能性を行い、および／またはサポートするように構成され得る。
【００３３】
図１Ｃのコアネットワーク１０６は、メディアゲートウェイ（ＭＧＷ）１４４、モバイルスイッチングセンター（ＭＳＣ）１４６、サービングＧＰＲＳサポートノード（ＳＧＳＮ）１４８、および／またはゲートウェイＧＰＲＳサポートノード（ＧＧＳＮ）１５０を含み得る。上記の要素の各々はコアネットワーク１０６の一部として示されているが、これらの要素のうちのいずれか１つまたは複数は、コアネットワーク１０６の事業者以外のエンティティによって所有され、および／または動作させられ得る。
【００３４】
ＲＡＮ１０３中のＲＮＣ１４２ａは、ＩｕＣＳインターフェースを介してコアネットワーク１０６中のＭＳＣ１４６に接続され得る。ＭＳＣ１４６はＭＧＷ１４４に接続され得る。ＭＳＣ１４６およびＭＧＷ１４４は、ＷＴＲＵ１０２ａ、１０２ｂ、および／または１０２ｃと旧来の固定電話回線通信デバイスとの間の通信を容易にするために、ＷＴＲＵ１０２ａ、１０２ｂ、および／または１０２ｃに、ＰＳＴＮ１０８など、回線交換ネットワークへのアクセスを与え得る。
【００３５】
ＲＡＮ１０３中のＲＮＣ１４２ａは、ＩｕＰＳインターフェースを介してコアネットワーク１０６中のＳＧＳＮ１４８に接続され得る。ＳＧＳＮ１４８はＧＧＳＮ１５０に接続され得る。ＳＧＳＮ１４８および／またはＧＧＳＮ１５０は、ＷＴＲＵ１０２ａ、１０２ｂ、および／または１０２ｃとＩＰ対応デバイスとの間の通信を容易にするために、ＷＴＲＵ１０２ａ、１０２ｂ、および／または１０２ｃに、インターネット１１０など、パケット交換ネットワークへのアクセスを与え得る。
【００３６】
上述のように、コアネットワーク１０６はまた、他のサービスプロバイダによって所有され、および／または動作させられ得る他の有線および／または無線ネットワークを含み得る他のネットワーク１１２に接続され得る。
【００３７】
図１Ｄは、例による、ＲＡＮ１０４およびコアネットワーク１０７のシステム図である。ＲＡＮ１０４は、エアインターフェース１１６を介してＷＴＲＵ１０２ａ、１０２ｂ、および／または１０２ｃと通信するために、Ｅ−ＵＴＲＡ無線技術を採用し得る。ＲＡＮ１０４はまた、または代わりに、コアネットワーク１０７と通信していることがある。
【００３８】
ＲＡＮ１０４は、ｅノードＢ１６０ａ、１６０ｂ、および／または１６０ｃを含み得るが、ＲＡＮ１０４は、開示される例に一致したままでありながら、任意の数のｅノードＢを含み得ることが企図される。ｅノードＢ１６０ａ、１６０ｂ、および１６０ｃは、各々、エアインターフェース１１６を介してＷＴＲＵ１０２ａ、１０２ｂ、および／または１０２ｃと通信するための１つまたは複数のトランシーバを含み得る。例では、ｅノードＢ１６０ａ、１６０ｂ、および１６０ｃのうちの１つまたは複数は、ＭＩＭＯ技術を実装し得る。ｅノードＢ１６０ａは、例えば、ＷＴＲＵ１０２ａに無線信号を送信するために、および／またはそれから無線信号を受信するために、複数のアンテナを使用し得る。
【００３９】
ｅノードＢ１６０ａ、１６０ｂ、および１６０ｃの各々は、セルに関連付けられ得、並びに／または、無線リソース管理判定、ハンドオーバ判定、アップリンクおよび／もしくはダウンリンク中のユーザのスケジューリングなど、またはそれらの任意の組合せを扱うように構成され得る。ｅノードＢ１６０ａ、１６０ｂ、および／または１６０ｃは、各々、Ｘ２インターフェースを介して互いに通信し得る。
【００４０】
図１Ｄのコアネットワーク１０７は、モビリティ管理ゲートウェイ（ＭＭＥ）１６２、サービングゲートウェイ１６４、および／またはパケットデータネットワーク（ＰＤＮ）ゲートウェイ１６６を含み得る。これらの要素の各々はコアネットワーク１０７の一部であり得るが、これらの要素のうちのいずれか１つまたは複数は、コアネットワーク事業者以外のエンティティによって所有され、および／または動作させられ得ることが企図される。
【００４１】
ＭＭＥ１６２は、Ｓ１インターフェースを介してＲＡＮ１０４中のｅノードＢ１６０ａ、１６０ｂ、および１６０ｃのうちの１つまたは複数に接続され得、並びに／または制御ノードとして働き得る。例えば、ＭＭＥ１６２は、ＷＴＲＵ１０２ａ、１０２ｂ、および１０２ｃのうちの１つまたは複数のユーザを認証すること、ベアラアクティブ化／非アクティブ化、ＷＴＲＵ１０２ａ、１０２ｂ、および／もしくは１０２ｃの初期アタッチ中にサービングゲートウェイを選択することなど、またはそれらの任意の組合せを担当し得る。ＭＭＥ１６２は、ＧＳＭまたはＷＣＤＭＡなど、他の無線技術を採用し得る、ＲＡＮ１０４と他のＲＡＮとの間で切り替えるための制御プレーン機能を与え得る。
【００４２】
サービングゲートウェイ１６４は、Ｓ１インターフェースを介してＲＡＮ１０４中のｅノードＢ１６０ａ、１６０ｂ、および１６０ｃのうちの１つまたは複数に接続され得る。サービングゲートウェイ１６４は、ＷＴＲＵ１０２ａ、１０２ｂ、および／もしくは１０２ｃに、並びに／またはそれからユーザデータパケットをルーティングおよび／または転送し得る。サービングゲートウェイ１６４はまた、または代わりに、ｅノードＢ間ハンドオーバ中にユーザプレーンをアンカリングすること、ダウンリンクデータがＷＴＲＵ１０２ａ、１０２ｂ、および／もしくは１０２ｃのために利用可能であるときにページングをトリガすること、ＷＴＲＵ１０２ａ、１０２ｂ、および／もしくは１０２ｃのコンテキストを管理並びに／または記憶することなど、またはそれらの任意の組合せなど、他の機能を実施し得る。
【００４３】
サービングゲートウェイ１６４は、ＷＴＲＵ１０２ａ、１０２ｂ、および／または１０２ｃとＩＰ対応デバイスとの間の通信を容易にするために、ＷＴＲＵ１０２ａ、１０２ｂ、および／または１０２ｃに、インターネット１１０など、パケット交換ネットワークへのアクセスを与え得る、ＰＤＮゲートウェイ１６６に接続され得る。
【００４４】
コアネットワーク１０７は、他のネットワークとの通信を容易にし得る。例えば、コアネットワーク１０７は、ＷＴＲＵ１０２ａ、１０２ｂ、および／または１０２ｃと旧来の固定電話回線通信デバイスとの間の通信を容易にするために、ＷＴＲＵ１０２ａ、１０２ｂ、および／または１０２ｃに、ＰＳＴＮ１０８など、回線交換ネットワークへのアクセスを与え得る。コアネットワーク１０７は、コアネットワーク１０７とＰＳＴＮ１０８との間のインターフェースとして働き得るＩＰゲートウェイ（例えば、ＩＰマルチメディアサブシステム（ＩＭＳ）サーバ）を含み得、および／またはそれと通信し得る。コアネットワーク１０７は、ＷＴＲＵ１０２ａ、１０２ｂ、および／または１０２ｃに、他のサービスプロバイダによって所有され、および／または動作させられ得る他の有線および／または無線ネットワークを含み得る、他のネットワーク１１２へのアクセスを与え得る。
【００４５】
図１Ｅは、例による、ＲＡＮ１０５およびコアネットワーク１０９のシステム図である。ＲＡＮ１０５は、エアインターフェース１１７を介してＷＴＲＵ１０２ａ、１０２ｂ、および１０２ｃのうちの１つまたは複数と通信するために、ＩＥＥＥ８０２．１６無線技術を採用し得る、アクセスサービスネットワーク（ＡＳＮ）であり得る。ＷＴＲＵ１０２ａ、１０２ｂ、および１０２ｃ、ＲＡＮ１０５、並びにコアネットワーク１０９の異なる機能エンティティ間の通信リンクが、参照点として定義され得る。
【００４６】
ＲＡＮ１０５は、基地局１８０ａ、１８０ｂ、および／もしくは１８０ｃ、並びに／またはＡＳＮゲートウェイ１８２を含み得るが、ＲＡＮ１０５は、開示される例に一致したままでありながら、任意の数の基地局および／またはＡＳＮゲートウェイを含み得ることが企図される。基地局１８０ａ、１８０ｂ、および１８０ｃは、各々、ＲＡＮ１０５中のセルに関連付けられ得、並びに／または、各々、エアインターフェース１１７を介してＷＴＲＵ１０２ａ、１０２ｂ、および／もしくは１０２ｃと通信するための１つまたは複数のトランシーバを含み得る。例では、基地局１８０ａ、１８０ｂ、および／または１８０ｃは、ＭＩＭＯ技術を実装し得る。基地局１８０ａは、例えば、ＷＴＲＵ１０２ａに無線信号を送信するために、および／またはそれから無線信号を受信するために、複数のアンテナを使用し得る。基地局１８０ａ、１８０ｂ、および／または１８０ｃはまた、ハンドオフトリガリング、トンネル確立、無線リソース管理、トラフィック分類、サービス品質（ＱｏＳ）ポリシー実施など、またはそれらの任意の組合せなど、モビリティ管理機能を与え得る。ＡＳＮゲートウェイ１８２は、トラフィックアグリゲーションポイントとして働き得、および／または、ページング、加入者プロファイルのキャッシング、コアネットワーク１０９へのルーティングなど、またはそれらの任意の組合せを担当し得る。
【００４７】
ＷＴＲＵ１０２ａ、１０２ｂ、および／または１０２ｃとＲＡＮ１０５との間のエアインターフェース１１７は、ＩＥＥＥ８０２．１６仕様を実装し得るＲ１参照点として定義され得る。ＷＴＲＵ１０２ａ、１０２ｂ、および／または１０２ｃの１つまたは複数は、コアネットワーク１０９との論理インターフェースを確立し得る。ＷＴＲＵ１０２ａ、１０２ｂ、および／または１０２ｃとコアネットワーク１０９との間の論理インターフェースは、認証、許可、ＩＰホスト構成管理、および／もしくはモビリティ管理、またはそれらの任意の組合せのために使用され得る、Ｒ２参照点（図示せず）として定義され得る。
【００４８】
基地局１８０ａ、１８０ｂ、および１８０ｃのいずれか間の通信リンクが、基地局間のＷＴＲＵハンドオーバおよび／またはデータの転送を容易にするためのプロトコルを含み得るＲ８参照点として定義され得る。基地局１８０ａ、１８０ｂ、および／または１８０ｃとＡＳＮゲートウェイ１８２との間の通信リンクが、Ｒ６参照点として定義され得る。Ｒ６参照点は、ＷＴＲＵ１０２ａ、１０２ｂ、および１０２ｃのうちの１つまたは複数に関連付けられたモビリティイベントに基づくモビリティ管理を容易にするためのプロトコルを含み得る。
【００４９】
ＲＡＮ１０５はコアネットワーク１０９に接続され得る。ＲＡＮ１０５とコアネットワーク１０９との間の通信リンクが、例えば、データ転送および／またはモビリティ管理能力を容易にするための、１つまたは複数のプロトコルを含み得るＲ３参照点として定義され得る。コアネットワーク１０９は、モバイルＩＰホームエージェント（ＭＩＰ−ＨＡ）１８４、認証、許可、アカウンティング（ＡＡＡ）サーバ１８６、およびゲートウェイ１８８のうちの１つまたは複数を含み得る。そのような要素の各々は図１Ｅ中でコアネットワーク１０９の一部として示されているが、これらの要素のうちのいずれか１つまたは複数は、コアネットワーク事業者以外のエンティティによって所有され、および／または動作させられ得ることが企図される。
【００５０】
ＭＩＰ−ＨＡ１８４は、ＩＰアドレス管理を担当し得、ＷＴＲＵ１０２ａ、１０２ｂ、および／または１０２ｃが、異なるＡＳＮおよび／または異なるコアネットワーク間でローミングすることを可能にし得る。ＭＩＰ−ＨＡ１８４は、ＷＴＲＵ１０２ａ、１０２ｂ、および／または１０２ｃとＩＰ対応デバイスとの間の通信を容易にするために、ＷＴＲＵ１０２ａ、１０２ｂ、および／または１０２ｃに、インターネット１１０など、パケット交換ネットワークへのアクセスを与え得る。ＡＡＡサーバ１８６は、ユーザ認証および／またはユーザサービスをサポートすることを担当し得る。ゲートウェイ１８８は、他のネットワークと相互作用することを容易にし得る。例えば、ゲートウェイ１８８は、ＷＴＲＵ１０２ａ、１０２ｂ、および／または１０２ｃと旧来の固定電話回線通信デバイスとの間の通信を容易にするために、ＷＴＲＵ１０２ａ、１０２ｂ、および／または１０２ｃに、ＰＳＴＮ１０８など、回線交換ネットワークへのアクセスを与え得る。ゲートウェイ１８８は、ＷＴＲＵ１０２ａ、１０２ｂ、および／または１０２ｃに、他のサービスプロバイダによって所有され、および／または動作させられ得る他の有線および／または無線ネットワークを含み得る、他のネットワーク１１２へのアクセスを与え得る。
【００５１】
ＲＡＮ１０５は他のＡＳＮに接続され得、および／または、コアネットワーク１０９は他のコアネットワークに接続され得ることが企図される。ＲＡＮ１０５と１つまたは複数の他のＡＳＮとの間の通信リンクが、ＲＡＮ１０５とそのような他のＡＳＮとの間のＷＴＲＵ１０２ａ、１０２ｂ、および／または１０２ｃのモビリティを協調させるためのプロトコルを含み得るＲ４参照点として定義され得る。コアネットワーク１０９と１つまたは複数の他のコアネットワークとの間の通信リンクが、１つまたは複数のホームコアネットワークと１つまたは複数の訪問先コアネットワークとの間の相互作用を容易にするためのプロトコルを含み得る、Ｒ５参照点として定義され得る。
【００５２】
ＬＴＥ例では、複数のダウンリンク参照信号（ＲＳ）が、１つまたは複数の目的のために送信され得る。ＷＴＲＵは、ＰＣｅｌｌおよび／またはＳＣｅｌｌからセル固有参照信号（ＣＲＳ）を受信し得る。そのようなＣＲＳは、周波数分割複信（ＦＤＤ）例では、ダウンリンクサブフレーム中で送信され得る。あるいは、または追加として、そのようなＣＲＳは、時分割複信（ＴＤＤ）例では、ダウンリンクサブフレームおよび／またはダウンリンクパイロットタイムスロット（ＤｗＰＴＳ）中で送信され得る。１つまたは複数のＣＲＳがまた、または代わりに、周波数領域中の１つまたは複数のリソースブロック中で送信され得る。
【００５３】
ＬＴＥでは、物理リソースブロック（ＰＲＢ）ごとにアンテナポートごとに８つものリソース要素（ＲＥ）が、１つまたは複数のＣＲＳの送信のために使用され得る。他の例では、ＰＲＢごとにアンテナポートごとにより少数の、またはより多くの、ＲＥが、１つまたは複数のＣＲＳの送信のために使用され得ることに留意されたい。
【００５４】
ＣＲＳは、１つまたは複数のＷＴＲＵが１つまたは複数のダウンリンク物理チャネルのコヒーレント復調のためのチャネル推定を実施するのを支援し得る。例では、１つまたは複数のＷＴＲＵは、物理マルチキャストチャネル（ＰＭＣＨ）、物理ダウンリンク共有チャネル（ＰＤＳＣＨ）、および／または拡張物理ダウンリンク共有チャネル（ＥＰＤＣＣＨ）など、いくつかのダウンリンクチャネルの復調のためにＣＲＳを使用しないことがある。ＣＲＳは、１つまたは複数の送信モード（ＴＭ）、例えば、送信モード１〜８についてのチャネル状態情報（ＣＳＩ）を収集するために使用され得る。ＣＲＳは、セル選択のための基礎としておよび／またはハンドオーバ判定のための基礎としてなど、上位レイヤ測定のために使用され得る。
【００５５】
ＰＤＳＣＨに関連付けられたＷＴＲＵ固有参照信号は、復調参照信号（ＤＭ−ＲＳ）と呼ばれることがある。関連付けられたＰＤＳＣＨのために使用され得る同じリソースのうちの１つまたは複数を使用して送信され得るＤＭ−ＲＳは、（例えば、送信モード７〜１０のための）そのようなＰＤＳＣＨのコヒーレント復調のための、および／または１つまたは複数の他のＰＤＳＣＨの復調のためのチャネル推定を可能にするために使用され得る。（例えば、同じリソースのうちの１つまたは複数の使用に基づいてＰＤＳＣＨに関連付けられるのではなく）任意のタイプの構成、指示、および／またはルールのうちの１つまたは複数に基づいてＰＤＳＣＨに関連付けられ得るＤＭ−ＲＳは、そのような構成、指示、および／またはルールにおいて指定されたＰＤＳＣＨとともに使用され得る。
【００５６】
ＤＭ−ＲＳはまた、または代わりに、ＥＰＤＣＣＨチャネルの復調を可能にするために使用され得る。ＤＭ−ＲＳは、１つまたは複数のアンテナポート上で送信され得、それらの各々は、ＰＤＳＣＨおよび／またはＥＰＤＣＣＨの送信のために使用されるいくつかのレイヤに関連付けられ得る。ＤＭ−ＲＳは、１つまたは複数の物理リソースブロック上で送信され得る。例では、１つまたは複数のＤＭ−ＲＳは、対応するＰＤＳＣＨおよび／またはＥＰＤＣＣＨがマッピングされ得る１つまたは複数の物理リソースブロック上で送信され得る。例では、１つまたは複数のＤＭ−ＲＳは、ＰＲＢごとに１２個のＲＥなど、ＰＲＢごとにある数のＲＥにマッピングされ得る。あるいは、または追加として、１つまたは複数のＤＭ−ＲＳは、８つのポートなど、ある数のポートまでを可能にするために直交カバーコード（ＯＣＣ）を使用し得、それは、ＰＲＢごとに２４個のＲＥなど、ＰＲＢごとにある数のＲＥ上で送信され得る。
【００５７】
ＣＳＩ参照信号（ＣＳＩ−ＲＳ）リソースは、ＴＭ９〜１０中のＷＴＲＵなど、１つまたは複数のＴＭ中の１つまたは複数のＷＴＲＵを、ＣＳＩを収集する際に可能にするために使用され得る。ＣＳＩ−ＲＳリソースは、ＣＲＳよりも低い時間および／または周波数密度を有し得る。例えば、ＣＳＩ−ＲＳリソースの周期性は、例えば、８０個のサブフレームであり得、ここで、ＰＲＢごとにアンテナポートごとに２つのＲＥが、ＣＳＩ−ＲＳリソースのために使用され得る。
【００５８】
ＴＭ１０中のＷＴＲＵなど、ＴＭ中のＷＴＲＵは、チャネル状態情報干渉測定（ＣＳＩ−ＩＭ）で構成され得る。ＣＳＩ−ＩＭ構成は、ＷＴＲＵに、ＷＴＲＵがサービングセルからのゼロ電力送信を予期し得るリソースを示し得る。そのようなＣＳＩ−ＩＭリソースは、ＷＴＲＵによって、例えば、測定された信号が干渉プラス雑音であり得るという仮定に基づいて、測定を行うために使用され得る。
【００５９】
ＷＴＲＵは、いくつかの例では送信モード（ＴＭ）に応じて、ＣＲＳおよび／またはＣＳＩ−ＲＳに対するＣＳＩ測定を行うように構成され得る。そのような測定は、ランク指示（ＲＩ）、チャネル品質指示（ＣＱＩ）、プリコーダ行列指示（ＰＭＩ）、およびプリコーディングタイプインジケータ（ＰＴＩ）のうちの１つまたは複数を含み得る。ＷＴＲＵは、（例えば、周期ＣＳＩ報告のための）１つまたは複数の物理アップリンク制御チャネル（ＰＵＣＣＨ）リソース中で、および／または（例えば、物理アップリンク共有チャネル（ＰＵＳＣＨ）上でのＵＣＩのための、または、非周期ＣＳＩ報告のための）１つまたは複数のＰＵＳＣＨリソース中でのいずれかでそのようなＣＳＩ測定を報告し得る。
【００６０】
周期ＣＳＩ報告および非周期ＣＳＩ報告のいずれかまたは両方が、複数の報告モードのうちの１つまたは複数を使用して構成され得る。そのようなモードは、広帯域ＣＱＩフィードバック報告が使用され得るのか、ＷＴＲＵ選択されたサブバンドＣＱＩフィードバック報告が使用され得るのか、および／または（例えば、非周期報告例では）上位レイヤ構成されたサブバンドＣＱＩフィードバック報告が使用され得るのかを示し得る。報告モードは、ＰＭＩフィードバック報告が使用されないことがあるのか、単一のＰＭＩフィードバック報告が使用され得るのか、または（例えば、非周期報告例では）複数のＰＭＩフィードバック報告が使用され得るのかを示し得る。
【００６１】
ＣＱＩ計算のために、ＷＴＲＵは干渉レベルを決定し得る。ＷＴＲＵが干渉レベルを決定する方法は、実装形態に依存し得る。例えば、ＷＴＲＵは、セル固有参照信号上の雑音として干渉レベルを決定し得る。ＷＴＲＵは、複数のサブフレーム上での干渉レベルを平均化し得る。ＷＴＲＵが干渉レベルを測定するために使用し得るリソースとして、ＣＳＩ−ＩＭが使用され得る。
【００６２】
ＷＴＲＵは、例えば、多地点協調（ＣｏＭＰ）をサポートするために、複数のＣＳＩプロセスで構成され得る。ＣＳＩプロセスは、ＣＳＩ−ＲＳとＣＳＩ−ＩＭとの組合せを含み得る。ＷＴＲＵは、いくつかの例では周期的におよび／または非周期的に、各ＣＳＩプロセスについて別個のＣＳＩを報告するように構成され得る。
【００６３】
ＷＴＲＵは、セル選択を実施し、および／またはハンドオーバを可能にするように構成され得る。そのようなＷＴＲＵは、例えば、参照信号受信電力（ＲＳＲＰ）、参照信号強度インジケータ（ＲＳＳＩ）、および／または参照信号受信品質（ＲＳＲＱ）など、測定の測定報告を用いた無線リソース制御（ＲＲＣ）において構成され得る。ＷＴＲＵは、ＲＲＣ測定報告中でそのような測定を報告し得る。ＷＴＲＵは、例えば、複数のセルを絶えず測定するように構成され得る。測定が構成可能な条件を満たすかどうかに基づいて、ＷＴＲＵは、そのような測定を報告するようにトリガされ得る。
【００６４】
例では、新しい無線（ＮＲ）アクセスが、例えば、５Ｇなど、モバイル通信の第５の具体化において使用され得る。ＮＲは、本明細書では５Ｇ無線アクセスプロトコルを指すために使用され得る。ＮＲのために企図される多様な使用事例が、ＮＲアクセスを実装するシステムのための能力および／または要件について決定することに寄与し得る。５Ｇシステムなど、システムの設計のための企図される手法は、そのようなシステムに対する開示される例の適用可能性を限定することなしに、５Ｇ要件を満たし得るＮＲアクセス技術に少なくとも部分的に対応し得る。
【００６５】
エアインターフェースは、改善されたブロードバンド性能（例えば、ＩＢＢ）、産業制御および通信（例えば、ＩＣＣ）、車両適用例（例えば、Ｖ２Ｘ）、並びに大規模マシンタイプ通信、（例えば、ｍＭＴＣ）のうちの１つまたは複数を可能にし得る。例えば、ＮＲは、ＩＢＢ、ＩＣＣ、Ｖ２Ｘ、および／またはｍＭＴＣ通信を扱い、および／または多重化するように設計され得る。
【００６６】
周波数領域波形のベースバンドフィルタ処理のサポートが与えられ得る。周波数領域波形のベースバンドフィルタ処理は、ＲＦトランシーバ経路内の総スペクトルの少なくとも１５０〜２００ＭＨｚのアグリゲーションを可能にし得る。
【００６７】
比較的広く分離された動作帯域（例えば、９００ＭＨｚ、３．５ＧＨｚ）にわたるスペクトルのアグリゲーションは、いくつかの例ではアンテナサイズ要件および／または増幅器最適化設計制約により、複数のＲＦトランシーバチェーンを使用し得る。例えば、ＷＴＲＵ実装形態は、例えば、１ＧＨｚを下回る第１の経路、１．８〜３．５ＧＨｚ周波数範囲のための第２の経路、および４〜６ＧＨｚ周波数範囲のための第３の経路など、３つの別個のＲＦトランシーバ経路を含み得る。
【００６８】
大規模ＭＩＭＯアンテナ構成のためのネイティブビルトインサポートが２次要件であり得る。
【００６９】
ＩＢＢ例は、各々、変動するサイズのスペクトルを有し得る、複数の周波数帯域を使用し得る。そのような帯域は、例えば、数１００Ｍｂｐｓ程度であり得る一般的なレートをもつ、（例えば、セルエッジにおける）数１０Ｍｂｐｓから数Ｇｂｐｓのピークデータレートまでの（例えば、８Ｇｂｐｓまでの）程度のデータレートを達成するためにアグリゲートされ得る。
【００７０】
超低送信レイテンシが、例えば、１００μｓから２５０μｓの間の１つまたは複数の送信時間間隔（ＴＴＩ）をサポートすることによって達成され得る、例えば、１ｍｓラウンドトリップ時間（ＲＴＴ）と同程度に低いエアインターフェースレイテンシによってサポートされ得る。超低アクセスレイテンシ（例えば、初期システムアクセスから第１のユーザプレーンデータユニットの送信の完了までの時間）のサポートはまた、または代わりに、例えば、ＩＣＣおよび／もしくはＶ２Ｘを使用する、並びに／または、例えば、１０ｍｓ未満のエンドツーエンド（ｅ２ｅ）レイテンシを指定し得る実装形態によってサポートされ得る。
【００７１】
超高信頼送信が、例えば、レガシーＬＴＥシステムにおいて見つけられ得るものよりも低いことがある送信信頼性を与えることによってサポートされ得る。０〜５００ｋｍ／ｈの範囲内の速度を有するモビリティのサポートが例では達成され得る。例えば、ＩＣＣおよび／またはＶ２Ｘを使用する実装形態は、１０ｅ-6未満のパケットロスレートを指定し得る。
【００７２】
（例えば、狭帯域動作などの）マシンタイプ通信（ＭＴＣ）動作のサポートが与えられ得る。エアインターフェースが、（例えば、２００ＫＨｚ未満を使用する）狭帯域動作、拡張されたバッテリー寿命（例えば、最高１５年の自律性）、並びに／または小さいおよび／もしくはまれなデータ送信（例えば、秒から時間のアクセスレイテンシをもつ１〜１００ｋｂｐｓの範囲内の低いデータレート）のための最小通信オーバーヘッドをサポートし得る。大規模ＭＴＣ（ｍＭＴＣ）例のサポートが、狭帯域動作実装形態によって与えられ得る。関連付けられたリンクバジェットが、ＬＴＥ拡張カバレージのリンクバジェットに匹敵し得るが、極めて多数の（例えば、最高２００ｋ／ｋｍ２の）ＭＴＣデバイスがサポートされ得る。
【００７３】
システム設計は、フレキシブルなスペクトル利用、展開ストラテジー、および／または動作を可能にし得る。１つまたは複数の動作が、変動するサイズのスペクトルを使用し得、並びに／または、それは、（１つまたは複数の）同じおよび／もしくは異なる周波数帯域（例えば、認可および／または無認可周波数帯域）中の隣接しないキャリアのアグリゲーションを含み得る。狭帯域および／もしくは広帯域動作、異なる複信方法（例えば、ＴＤＤ例では、動的に可変のダウンリンク（ＤＬ）／アップリンク（ＵＬ）割振り）、可変ＴＴＩ長さ、スケジュールされたおよび／もしくはスケジュールされていない送信、同期および／もしくは非同期送信、制御プレーンからのユーザプレーンの分離、並びに／またはマルチノード接続性がサポートされ得る。
【００７４】
システムは、１つまたは複数のレガシーユニバーサル地上波アクセスネットワーク（ＵＴＲＡＮ）、発展型ユニバーサル地上波アクセスネットワーク（ＥＵＴＲＡＮ）、発展型パケットコア（ＥＰＣ）／コアネットワーク（ＣＮ）、および／または関連付けられた態様と一体化し得る。システムは、１つまたは複数のレガシーインターフェースおよび／またはそれに関連付けられた発展インターフェースと一体化し、および／またはそれを用いて動作し得る。システムは、（例えば、Ｓ１インターフェース、非アクセス層などを使用することによって）レガシーＣＮと通信しており、および／または（例えば、ＬＴＥエンティティとのデュアル接続性を含み得るＸ２インターフェースを使用することによって）１つまたは複数のレガシーｅノードＢと通信していることがある。そのような例示的なシステムは、既存のＱｏＳおよび／またはセキュリティ機構のサポートなど、レガシー態様を可能にし得る。
【００７５】
開示される例の要素は、例えば、一部または全部の構成要素の後方互換性を与えるために、ＬＴＥ発展例中に含まれ得る。例えば、ＬＴＥスロット（例えば、０．５ｍｓ）よりも短いＴＴＩが、超低レイテンシを可能にするために、ＬＴＥ発展システムにおいて使用される波形とは異なる波形を使用し得る。例えば、物理レイヤ（ＤＬおよび／またはＵＬ）は、例えば、ＬＴＥを用いたＴＤＭにおいておよび／またはＦＤＭにおいて動作させられ得る。レガシーシステムによってサポートされ得る機能性は、デバイスツーデバイス（Ｄ２Ｄ）機能性および／もしくはサイドリンク機能性、リッスンビフォアトーク（ＬＢＴ）を使用するライセンス支援型アクセス（ＬＡＡ）動作、並びに／または中継のサポートを可能にすることによって与えられ得る。
【００７６】
ＯＦＤＭが、ＬＴＥおよび／またはＩＥＥＥ８０２．１１におけるデータ送信のための基本信号フォーマットとして使用され得る。ＯＦＤＭは、スペクトルを複数の並列直交サブバンドに分割し得る。各サブキャリアは、時間領域中の矩形ウィンドウを使用して整形され得、これは、周波数領域中の同期整形されたサブキャリアにつながり得る。ＯＦＤＭＡ例は、例えば、信号間の直交性を維持するために、および／またはキャリア間干渉を最小限に抑えるために、サイクリックプレフィックスの持続時間内のアップリンクタイミング整合の完全な周波数同期および緊密な管理を有し得る。そのような同期は、ＷＴＲＵが同時に複数のアクセスポイントに接続され得るシステムにおいて使用されないことがある。例えば、ＷＴＲＵの送信のための断片化されたスペクトルのアグリゲーションの存在下で、隣接する帯域のスペクトル放出要件に準拠するために、電力低減がアップリンク送信に適用され得る。
【００７７】
従来のＯＦＤＭ（例えば、サイクリックプレフィックス（ＣＰ）ＯＦＤＭ（ＣＰ−ＯＦＤＭ））の態様は、より厳しいＲＦ要件によって対処され得る。そのような例は、アグリゲーションを必要としないことがある大量の連続スペクトルを使用して動作するときに使用され得る。ＣＰベースＯＦＤＭ送信方式は、パイロット信号密度およびロケーションに対する修正が実装される場合、例えば、レガシーシステムのダウンリンク物理レイヤと同様のダウンリンク物理レイヤにつながり得る。
【００７８】
他の波形候補が使用され得るが、従来のＯＦＤＭが、ダウンリンク送信方式のための候補と見なされ得る。
【００７９】
ダウンリンク送信方式は、高いスペクトル抑制（例えば、より低いサイドローブおよび／またはより低い帯域外（ＯＯＢ）放出）によって特徴づけられ得るマルチキャリア波形に基づき得る。マルチキャリア（ＭＣ）波形候補は、直交周波数分割多重／オフセット直交振幅変調（ＯＦＤＭ／ＯＱＡＭ）およびユニバーサルフィルタマルチキャリア（ＵＦＭＣ）（例えば、ユニバーサルフィルタＯＦＤＭ（ＵＦ−ＯＦＤＭ））を含み得る。マルチキャリア変調波形は、チャネルを１つまたは複数のサブチャネルに分割し得、そのようなサブチャネル中のサブキャリア上のデータシンボルを変調し得る。
【００８０】
ＯＦＤＭ−ＯＱＡＭ例では、フィルタが、ＯＯＢ放出を低減するために、サブキャリアごとに時間領域中でＯＦＤＭ信号に適用され得る。例ではＯＦＤＭ−ＯＱＡＭの使用は、隣接する帯域について極めて低い干渉を生じ得、大きいガードバンドを使用しないことがあり、サイクリックプレフィックスを使用しないことがある。ＯＦＤＭ−ＯＱＡＭ例は、マルチパス効果に、および／または直交性に関して高い遅延拡散に敏感であり得、これは、等化および／またはチャネル推定を複雑にし得る。
【００８１】
ＵＦＭＣ（ＵＦ−ＯＦＤＭ）例では、フィルタが、ＯＯＢ放出を低減するために、時間領域中でＯＦＤＭ信号に適用され得る。フィルタ処理が、スペクトル断片を使用するためにサブバンドごとに適用され得る。帯域中の（１つまたは複数の）未使用スペクトル断片中のＯＯＢ放出は、従来のＯＦＤＭ中のＯＯＢ放出と同程度に高くとどまり得る。例えば、ＵＦ−ＯＦＤＭは、フィルタ処理されたスペクトルのエッジにおいてＯＦＤＭにわたって改善し得るが、スペクトルホールにおいて改善しないことがある。
【００８２】
（異なるサブキャリア間隔などの）非直交特性をもつ信号の周波数における多重化が実装され得る。さらに、またはあるいは、非同期信号の共存が使用され得る。そのような例は、複雑な干渉消去受信機を必要としないことがある。ベースバンド処理におけるスペクトルの断片のアグリゲーションが、ＲＦ処理の一部として、スペクトルの断片をアグリゲートするシステムに対する代替であり得る。
【００８３】
同じ帯域内の異なる波形の共存が、例えば、（例えば、シングルキャリア多元接続（ＳＣＭＡ）を使用する）ｍＭＴＣ狭帯域動作をサポートするために、使用され得る。同じ帯域が、いずれかまたは全ての開示される態様について、並びに／またはダウンリンクおよびアップリンク送信の一方もしくは両方について、異なる波形、例えば、ＣＰ−ＯＦＤＭ、ＯＦＤＭ−ＯＱＡＭ、および／またはＵＦ−ＯＦＤＭの組合せをサポートし得る。そのような波形共存は、例えば、同時に、いくつかの重複とともに、および／または時間領域中で連続してのいずれかで、異なるＷＴＲＵ間の異なるタイプの波形を使用し得る送信、および／または同じＷＴＲＵとは異なるタイプの波形を使用し得る送信とともに使用され得る。
【００８４】
（例えば、ある送信から別の送信への）場合によっては変動するサイクリックプレフィックス（ＣＰ）持続時間の少なくとも１つをサポートし得る波形および／または送信、ＣＰと低電力テール（例えば、０テール）との組合せ、（例えば、低電力ＣＰおよび適応低電力テールを使用する）ハイブリッドガードインターバルの形式など、並びにそれらの任意の組合せなど、波形のハイブリッドタイプがサポートされ得る。波形のそのようなハイブリッドタイプは、フィルタ処理の適用など、さらなる態様の動的変動および／または制御をサポートし得る。例えば、波形のハイブリッドタイプは、フィルタ処理が、所与のキャリア周波数についての（１つまたは複数の）送信の受信のために使用され得るスペクトルのエッジにおいて、固有スペクトル動作モード（ＳＯＭ）に関連付けられた送信の受信のために使用されるスペクトルのエッジにおいて、サブバンドごとに、および／またはそのグループごとに適用され得るかを決定するのを支援し得る。アップリンク送信方式は、ダウンリンク送信のために使用される波形と同じまたは異なる波形を使用し得る。同じセル中の様々なＷＴＲＵへのおよび／またはそれからの送信の多重化は、ＦＤＭＡおよび／またはＴＤＭＡに基づき得る。
【００８５】
スペクトルフレキシビリティは、同じおよび／または異なる帯域中の連続するおよび／または連続しないスペクトル割振りを含み得る、利用可能なスペクトルの異なる複信構成並びに／または異なるおよび／もしくは可変サイズを含み得る異なる特性をもつ異なる周波数帯域中の展開を可能にし得る。可変タイミング態様がサポートされ得る。複数のＴＴＩ長さのサポートおよび／または非同期送信のサポートが与えられ得る。
【００８６】
ＴＤＤおよび／またはＦＤＤ複信方式がサポートされ得る。ＦＤＤ動作では、補足ダウンリンク動作は、スペクトルアグリゲーションを使用してサポートされ得る。ＦＤＤ動作は、全二重ＦＤＤ動作および半二重ＦＤＤ動作のいずれかまたは両方をサポートし得る。ＴＤＤ動作について、ＤＬ／ＵＬ割振りは動的であり得る。例えば、ＤＬ／ＵＬ割振りは、固定ＤＬ／ＵＬフレーム構成に基づかないことがある。ＤＬおよび／またはＵＬ送信間隔の長さは、送信機会ごとに設定され得る。
【００８７】
アップリンクおよびダウンリンク上での送信帯域幅は、互いに異なり得る。例えば、アップリンクおよびダウンリンクの各々の帯域幅は、無関係に、公称システム帯域幅からシステム帯域幅に対応する最大値にわたり得る。
【００８８】
シングルキャリア動作では、システム帯域幅は、５、１０、２０、４０、および／または８０ＭＨｚを含み得る。システム帯域幅は、所与の範囲中の任意の帯域幅、例えば、数ＭＨｚから１６０ＭＨｚ（またはそれ以上）であり得る。公称帯域幅は、１つまたは複数の固定値を有し得る。２００ＫＨｚなど、指定された周波数までの狭帯域送信は、ＭＴＣデバイスのための動作帯域幅内でサポートされ得る。
【００８９】
図２は、例示的な送信帯域幅２００を示す。本明細書で使用される「システム帯域幅」は、図２のシステム帯域幅２１０など、所与のキャリアのためのネットワークによって管理され得るスペクトルの最大部分を指すことがある。そのようなキャリアについて、ＷＴＲＵがセル収集、測定、および／またはネットワークへの初期アクセスについて最小限にサポートし得る部分は、図２の公称システム帯域幅２２０など、公称システム帯域幅に対応し得る。ＷＴＲＵは、システム帯域幅全体の範囲内にあり得るチャネル帯域幅で構成され得る。例えば、図２に示されているようなＷＴＲＵｘは、公称システム帯域幅２２０を含む１０ＭＨｚの帯域幅であり得るチャネル帯域幅２３０で構成され得る。別の例では、図２に示されているようなＷＴＲＵｙは、公称システム帯域幅２２０を含む、システム帯域幅２１０の全てであり得るチャネル帯域幅２４０で構成され得る。ＷＴＲＵによって利用されるチャネル帯域幅の一部または全部は、ＮＲアクセスをサポートし得る。
【００９０】
チャネル帯域幅２３０および２４０の各々は公称システム帯域幅２２０を含むが、ＷＴＲＵの構成されたチャネル帯域幅は、図２の例示的な送信帯域幅２００に示されているように、システム帯域幅の公称部分を含むことも含まないこともある。例えば、帯域幅２３０および２４０は公称システム帯域幅２２０を含むが、図２に示されているようなＷＴＲＵｚは、公称システム帯域幅２２０を含まないことがあるチャネル帯域幅２５０で構成され得る。
【００９１】
帯域中の最大動作帯域幅についてのＲＦ要件のうちの１つまたは複数のセットは、その動作帯域のための追加の許容されるチャネル帯域幅の導入なしに満たされ得、これは、帯域幅フレキシビリティを可能にし得る。周波数領域波形のベースバンドフィルタ処理がサポートされ得る。物理レイヤは、帯域アグノスティック（agnostic）であり得、並びに／または、例えば、５ＧＨｚを下回る認可帯域中の動作、および／もしくは、例えば、５〜６ＧＨｚの範囲内の無認可帯域中の動作をサポートし得る。ＬＴＥ  ＬＡＡと同様であり得る、ＬＢＴ  ＣＡＴ４ベースチャネルアクセスフレームワークが、例えば、無認可帯域中の動作においてサポートされ得る。
【００９２】
ダウンリンク制御チャネルおよび／または信号は、ＦＤＭ動作をサポートし得る。ＷＴＲＵは、例えば、システム帯域幅の公称部分を使用して送信を受信することによって、ダウンリンクキャリアを収集し得、ここで、ＷＴＲＵは、関連付けられたキャリアのためのネットワークによって管理され得る帯域幅全体をカバーする送信を最初に受信しないことがある。
【００９３】
ダウンリンクデータチャネルは、公称システム帯域幅に対応することもしないこともある帯域幅上で割り振られ得る。例えば、ダウンリンクデータチャネルが割り振られ得る帯域幅は、ＷＴＲＵの構成されたチャネル帯域幅内にあること以外の制限なしに決定され得る。例示的な、非限定的な例では、ネットワークは、例えば、最高２０ＭＨｚ相当のチャネル帯域幅をサポートし得る他のＷＴＲＵにキャリア周波数の＋１０から−１０ＭＨｚを割り振りながら、多くとも５ＭＨｚ最大ＲＦ帯域幅をサポートするデバイスがシステムを収集し、および／またはそれにアクセスすることを可能にし得る５ＭＨｚ公称帯域幅を使用して、１２ＭＨｚシステム帯域幅をもつキャリアを動作させ得る。
【００９４】
図３は、システム帯域幅３１０と公称システム帯域幅３１５とを含む例示的なスペクトル割振りを示すチャート３００を示す。異なるサブキャリアが、異なる動作モードに割り当てられ得る。そのような動作モードは、「スペクトル動作モード」または「ＳＯＭ」と呼ばれることがある。図３は、例示的なサブキャリア３２０および３３０を示す。サブキャリア３２０は、サブキャリア３３０に関連付けられたＳＯＭとは異なるＳＯＭに割り当てられ得る。
【００９５】
異なるＳＯＭが、異なる送信のための異なる要件を満たすために使用され得る。ＳＯＭは、サブキャリア間隔、シンボル長、ＴＴＩ長さ、および（ハイブリッド自動再送要求（ＨＡＲＱ）処理態様などの）信頼性態様のうちの１つまたは複数を含み得、および／またはそれによって特徴づけられ得、および／またはそれによって定義され得、および／またはそれに関連付けられ得る。ＳＯＭはまた、または代わりに、特定の２次制御チャネル、特定の波形、任意の物理レイヤ態様のうちの１つまたは複数を含み得、および／またはそれによって特徴づけられ得、および／またはそれによって定義され得、および／またはそれに関連付けられ得る。例えば、ＬＴＥ信号は、第１のＳＯＭに対応し得る。ＮＲ送信の第１のタイプは、第２のＳＯＭに対応し得る。例では、ＮＲは、複数のＳＯＭ、例えば、大規模ブロードバンドタイプ使用事例をサポートするＮＲのための第１のＳＯＭ、超高信頼低レイテンシ通信（ＵＲＬＬＣ）タイプ使用事例をサポートするＮＲのための第２のＳＯＭ、ｍＭＴＣタイプ使用事例をサポートするためのＮＲのための第３のＳＯＭなど、からの送信をサポートし得る。ＳＯＭは、特定の波形を指すために使用され得、並びに／または、ＦＤＭおよび／もしくはＴＤＭを使用する同じキャリア中の異なる波形の共存をサポートし得る態様など、処理態様に関係し得る。同様に、ＳＯＭは、例えば、ＴＤＭ様式または同様の実装形態において、ＴＤＤ帯域中のＦＤＤ動作の共存がサポートされ得る場合に使用され得る。図３に示されているように、キャリア／スペクトルの部分は、例えば、様々な時点で異なるＳＯＭに関連付けられた送信をサポートするために、可変送信特性に関連付けられ得る。
【００９６】
シングルキャリア動作では、スペクトルアグリゲーションがサポートされ得る。ＷＴＲＵは、同じ動作帯域内の物理リソースブロック（ＰＲＢ）の連続するおよび／または連続しないセット上での複数のトランスポートブロックの送信および／または受信をサポートし得る。単一のトランスポートブロックは、ＰＲＢの別個のセットにマッピングされ得る。異なるＳＯＭ要件に関連付けられた同時送信がサポートされ得る。
【００９７】
マルチキャリア動作がサポートされ得る。連続するおよび／または連続しないスペクトルブロックが、同じ動作帯域内で、および／または２つまたはそれ以上の動作帯域にわたって使用され得る。異なるモード（例えば、ＦＤＤおよびＴＤＤ）を使用する、および／または異なるチャネルアクセス方法（例えば、認可および無認可帯域動作）を使用するスペクトルブロックがアグリゲートされ得る。ＷＴＲＵのマルチキャリアアグリゲーションが、構成され、再構成され、および／または動的に変更され得る。周波数領域中の効率的なベースバンドフィルタ処理により、いくつかの例では、追加のチャネルおよび／または帯域組合せをサポートするためのＲＦ仕様作業が使用されないことがある。
【００９８】
ダウンリンクおよびアップリンク送信は、１つまたは複数の固定態様（例えば、ダウンリンク制御情報のロケーション）および１つまたは複数の変動する態様（例えば、送信タイミング、送信のサポートされるタイプ）によって特徴づけられ得る無線フレームに編成され得る。基本時間間隔（ＢＴＩ）は、整数個の１つまたは複数のシンボルに関して表され得る。シンボル持続時間は、時間周波数リソースに適用可能なサブキャリア間隔の関数であり得る。ＦＤＤシステムでは、サブキャリア間隔は、所与のフレームについてアップリンクキャリア周波数ｆULとダウンリンクキャリア周波数ｆDLとの間で異なり得る。
【００９９】
送信時間間隔（ＴＴＩ）は、システムによってサポートされ得る連続する送信間の最小時間であり得る。各連続する送信は、ダウンリンク（ＴＴＩDL）のための、およびアップリンクトランシーバ（ＵＬ  ＴＲｘ）のための異なるトランスポートブロック（ＴＢ）に関連付けられ得、プリアンブルを除外し得る。各連続する送信は、制御情報（例えば、ダウンリンクのためのダウンリンク制御情報（ＤＣＩ）、アップリンクのためのアップリンク制御情報（ＵＣＩ））を含み得る。ＴＴＩは、整数個の１つまたは複数のＢＴＩに関して表され得る。ＢＴＩは、固有であり、および／またはＳＯＭに関連付けられ得る。フレーム持続時間は、限定はしないが、１００μｓ、１２５μｓ（１／８ｍｓ）、１４２．８５μｓ（例えば、１／７ｍｓは、２つのｎＣＰ  ＬＴＥ  ＯＦＤＭシンボルであり得る）、および／または１ｍｓを含み得る。１つまたは複数のフレーム持続時間は、レガシーＬＴＥタイミング構造との整合を可能にするように選択され得る。
【０１００】
フレームは、関連付けられたキャリア周波数、例えばＴＤＤのためのｆUL+DLおよびＦＤＤのためのｆDLのためのダウンリンクデータ送信（ＤＬ  ＴＲｘ）に先行し得る固定持続時間ｔdciを有し得るＤＣＩで開始し得る。
【０１０１】
図４のフレーム構造４００は、ＴＤＤ複信例において使用され得る例示的なフレーム構造を示す。ＴＤＤ複信例は、ＤＣＩ４１１と、ＤＬ  ＴＲｘ４１２と、ＵＬ  ＴＲｘ４１３とを含み得るフレーム４１０など、ダウンリンク部分（ＤＣＩおよびＤＬ  ＴＲｘ）とアップリンク部分（ＵＬ  ＴＲｘ）の両方からなり得るフレームを使用し得る。また、ＤＣＩ４２１と、ＤＬ  ＴＲｘ４２２と、ＵＬ  ＴＲｘ４２３とを含み得るフレーム４２０が図４に示されている。ＴＤＤ複信例はまた、または代わりに、アップリンク部分（ＵＬ  ＴＲｘ）ではなくダウンリンク部分（ＤＣＩおよびＤＬ  ＴＲｘ）からなり得るフレームを使用し得る。ｓｗｇ４１４およびｓｗｇ４２４など、切替えギャップ（ｓｗｇ）が、例えば、所与の構成のフレームについて、フレームのアップリンク部分に先行し得る。
【０１０２】
ＴＤＤ例は、（例えば、それぞれのリソースの半静的割振りが使用される場合）そのようなフレームのＤＣＩ＋ＤＬ  ＴＲｘ部分中に、または、（例えば、動的割振りの場合）そのようなフレームのＤＬ  ＴＲｘ部分中にそれぞれのダウンリンク制御および／または順方向送信を含めることによって、フレーム中のＤ２Ｄ、Ｖ２Ｘ、および／またはサイドリンク動作をサポートし得る。それぞれの逆方向送信は、ＵＬ  ＴＲｘ部分中に含まれ得る。
【０１０３】
図５のフレーム構造５００は、ＦＤＤ複信例において使用され得、ダウンリンク参照ＴＴＩおよび／またはアップリンクのための１つまたは複数のＴＴＩを含み得るフレームを使用し得る、例示的なフレーム構造を示す。ＦＤＤ複信例は、ＤＣＩ５１１と、ＤＬ  ＴＲｘ５１２と、ＵＬ  ＴＲｘ５１３とを含み得るフレーム５１０など、ダウンリンク部分（ＤＣＩおよびＤＬ  ＴＲｘ）とアップリンク部分（ＵＬ  ＴＲｘ）の両方からなり得るフレームを使用し得る。また、ＤＣＩ５２１と、ＤＬ  ＴＲｘ５２２と、ＵＬ  ＴＲｘ５２３とを含み得るフレーム５２０が図５に示される。フレーム５１０および５２０と重複するアップリンク部分５１４など、アップリンク部分は２つのフレームと重複し得る。
【０１０４】
アップリンクＴＴＩの開始は、図５に示されているｔoffset５３０など、オフセット（例えば、ｔoffset）を使用して導出され得る。オフセットは、アップリンクフレームの開始と重複し得るダウンリンク参照フレームの開始から適用され得る。
【０１０５】
ＦＤＤ例は、（例えば、１つまたは複数のそれぞれのリソースの動的割振りが使用され得る）そのようなフレームのＵＬ  ＴＲｘ部分中にそれぞれのダウンリンク制御、順方向、および／または逆方向送信を含めることによって、フレームのＵＬ  ＴＲｘ部分中のＤ２Ｄ、Ｖ２Ｘ、および／またはサイドリンク動作をサポートし得る。
【０１０６】
スケジューリング機能は、媒体アクセス制御（ＭＡＣ）レイヤにおいてサポートされ得る。２つまたはそれ以上のスケジューリングモードがサポートされ得る。スケジューリングモードは、ダウンリンク送信および／またはアップリンク送信のリソースおよびタイミングおよび送信パラメータに関して緊密なスケジューリングのために使用され得るネットワークベーススケジューリングであり得る。別のスケジューリングモードは、タイミングおよび／または送信パラメータに関してフレキシビリティを与え得るＷＴＲＵベーススケジューリングであり得る。そのようなモードのいずれかまたは両方について、スケジューリング情報が、単一のＴＴＩについてまたは複数のＴＴＩについて有効であり得る。
【０１０７】
ネットワークベーススケジューリングは、例えば、ネットワークが、様々なＷＴＲＵに割り当てられ得る利用可能な無線リソースを管理することを可能にするために使用され得る。そのようなスケジューリング方式は、そのようなリソースの共有を改善するために使用され得る。動的スケジューリングがまた、または代わりに、サポートされ得る。
【０１０８】
ＷＴＲＵベーススケジューリングは、ＷＴＲＵが、例えば、（動的にまたは別様に）ネットワークによって割り当てられる共有および／または専用アップリンクリソースのセット内で、必要に応じて最小レイテンシでアップリンクリソースに日和見的にアクセスするのを支援するために使用され得る。同期および非同期日和見的送信が、本開示で企図される。競合ベース送信および競合なし送信が、本開示で企図される。
【０１０９】
（スケジュールされたまたはスケジュールされていない）日和見的送信のサポートが、いくつかの構成に関連付けられ得る超低レイテンシ要件および／またはいくつかの構成に関連付けられ得る電力節約要件に対処するために使用され得る。
【０１１０】
送信のために利用可能なデータおよびアップリンク送信のための利用可能なリソースの関連付けがサポートされ得る。同じトランスポートブロック内の異なるＱｏＳ要件を有するデータの多重化が、例えば、サポートされ得、ここで、そのような多重化は、厳しいＱｏＳ要件をもつサービスに悪影響をもたらさないことがあり、および／またはシステムリソースの不要な浪費をもたらさないことがある。
【０１１１】
送信は、１つまたは複数の符号化方法を使用して符号化され得る。異なる符号化方法が、異なる特性を有し得る。例えば、符号化方法は、情報ユニットのシーケンスを生成し得る。場合によっては「ブロック」と呼ばれることがある、各情報ユニットは、第１のブロックの送信におけるエラーが第２のブロックを成功裡に復号する受信機の能力を損なわないように、独立型であり得る。例えば、第１のブロックがエラーを有する場合、第２のブロックが成功裡に復号され得るように、第２のブロックはエラーなしであり得、および／または十分な冗長性を有し得る。第２のブロックは、受信機によって復号され得、第１のブロックは、第１のブロックに関連付けられたエラーにより、復号されないことがある。
【０１１２】
送信がＮ個のラプターコードのシーケンスからなり得る、ラプター／ファウンテンコードなど、符号化方法が使用され得る。１つまたは複数のそのようなコードが、時間的に１つまたは複数の送信「シンボル」にマッピングされ得る。そのようなシンボルは、情報ビットの１つまたは複数のセット（例えば、１つまたは複数のオクテット）に対応し得る。そのような符号化は、例えば、時間的に重複する別の送信による干渉またはパンクチャリングにより、送信が１つの「シンボル」の損失に対してより回復力があり得るように、送信がＮ＋１またはＮ＋２ラプターコード（またはラプターコードシンボル関係を仮定して、シンボル）を使用し得るように、前方エラー訂正（ＦＥＣ）を送信に追加するために使用され得る。
【０１１３】
ＷＴＲＵは、１つまたは複数のシステムシグネチャを受信および／または検出するように構成され得る。システムシグネチャは、シーケンスを使用し得る信号構造を含み得る。そのようなシステムシグネチャを含む信号は、同期信号と同様（例えば、ＬＴＥ  １次同期信号（ＰＳＳ）または２次同期信号（ＳＳＳ）と同様）であり得る。システムシグネチャは、所与のエリア内の特定のノードおよび／または送信／受信ポイント（ＴＲＰ）に固有であり（例えば、一意に識別し）得る。あるいは、または追加として、システムシグネチャは、エリア内の複数のノードおよび／またはＴＲＰに共通であり得る。シグネチャがノードおよび／またはＴＲＰに固有であるかどうかは、ＷＴＲＵに知られていないおよび／または無関係な情報であり得る。ＮＲ送信および／または受信をサポートするネットワークＴＲＰは、ｇＮＢと呼ばれることがある。
【０１１４】
ＷＴＲＵは、システムシグネチャシーケンスを決定および／または検出し得、システムに関連付けられた１つまたは複数のパラメータを決定し得る。例えば、ＷＴＲＵは、システムシグネチャシーケンスからインデックスを導出し得、例えば、本明細書で説明されるようにアクセステーブルなどのテーブルを使用することによって、関連付けられたパラメータを検索するためにこのインデックスを使用し得る。ＷＴＲＵは、それが、システムの適用可能なリソースを使用してアクセスおよび／または送信し得ると決定した場合、ＷＴＲＵは、例えば、初期送信電力を設定するために、開ループ電力制御のためのシステムシグネチャに関連付けられた受信電力を使用し得る。ＷＴＲＵは、それが、システムの適用可能なリソースを使用してアクセスおよび／または送信し得ると決定した場合、ＷＴＲＵは、例えば、送信（例えば、ＰＲＡＣＨリソース上でのプリアンブル）のタイミングを設定するために、受信されたシグネチャシーケンスのタイミングを使用し得る。
【０１１５】
ＷＴＲＵは、１つまたは複数のエントリを有するリストで構成され得る。そのようなリストは、アクセステーブルと呼ばれることがある。アクセステーブルは、各エントリがシステムシグネチャおよび／またはシステムシグネチャに関連付けられたシーケンスに関連付けられ得るように、インデックス付けされ得る。アクセステーブルは、１つまたは複数のエリアのための初期アクセスパラメータを与え得る。各アクセステーブルエントリは、システムへの初期アクセスを実施するために使用され得る１つまたは複数のパラメータを与え得る。アクセステーブル中に含まれるパラメータは、例えば、時間および／または周波数における、１つまたは複数の物理ランダムアクセスチャネル（ＰＲＡＣＨ）リソースなど、適用可能な物理レイヤリソース、初期電力レベル、応答の受信のために使用され得る１つまたは複数の物理レイヤリソースなどを任意の組合せにおいて含み得る１つまたは複数のランダムアクセスパラメータのセットを含み得る。
【０１１６】
アクセステーブルエントリに関連付けられたパラメータはまた、または代わりに、パブリックランドモバイルネットワーク（ＰＬＭＮ）識別情報および／またはＣＳＧ情報など、アクセス制限を含み得る。そのようなパラメータはまた、または代わりに、１つまたは複数の適用可能なルーティングエリアなど、ルーティング関係情報を含み得る。各テーブルエントリは、システムシグネチャに関連付けられ、および／またはそれによってインデックス付けされ得る。１つのエントリは、複数のノードおよび／またはＴＲＰに共通であり得る。
【０１１７】
ＷＴＲＵは、ＲＲＣ構成に関連付けられたリソースなど、専用リソースを使用する送信、および／またはブロードキャストされたリソースを使用し得る送信によって、アクセステーブルを受信または取得し得る。ブロードキャストされたリソースが使用され得る場合、アクセステーブルの送信の周期性は、それが（例えば、１００ｍｓの範囲内の）シグネチャの送信の周期性よりも長くなり得るように、比較的長く（例えば、最高１０２４０ｍｓ）なり得る。
【０１１８】
送信の低減、およびそれによる帯域幅の使用の低減が望まれ得る。システムにおける信号の低減が、隣接送信ポイント（ＴＲＰ）のための不要な干渉を低減し、参照信号オーバーヘッドを低減し、および／または送信ポイントにおける電力消費を低減し得る。
【０１１９】
参照信号オーバーヘッドの低減は、例えば、２つ以上の送信の方法のサポートが与えられ得る（例えば、大規模ＭＩＭＯ、ＣｏＭＰ）環境において、モバイルブロードバンド通信のために有益であり得る。参照信号オーバーヘッド（例えば、パイロット汚染）を低減すること、および／またはＴＲＰ間干渉を低減することは、より高次の変調送信のカバレージを増加させ得、そのような環境において動作するＷＴＲＵに有益であり得る。ＴＲＰ間干渉の低減は、超高信頼通信のために有益であり得る。
【０１２０】
ＷＴＲＵは、１つまたは複数の参照信号に対する測定を実施し得、受信電力を測定するために、チャネル品質を測定するために、ＣＳＩの導出を可能にするために、復調のためのチャネル推定を可能にするためになど、様々な目的のうちの１つまたは複数のためにそのような測定を使用し得る。ＷＴＲＵは、参照信号の送信をいつ予期すべきかを知っている必要があり得る。ＷＴＲＵに１つまたは複数の参照信号の存在を示すために使用され得る様々な方法およびシステムが記載される。
【０１２１】
信号の送信の低減は、いくつかのそのような信号の周期性を低減することによって達成され得る。いくつかの動作モード（例えば、超高信頼通信）では、いくつかの信号の周期性の低減とともに経験されるような、測定されたＣＳＩフィードバックと実際の送信との間のラグをもたらすことが望ましくないことがある。
【０１２２】
１つまたは複数の参照信号の送信を制限するために、ＷＴＲＵは、１つまたは複数の（例えば、１つの）参照信号タイプに対して複数の動作を実施し得る。ＷＴＲＵは、参照信号の目的について知らされ得る。
【０１２３】
ＬＴＥインターフェースとは異なり得る新しい無線インターフェースを識別するために、新しい無線機のための頭字語「ＮＲ」が本明細書で使用され得ることに留意されたい。ＮＲはまた、将来のシステムにおいて使用されるものとして企図されるインターフェースを示すために使用され得る。本明細書に記載されるシステムおよび方法は、１つまたは複数の参照測定リソース（ＲＭＲ）の受信および１つまたは複数のＲＭＲの送信のいずれかまたは両方に適用可能であり得る。
【０１２４】
ＷＴＲＵは、１つまたは複数のＲＭＲで構成され得る。ダウンリンクの場合、１つまたは複数のＲＭＲは、少なくとも１つの信号送信に対する測定を実施するために使用され得（例えば、存在する場合、送信信号ＲＭＲが、少なくとも１つの信号に対する測定を実施するために使用され得る）、および／または少なくとも１つの信号が予期されないことがあるリソースに対する測定を実施するために使用され得る（例えば、存在する場合、ブランキングされたＲＭＲが、少なくとも１つの信号が予期されないことがある１つまたは複数のリソースに対する測定を実施するために使用され得る）。
【０１２５】
アップリンクの場合、１つまたは複数のＲＭＲは、少なくとも１つの信号の送信を実施するために使用され得る（例えば、存在する場合、送信信号ＲＭＲが、少なくとも１つの信号の送信を実施するために使用され得る）。あるいは、または追加として、（例えば、存在する場合、ブランキングされたＲＭＲに基づいて）送信が実施されないことがある。ＷＴＲＵによるＲＭＲ（例えば、ＤＬ  ＲＭＲまたはＳＬ  ＲＭＲ）の受信に言及する本明細書に記載される例はまた、例えば、ＷＴＲＵによるＲＭＲ（例えば、ＵＬ  ＲＭＲまたはＳＬ  ＲＭＲ）の送信に適用可能であり得ることに留意されたい。
【０１２６】
ＷＴＲＵは、ＷＴＲＵが１つまたは複数の測定を実施し得る１つまたは複数のリソースの存在を検出し得る。そのようなリソースはＲＭＲであり得る。ＲＭＲは、少なくとも１つのＴＲＰが信号を送信し得る非ゼロ電力参照信号であり得る。ＲＭＲはまた、または代わりに、少なくとも１つのＴＲＰが信号を送信しないことがある（例えば、１つまたは複数のＴＲＰが、未使用リソース上で信号を送信しないことがある）ゼロ電力参照信号であり得る。非ゼロ電力参照信号ＲＭＲは、「送信信号ＲＭＲ」と呼ばれることがある。ゼロ電力参照信号ＲＭＲは、「ブランキングされたＲＭＲ」と呼ばれることがある。
【０１２７】
本明細書で使用される「ＲＭＲの送信」は、送信信号ＲＭＲおよびブランキングされたＲＭＲのいずれかまたは両方を指すことがある。さらに、本明細書で使用される「ＲＭＲの送信」は、（例えば、適用可能な物理レイヤリソースのセットを表し得るリソースグリッドにおける）「ＲＭＲの存在」と等価なものとして理解されるべきである。
【０１２８】
送信されたＲＭＲは、ＵＬ中でＷＴＲＵによって送信され得るＲＭＲであり得るが、ブランキングされたＲＭＲは、ＷＴＲＵが何も送信しないことがあるリソースのセットであり得る。例えば、ブランキングされたＲＭＲは、ＷＴＲＵに、ＷＴＲＵがＵＬ送信をレートマッチングおよび／またはパンクチャし得るリソースのパターンを示し得る。
【０１２９】
本明細書に記載される例は、１つまたは複数のＴＲＰによって送信され得る参照測定リソースのコンテキストにおいて説明され得、開示される例はまた、デバイスツーデバイス通信モードにおいて動作するときに、例えば、１つまたは複数のＲＭＲを送信していることがあるＷＴＲＵに適用可能であり得ることが企図されることに留意されたい。
【０１３０】
ＲＭＲは、１つまたは複数のパラメータによって特徴づけられ得る。１つまたは複数のＲＭＲは、ＷＴＲＵに対して構成され得る。そのようなＷＴＲＵは、少なくとも１つのＴＲＰが信号を送信し得ることを予期し得る。そのようなＷＴＲＵは、ＷＴＲＵが、必要とされる測定を行うために高度検出を使用することを可能にし得る、特定のパラメータを使用し得る。例えば、ＲＭＲは、様々なパラメータのうちの少なくとも１つによって定義（および／またはそれで構成）され得る。
【０１３１】
ＲＭＲに関連付けられたパラメータは、限定はしないが、リソース要素マッピングを含み得る。リソース要素マッピングは、１つまたは複数のシンボル中のリソース要素のセットに、および／または１つまたは複数のサブキャリアに、ＲＭＲをマッピングし得る。例では、ＲＭＲは、複数のリソース要素の連結であり得る。
【０１３２】
ＲＭＲに関連付けられたパラメータは、限定はしないが、いくつかの例では、あらかじめ決定され得るシーケンスを含み得る。例えば、少なくとも１つのＴＲＰによってＲＭＲ上で送信された信号は、あらかじめ決定されたシーケンスであり得る。シーケンスは、例えば、擬似ランダムシーケンスを使用して生成され得る。シーケンスは、ＲＭＲの１つまたは複数の他のパラメータを使用して生成され得る。
【０１３３】
ＲＭＲに関連付けられたパラメータは、限定はしないが、ＲＭＲを送信するために使用され得る、ユニークワードＯＦＤＭ（ＵＷ−ＯＦＤＭ）など、ユニークワードを含み得る。ガード期間は、１つまたは複数のフレーム構造中で（例えば、ＤＬおよびＵＬ部分がガード期間によって分離され得る独立型サブフレーム中で）使用され得る。そのようなガード期間は、ＲＭＲを送信するために使用され得る。
【０１３４】
ＲＭＲに関連付けられたパラメータは、限定はしないが、信号構造を含み得る。ＲＭＲは、１つまたは複数の並行送信の信号構造とは異なる信号構造を有し得る。例えば、ＲＭＲは、第１のサブキャリア間隔を使用し得、１つまたは複数の並行非ＲＭＲ送信は、第２のサブキャリア間隔を使用し得る。ＲＭＲはまた、または代わりに、第１のＴＴＩ持続時間またはサブフレーム持続時間を仮定し得、１つまたは複数の並行非ＲＭＲ送信は、第２のＴＴＩ持続時間またはサブフレーム持続時間を使用し得る。
【０１３５】
ＲＭＲに関連付けられたパラメータは、限定はしないが、送信電力を含み得る。ＲＭＲの送信電力は、固定であり得るか、または同じＲＭＲの異なる実現形態にわたって可変であり得る。ＲＭＲ送信電力は、別のチャネルの並行送信に関連付けられ得る。
【０１３６】
ＲＭＲに関連付けられたパラメータは、限定はしないが、アナログビームを含み得る。複数のＲＭＲは、異なるビームを使用して同じまたは重複するリソース中で多重化され得る。
【０１３７】
ＲＭＲに関連付けられたパラメータは、限定はしないが、プリコーディングを含み得る。複数のアンテナポート上でＲＭＲを送信するために使用されるプリコーディングは、固定であり得るか、または可変であり得る。ＲＭＲプリコーディングは、別のチャネルの並行送信に結びつけられ得る。
【０１３８】
ＲＭＲに関連付けられたパラメータは、限定はしないが、アンテナポートのセットを含み得る。アンテナポートのセットは、１つまたは複数のＴＲＰからの送信のために使用され得る。
【０１３９】
ＲＭＲに関連付けられたパラメータは、限定はしないが、カバーコードを含み得る。複数のＲＭＲは、直交カバーコードを使用して同じまたは重複するリソース中で多重化され得る。
【０１４０】
ＲＭＲに関連付けられたパラメータは、限定はしないが、タイミング態様を含み得る。ＲＭＲは、サブフレーム内のシンボルに関して、サブフレーム（例えば、１つまたは複数のシンボル）に関して、および／または無線フレーム（例えば、複数のサブフレーム）に関してなど、時間に関して周期性に関連付けられ得る。
【０１４１】
本明細書に記載されるＲＭＲに関連付けられたパラメータのいずれかは、ダウンリンク送信、アップリンク送信、および／またはサイドリンク送信のうちの１つまたは複数に関連付けられ得ることに留意されたい。
【０１４２】
１つまたは複数のＴＲＰが送信していないことを予期し得るＷＴＲＵに対して構成されるＲＭＲは、１つまたは複数のＴＲＰが信号を送信することを予期し得るＷＴＲＵに対して構成されるＲＭＲのための本明細書に記載されるパラメータと同じおよび／または同様のパラメータを使用し得る。
【０１４３】
１つまたは複数のブランキングされたＲＭＲは、干渉および雑音から成るとＷＴＲＵによって仮定され得る。そのような例では、ＷＴＲＵは、エネルギー検出を実施し得る。
【０１４４】
１つまたは複数のブランキングされたＲＭＲは、干渉の特定のタイプを測定するためにＷＴＲＵによって使用され得る。ＷＴＲＵは、ＷＴＲＵが、他のＲＡＴ（例えば、ＬＴＥ、Ｗｉ−Ｆｉなど）からの干渉を測定することを可能にするために、ＮＲネットワークノードによって、ブランキングされたＲＭＲで構成され得る。そのようなＷＴＲＵは、ＲＡＴ間干渉に関連付けられ得るパラメータで構成され得る。ターゲットにされる干渉測定は、エネルギー検出のためにＷＴＲＵによって実施される１つまたは複数の測定とは別個に保たれ得る。
【０１４５】
１つまたは複数のブランキングされたＲＭＲは、１つまたは複数の他のＲＡＴによって送信される１つまたは複数の信号を測定するためにＷＴＲＵによって使用され得る。ＷＴＲＵは、ＷＴＲＵが通信するＴＲＰ（例えば、ＮＲ  ＴＲＰ）とコロケートされ得るＬＴＥセルからのＬＴＥ  ＣＳＩ−ＲＳ（または他のタイプのＬＴＥ  ＲＳ）の送信と一致し得る少なくとも１つのブランキングされたＲＭＲで構成され得る。ＷＴＲＵはまた、または代わりに、ＷＴＲＵが通信するＴＲＰとコロケートされないＬＴＥセルからのＬＴＥ  ＣＳＩ−ＲＳの送信と一致し得るブランキングされたＲＭＲで構成され得る。ＷＴＲＵは、ＲＡＴ間モビリティ測定を可能にし得る少なくとも１つのブランキングされたＲＭＲで構成され得る。
【０１４６】
ＷＴＲＵは、１つまたは複数の測定を実施するように構成され得る。そのような測定は、１つまたは複数のＲＭＲに対して実施され得る。そのような１つまたは複数の測定の各々は、特定のプロシージャに対応し得る目的に関連付けられ得る。
【０１４７】
測定は、限定はしないが、セル、シグネチャ、ＴＲＰ、ＴＲＰグループ（ＴＲＰＧ）、およびサイドリンクＷＴＲＵの選択のためのプロシージャを含む、１つまたは複数のＷＴＲＵプロシージャに関連付けられ得る。測定はまた、または代わりに、限定はしないが、モビリティ関係測定（例えば、セル／シグネチャ／ＴＲＰＧまたはＲＡＴ内または間）、無線リンク監視（ＲＬＭ）関係論理、無線リンク障害（ＲＬＦ）関係論理、復調プロセスなどを含む、１つまたは複数の他のＷＴＲＵプロシージャに関連付けられ得る。
【０１４８】
測定のための目的がＳＯＭに対応し得る。例えば、測定は、特定のサービス、トランスポートチャネル（ＴｒＣＨ）、および／または物理チャネル（またはそれのタイプ）の動作に関連付けられ得る。
【０１４９】
測定は、例えば、ＷＴＲＵによってローカルに使用され得、および／またはＷＴＲＵによって少なくとも１つのＴＲＰに報告され得るフィードバックを与えるために使用され得る。ＷＴＲＵは、１つまたは複数のＲＭＲに対する特定の測定を実施するように、動的にまたは半静的に構成され得る。ＷＴＲＵは、１つまたは複数のＲＭＲに対してとられるべき測定を自律的に決定し得る。
【０１５０】
いずれか１つまたは複数の測定は、いくつかの目的のうちのいずれか１つまたは複数のために実施され得る。測定は、ＴＲＰを識別するために使用され得る。１つまたは複数のＲＭＲが、１つまたは複数のＴＲＰの存在を決定するためにＷＴＲＵによって使用され得る場合、そのような１つまたは複数のＲＭＲの測定は、１つまたは複数のＴＲＰを識別するために使用され得る。ＲＭＲは、ＴＲＰ識別子を（例えば、パラメータを介して）暗黙的にまたは明示的に示し得る。本明細書で使用されるＴＲＰは、ノードおよび／または送信設定を指すことがある。例示的な送信設定は、ＴＲＰによって使用される特定のビームを含み得る。
【０１５１】
測定は、別のＷＴＲＵを識別するために使用され得る。ＲＭＲは、第２のＷＴＲＵまたは他のＷＴＲＵのセットの存在を決定するために第１のＷＴＲＵによって使用され得る。あるいは、または追加として、ＲＭＲは、第２のＷＴＲＵまたは他のＷＴＲＵのセットを識別するために第１のＷＴＲＵによって使用され得る。第２のＷＴＲＵは、第１のＷＴＲＵのために構成されたＲＭＲ中に送信するように構成され得る。第２のＷＴＲＵは、第１のＷＴＲＵに識別情報を明示的にまたは暗黙的に与え得る信号を送信し得る。
【０１５２】
測定は、同期のために使用され得る。ＷＴＲＵは、１つまたは複数のＴＲＰとおよび／または別の１つまたは複数のＷＴＲＵと同期するためにＲＭＲを使用し得る。ＲＭＲは、粗いおよび／または細かい時間同期のために使用され得る。さらに、または代わりに、ＲＭＲは、粗いおよび／または細かい周波数同期のために使用され得る。
【０１５３】
測定は、１つまたは複数のモビリティ測定を実施するために使用され得る。上位レイヤ測定と呼ばれることもある、モビリティ測定は、ＲＭＲ受信電力（例えば、１つまたは複数のＲＭＲ上で測定された電力）、ＲＭＲ受信品質（例えば、信号強度インジケータによって分割された１つまたは複数のＲＭＲ上で測定された電力）、およびＲＭＲ信号強度指示（例えば、１つまたは複数のシンボル上で測定された電力）のうちの１つまたは複数を含み得る。
【０１５４】
測定は、１つまたは複数のＴＲＰおよび／または別の１つまたは複数のＷＴＲＵのための経路損失推定（または同様の測定）を決定するために使用され得る。そのような測定は、１つまたは複数の他のパラメータと組み合わせて使用され得る。ＲＭＲは、固定送信電力または構成可能な送信電力を有し得、それらのいずれかは、ＷＴＲＵにおいて知られるか、またはそれに示され得る。このＷＴＲＵは、経路損失を決定するためにＲＭＲの送信電力と組み合わせてＲＭＲの受信電力を使用し得る。
【０１５５】
測定は、ＣＳＩ測定を実施するために使用され得る。ＷＴＲＵは、限定はしないが、ランク、好ましいプリコーダ行列、チャネル品質、選択されたサブバンド、干渉、主要な干渉物識別、好ましいビーム、好ましいチャネル、信号対干渉プラス雑音比（ＳＩＮＲ）、チャネルアウテージ、ＷＴＲＵ速度、コヒーレンス時間、およびコヒーレンス帯域幅のうちの１つまたは複数を含み得る、ＣＳＩ測定を取得するためにＲＭＲを使用し得る。
【０１５６】
測定は、無線リンク監視（ＲＬＭ）を実施するために使用され得る。ＷＴＲＵは、ＲＬＭを実施するためにＲＭＲを使用し得る。ＷＴＲＵは、受信信号強度が閾値を上回り得るかどうかを決定し得る。閾値は、必要とされる制御チャネルブロックエラーレート（ＢＬＥＲ）性能に関連付けられ得る。そのような閾値は構成可能であり得る。閾値は、ＷＴＲＵの送信および／または受信のパラメータに依存し得る。例えば、異なるトラフィックタイプ（例えば、ｅＭＢＢ、超高信頼および低レイテンシ通信（「ＵＲＬＬＣ」）、ｍＭＴＣ）は、異なる関連付けられた閾値を有し得る。
【０１５７】
測定は、復調を実施するために使用され得る。ＷＴＲＵは、復調において使用され得るチャネル推定を実施するためにＲＭＲを使用し得る。
【０１５８】
測定は、擬似コロケーション（ＱＣＬ）を実施するために使用され得る。ＷＴＲＵは、細かい周波数および／またはタイミング推定を取得するためにＲＭＲを使用し得る。ＱＣＬ測定は、ドップラーシフト、ドップラー拡散、平均遅延、および遅延拡散のうちの１つまたは複数を含み得る。第１のＲＭＲ上で取得されるＱＣＬ情報は、第２または他のＲＭＲとともに使用され得る。
【０１５９】
測定は、クリアチャネルアセスメントを実施するために使用され得る。ＷＴＲＵは、例えば、無認可チャネルのためのクリアチャネルアセスメントを決定するために使用され得る１つまたは複数の測定を実施するためにＲＭＲを使用し得る。
【０１６０】
測定は、信号構造識別を実施するために使用され得る。ＷＴＲＵは、好ましい信号構造を決定するためにＲＭＲを使用し得る。あるいは、または追加として、ＷＴＲＵは、使用中であり得る信号構造をブラインドで決定するためにＲＭＲを使用し得る。ＷＴＲＵは、異なる信号構造を仮定する測定を実施し得、使用中の信号構造を決定するために相関受信機を使用し得る。
【０１６１】
測定は、チャネル占有の決定を実施するために使用され得る。ＷＴＲＵは、チャネルを使用していることがあるデバイスの数を決定するためにＲＭＲを使用し得る。例えば、ＷＴＲＵは、チャネル占有を決定するために他のデバイス（例えば、他のＷＴＲＵ）からの信号メッセージを検出するためにＲＭＲを使用し得る。あるいは、または追加として、ＷＴＲＵは、リソースのセットの利用（例えば、データを送信するために他のデバイスによって使用されるリソースの一部分）を測定するためにＲＭＲを使用し得る。リソースのセットの利用は、エネルギー検出および／または制御チャネル検出に基づいて決定され得る。ＷＴＲＵは、異なるチャネル占有値に結びつけられ得る異なる測定閾値で構成され得る。チャネル占有はまた、または代わりに、測定が測定オケージョンのセット中で測定閾値をどのくらいの頻度で上回るまたは下回るかに応じて決定され得る。
【０１６２】
測定は、ＲＭＲの測定、ＲＭＲの存在、および／またはＲＭＲのパラメータに基づいて、チャネル利用のタイプの決定を実施するために使用され得る。ＷＴＲＵは、現在のチャネル利用タイプに応じて、チャネル（例えば、共有アクセスチャネル）への限定アクセスを有し得る。チャネル利用タイプは、ＳＯＭ、送信タイプ（例えば、ＵＲＬＬＣまたはｍＭＴＣ）、またはユーザの共有スペクトルティア（例えば、インカンベント、優先アクセスライセンス（ＰＡＬ）ティア、一般認可アクセス（ＧＡＡ）ティア）であり得る。ＷＴＲＵは、ブランキングされたＲＭＲで構成され得る。そのようなＷＴＲＵは、例えば、チャネル利用のタイプを決定するために、そのようなブランキングされたＲＭＲの１つまたは複数のリソース内に存在し得る干渉のタイプを決定し得る。例では、そのようなＷＴＲＵはまた、干渉のタイプのそのような決定に基づいて、１つまたは複数の他の決定を実施し得る。
【０１６３】
測定は、速度および／またはドップラー推定を実施するために使用され得る。ＷＴＲＵは、ＷＴＲＵの速度を推定するために１つまたは複数のＲＭＲを使用し得る。ＷＴＲＵはまた、または代わりに、速度推定目的のためにネットワークに測定をフィードバックするために１つまたは複数のＲＭＲを使用し得る。そのような測定は、１つまたは複数の関連付けられた信号の受信の相対的タイミングに基づき得る。
【０１６４】
測定は、測位を決定するために使用され得る。ＷＴＲＵは、ＷＴＲＵの位置を決定するために１つまたは複数のＲＭＲを使用し得る。ＷＴＲＵはまた、または代わりに、位置決定目的のためにネットワークに測定をフィードバックするために１つまたは複数のＲＭＲを使用し得る。１つまたは複数の関連付けられた信号は、測位を可能にするように設計され得る。
【０１６５】
任意の測定目的および測定タイプ、並びにそれらの任意の組合せが、本開示に従って実施され得る。任意の測定目的および測定タイプ、並びにそれらの任意の組合せが、本開示による構成態様であり得る。全てのそのような測定目的および測定タイプ、並びにそれらの任意の組合せは、本開示の範囲内のものとして企図される。
【０１６６】
ＷＴＲＵは、１つまたは複数のＲＭＲ構成を「ブラインドで」決定し得る。そのような決定は、信号および／またはＲＭＲの送信および／または送信パラメータに基づき得、それらのいずれかまたは両方は、ＷＴＲＵがそれについて構成を決定していることがあるＲＭＲに関連付けられないことがある。ＷＴＲＵは、信号構造、ＳＯＭ、および／またはフレーム構造に基づいて、１つまたは複数のＲＭＲ構成を決定し得る。使用中の波形が、１つまたは複数のＲＭＲ構成を示し得る。
【０１６７】
ＷＴＲＵは、例えば、ＷＴＲＵがそれについて構成を決定することを試みていることがある１つまたは複数のＲＭＲに関連付けられないことがある、ダウンリンク信号に応じて、１つまたは複数のＲＭＲ構成を決定し得る。ＷＴＲＵは、１つまたは複数のアクセスパラメータに応じて１つまたは複数のＲＭＲ構成を決定し得る。例えば、ＷＴＲＵは、ＴＲＰ識別情報、ＴＲＰＧ識別情報、システムシグネチャ、セル識別情報、および／または例えば、プリアンブルの送信に適用可能であり得る物理リソースを使用してＲＭＲ構成を決定し得る。ＷＴＲＵは、プリアンブル送信（例えば、選択されたプリアンブル、ＰＲＡＣＨリソース、適用可能なサブフレーム）に応じて、および／または例えば、ランダムアクセスＲＮＴＩ（ＲＡ−ＲＮＴＩ）など、応答を復号するための無線ネットワーク一時識別子（ＲＮＴＩ）に応じて、１つまたは複数のＲＭＲ構成態様を決定し得る。
【０１６８】
ＷＴＲＵは、１つまたは複数のＲＭＲの送信および／または受信のために構成され得る。そのような構成は、動的、半静的、または静的であり得る。ＲＭＲ構成は、物理レイヤおよび／または１つまたは複数の上位レイヤを介して示され得る。ＷＴＲＵが１つまたは複数のＲＭＲ構成で半静的に構成され得る場合、そのような構成のうちの１つまたは複数は、それぞれのＲＭＲ  ＩＤに結びつけられ得る。半静的構成は、システム情報および／または上位レイヤシグナリング（例えば、ＲＲＣ）を介して実装され得る。ＲＭＲは、いくつかの例ではＲＭＲ  ＩＤの指示を使用して、動的にアクティブ化および／または非アクティブ化され得る。ＲＭＲ  ＩＤの指示は、ＰＨＹレイヤシグナリング（例えば、ＤＣＩ、または別のデバイスからの制御チャネル）を使用して通信され得る。
【０１６９】
「ＲＭＲ」、「ＲＭＲ構成」、「ＲＭＲインスタンス化」、「ＲＭＲアクティブ化」、および「ＲＭＲ非アクティブ化」は、本明細書では互換的に使用され得る。これらの用語のうちのいずれか１つまたは複数に関連付けられるものとして本明細書で説明される任意の態様は、これらの用語のうちの任意の他のもの、並びに任意のそれぞれのデバイス、システム、および方法に適用可能であるものとして企図される。
【０１７０】
ＲＭＲ、ＲＭＲ構成、および／またはＲＭＲインスタンス化は、それぞれのＲＭＲ、ＲＭＲ構成、および／またはＲＭＲインスタンス化を識別し得る、ＲＭＲ  ＩＤなど、関連付けられた識別子を含み得る。
【０１７１】
ＲＭＲ、ＲＭＲ構成、および／またはＲＭＲインスタンス化は、ＲＭＲリソースマッピングを含み得る。そのようなリソースマッピングは、サブキャリアおよび／またはシンボルロケーションのうちの１つまたは複数を含み得る。そのようなリソースマッピングはまた、または代わりに、フレーム内にあり得るサブフレームのうちの１つまたは複数を含み得る。そのようなリソースマッピングはまた、または代わりに、サブフレームオフセット、ＴＴＩオフセットのうちの１つまたは複数を含み得、それらの各々または両方は、サブフレーム周期性またはＴＴＩ周期性に関連付けられ得る。そのようなリソースマッピングはまた、または代わりに、例えば、ＲＭＲがＷＴＲＵによって受信され得る１つまたは複数のビームに関連付けられ得るアンテナポートの１つまたは複数の指示を含み得る。
【０１７２】
ＲＭＲ、ＲＭＲ構成、および／またはＲＭＲインスタンス化は、ＲＭＲ存在持続時間および／またはそれの指示を含み得る。そのような構成は、（例えば、１つまたは複数のサブフレーム内にあり得る１つまたは複数のシンボル上の）ＲＭＲの単一のインスタンスに関連付けられ得る。そのような構成はまた、または代わりに、ＲＭＲの複数のインスタンスに関連付けられ得る。ＷＴＲＵは、ＲＭＲで構成され得、１つまたは複数の関連するシンボルおよび／またはサブフレーム中のこのＲＭＲの存在を仮定し得る。いくつかの例では、そのようなＷＴＲＵは、周期性で構成され得、ＷＴＲＵが、ＲＭＲの存在を仮定することを中止するように、関連付けられたＴＲＰまたは他のデバイスによって命令され得るまで、ＲＭＲの存在を仮定し得る。あるいは、または代わりに、ＲＭＲ構成は、構成が有効である期間を含み得る。そのような期間は、シンボル、サブフレーム、フレーム、時間単位、または任意の他の単位または測度において測定され得る。
【０１７３】
ＲＭＲ、ＲＭＲ構成、および／またはＲＭＲインスタンス化は、ＲＭＲ周波数を含み得る。ＲＭＲ構成は、サブバンド、サブキャリアのセット、および／または周波数ブロックに関連付けられ得る。ＷＴＲＵは、サブバンドのセットに適用可能なＲＭＲで構成され得、その後、サブバンドのそのセット内に含まれている特定のサブバンド中のＲＭＲを除去する（または非アクティブ化する）ように構成され得る。
【０１７４】
ＲＭＲ、ＲＭＲ構成、および／またはＲＭＲインスタンス化は、ＲＭＲ測定目的および／もしくは関連付けられたプロシージャ、またはそれらの指示を含み得る。そのような目的および／またはプロシージャは、ＲＭＲのＷＴＲＵに１つまたは複数の目的を示し得る。例えば、ＲＭＲは、１つまたは複数の並行データ送信とともに送信されるように構成され得る。そのようなＲＭＲ構成は、例えば、復調の目的との関連付けを含み得る。同じＲＭＲについて、ＲＭＲ構成は、例えば、ＣＳＩフィードバックの目的との関連付けを含み得る。そのような例では、ＷＴＲＵは、測定構成と１つまたは複数のプロシージャ（例えば、復調、モビリティ、無線リンク監視など）との間の関連付けを決定し得る。
【０１７５】
ＲＭＲ、ＲＭＲ構成、および／またはＲＭＲインスタンス化は、ＲＭＲ測定構成を含み得る。ＲＭＲ測定構成は、ＷＴＲＵに、複数のＲＭＲおよび／またはＲＭＲの複数のリソース間の関係を示し得る（例えば、ＲＭＲの複数のリソースが、例えば、ＲＭＲの１つのインスタンス化内で使用される各個々のリソースとして定義され得、および／またはＲＭＲの複数のリソースが、時間期間内に複数回送信されるように定義され得る）。ＷＴＲＵは、それが同じ測定タイプをそれに対してとり得る複数のＲＭＲで構成され得る。そのような例では、ＲＭＲ測定構成は、ＷＴＲＵに、複数の（例えば、全ての）ＲＭＲが同じ瞬時チャネル実現形態を表すと仮定され得ることを示し得る。そのようなＷＴＲＵは、短期チャネル測定を実施し得る。あるいは、または代わりに、ＲＭＲ測定構成は、ＷＴＲＵに、構成されたＲＭＲのセット（またはＲＭＲを含むリソースのセット）が、複数のチャネル実現形態にわたると仮定され得ることを示し得る。そのような例では、ＷＴＲＵは、長期チャネル統計タイプ測定を実施し得る。
【０１７６】
ＲＭＲ、ＲＭＲ構成、および／またはＲＭＲインスタンス化は、ＲＭＲプロセスに関連付けられ得るＲＭＲ測定構成を含み得る。そのようなプロセスは、ＲＭＲインスタンスのセットに関連付けられ得る。ＲＭＲ構成（例えば、動的にシグナリングされたＲＭＲ構成）は、例えば、情報要素（ＩＥ）を介して、ＲＭＲプロセスＩＤを示し得る。このＩＥは、ＲＭＲに対してとられた測定が、識別されたＲＭＲプロセスの前のＲＭＲインスタンスに対してとられた測定と組み合わせられ（例えば、平均化され）得るかどうかをＷＴＲＵに示し得る。
【０１７７】
ＲＭＲ、ＲＭＲ構成、および／またはＲＭＲインスタンス化は、ＲＭＲ依存性の指示を含み得る。第１のＲＭＲまたはＲＭＲプロセスは、第２のＲＭＲもしくはＲＭＲプロセスに対する依存性、またはそれとの関連付けで構成され得る。ＷＴＲＵは、第２のＲＭＲまたはＲＭＲプロセスのＷＴＲＵの使用に基づいて、そのような第１のＲＭＲまたはＲＭＲプロセスのそれの使用を修正し得る。例えば、ＷＴＲＵは、復調のためのチャネル推定の目的を有し得る第１のＲＭＲまたはＲＭＲプロセスで構成され得る。この第１のＲＭＲまたはＲＭＲプロセスは、単独で、ＷＴＲＵが十分なチャネル推定を取得することを可能にしないことがある。このＷＴＲＵは、それが、第１のＲＭＲまたはＲＭＲプロセスを使用して実施されるチャネル推定を改善し得る１つまたは複数の測定をそれを用いて行い得る第２のＲＭＲまたはＲＭＲプロセスで構成され得る。ＷＴＲＵは、第２のＲＭＲまたはＲＭＲプロセスのためのＱＣＬ情報（例えば、ドップラーシフト、ドップラー拡散、平均遅延、遅延拡散）を取得し、第１のＲＭＲまたはＲＭＲプロセスのためのチャネル推定を実施するとき、第２のＲＭＲに関連付けられたそのようなＱＣＬ情報を使用し得る。あるいは、または代わりに、第１のＲＭＲまたはＲＭＲプロセスは、参照（第１の）ＲＭＲまたはＲＭＲプロセスに対する依存性を有するように構成され得る第２のＲＭＲまたはＲＭＲプロセスを用いて使用され得る参照ＲＭＲまたはＲＭＲプロセスとして構成され得る。
【０１７８】
ＲＭＲ、ＲＭＲ構成、および／またはＲＭＲインスタンス化は、１つまたは複数の関連付けられたＴＲＰおよび／またはＷＴＲＵの指示を含み得る。この指示は、測定され得る信号のソースを示し得る。測定され得る信号のソースが別のＷＴＲＵであり得る場合、ＴＲＰ／ＷＴＲＵ値は、例えば、直接通信のために使用され得るＬ２  ＷＴＲＵ識別情報に対応し得る。測定され得る信号のソースがｅノードＢであり得る場合、ＴＲＰ／ＷＴＲＵ値は、例えば、セルＩＤ、ＴＲＰ識別情報、ＴＲＰＧ識別情報、および／またはそれらの（例えば、アクセステーブルからのおよび／またはシステム情報からの）アクセスパラメータに対応し得る。
【０１７９】
ＲＭＲの開示されるパラメータのうちのいずれか１つまたは複数が、ＷＴＲＵによって自律的に決定され得る。ＷＴＲＵは、ＲＭＲのセットまたはＲＭＲを含むリソースのセットが瞬時チャネル実現形態をカバーし得ると自律的に決定し得る。あるいは、または追加として、ＷＴＲＵは、ＲＭＲのセットまたはＲＭＲを含むリソースのセットが複数のチャネル実現形態をカバーし得ると自律的に決定し得る。ＷＴＲＵは、例えば、ＷＴＲＵの速度、遅延拡散推定値、コヒーレンス時間、および／またはコヒーレンス帯域幅に基づいて、そのような決定を行い得る。
【０１８０】
ＷＴＲＵは、１つまたは複数の測定をフィードバックすると、ネットワークにＲＭＲ構成パラメータに関連付けられたＷＴＲＵの仮定のうちの１つまたは複数を示し得る（例えば、そのような１つまたは複数の測定は、ＷＴＲＵの仮定のうちの１つまたは複数に依存し得る１つまたは複数のそれぞれの値に関連付けられ得る）。ネットワークにそのような仮定および／または測定を与えるべきかどうかの決定が、ＲＭＲの同じまたは他のセットに関連付けられた結果など、別の測定結果に応じて行われ得る。例えば、ＷＴＲＵは、ＲＭＲの第１のセット上のコヒーレンス時間を測定し得、ＲＭＲの第２のセットが単一のチャネル実現形態にわたり得るのか複数のチャネル実現形態にわたり得るのかを自律的に決定するためにその値を使用し得る。
【０１８１】
ＲＭＲ構成、アクティブ化、および／または非アクティブ化は、動的な様式でＷＴＲＵに示され得る。例えば、ＲＭＲ構成、アクティブ化、および／または非アクティブ化は、ＴＲＰ固有、（例えば、ＴＲＰおよび／またはデバイスによってサービスされるＷＴＲＵのサブグループのための）グループ固有、および／またはＷＴＲＵ固有であり得る。そのようなＲＭＲ構成、アクティブ化、および／または非アクティブ化は、ブロードキャストメッセージ中で示され得る。
【０１８２】
アクセステーブルは、ＴＲＰに関連付けられたシステム情報の少なくとも一部を与えるために使用され得る。アクセステーブルは、１つまたは複数のＲＭＲを構成するために使用され得る１つまたは複数の要素を含み得る。
【０１８３】
ＲＭＲは、システム情報のＷＴＲＵ固有送信においてまたはそれによって構成され得る。
【０１８４】
ＲＭＲ指示は、制御チャネルおよび／またはそれの部分を使用して与えられ得る。例えば、ダウンリンク制御情報（ＤＣＩ）が、ＲＭＲ指示を与えるために使用され得る。ＲＭＲ構成ＤＣＩが、ＷＴＲＵにまたはＷＴＲＵのグループに送信され得る。そのようなＤＣＩは、一部または全部のＲＭＲ構成を含み得る。
【０１８５】
ＲＭＲはまた、または代わりに、セル固有目的のために使用され得る。ＷＴＲＵは、１つまたは複数の目的のためにＲＭＲに関連付けられたダウンリンク制御情報（例えば、スケジューリング、アクティブ化、および／または非アクティブ化）の受信のために使用され得るＲＮＴＩ（例えばＲＭＲ−ＲＮＴＩ）で構成され得る。共通ＲＮＴＩが、ＷＴＲＵに対して使用および構成され得る。ＲＭＲに関連付けられた目的は、モビリティ関係測定を実施すること、測位を実施すること、無線リンク監視を実施すること、およびセル収集を実施することのうちの１つまたは複数であり得る。
【０１８６】
ＷＴＲＵは、共通探索空間中のＲＭＲ構成に関連付けられたＤＣＩを復号し得る。そのようなＤＣＩは、ＲＭＲの１つまたは複数の特性を示し、および／またはＲＭＲのアクティブ化状態の変更を示し得る。ＤＣＩ指示は、１つまたは複数のＷＴＲＵに関連付けられた共通参照信号のために、および／または任意の他の１つまたは複数の目的のために、１つまたは複数の送信の動的制御を与えるために使用され得る。
【０１８７】
ＤＣＩを使用するＲＭＲ指示はまた、１つまたは複数の他の送信に関連付けられた情報を与え得る。例えば、１つまたは複数のＤＬ送信のスケジューリングのために使用されるＤＣＩはまた、ＲＭＲを構成、アクティブ化、および／または非アクティブ化するために使用され得る要素を含み得る。
【０１８８】
ＲＭＲ指示は、１つまたは複数のセル固有目的のために使用され得る。ＲＭＲ関係制御情報は、別の送信（例えば、１つまたは複数のマルチメディアブロードキャストマルチキャストサービス（ＭＢＭＳ）送信）、別個の測位参照信号（ＰＲＳ）、および／またはシステム情報ブロードキャストをスケジュールし、および／または示し得る、ＤＣＩ中に含まれ得る。
【０１８９】
ＲＭＲ指示は、スプリットＤＣＩ手法を使用して実装され得る。例えば、ＷＴＲＵは、マルチステップ物理レイヤシグナリング（例えば、ＤＣＩ）を予期し得る。本明細書で使用される「ＤＣＩ」は、任意の物理レイヤシグナリング方法を指すことがある。
【０１９０】
ＷＴＲＵは２ステップＤＣＩ手法を予期し得る。図６は、例示的なＤＣＩ構成およびアクティブ化／非アクティブ化プロセスを示す図６００を示す。ブロック６５１において、ＲＭＲ６０１および６０２など、少なくとも１つのＲＭＲの構成を送信するために、第１のＤＣＩ６１０（例えば、長期、広帯域、および／またはより頻度が低いＤＣＩ、ここで、より頻度が低いＤＣＩは複数のＷＴＲＵに適用可能であり得る）が使用され得る。第１のＤＣＩ６１０の構成は、１つの、（例えば、複数のＷＴＲＵに共通の）複数の、または（例えば、単一のＷＴＲＵに専用の）全てのＲＭＲパラメータを含み得る。第１のＤＣＩ６１０はまた、または代わりに、例えば、１つまたは複数の測定のために、リソースとして使用され得る、ＲＳ６３１およびＲＳ６３２など、１つまたは複数のＲＳを示し得る。
【０１９１】
ブロック６５２において、ＲＭＲ６０２など、第１のＤＣＩ６１０中でもそれのためのパラメータが与えられ得る同じＲＭＲのためのパラメータを与えるために、第２のＤＣＩ６２０（例えば、短期、サブバンド、および／または単一のＷＴＲＵまたは送信に適用可能であり得るより頻繁に送信されるＤＣＩ）が使用され得る。第２のＤＣＩ６２０は、（例えば、同じくＲＭＲ６０２に関連付けられ得る）第１のＤＣＩ６１０中で示されるパラメータよりもしばしば変化し得る、ＲＭＲ６０２など、ＲＭＲに関連付けられたパラメータを示し得る。
【０１９２】
例えば、ＷＴＲＵは、ブロック６５１において第１のＤＣＩ６１０中で、ＲＭＲのためのパラメータおよび／またはＲＭＲ（例えば、ＲＭＲ６０２）に関連付けられた構成に対する参照を受信し得る。そのようなＷＴＲＵは、ＷＴＲＵがそのようなＲＭＲを使用してさらなるアクションを実施すべきであるかどうかを決定し得る。例では、（例えば、サブバンドまたはサブバンドを制御するチャネル中にあるかまたはそれにわたる制御領域中で送信され得る）ブロック６５２における第２のＤＣＩ６２０の受信は、そのようなＷＴＲＵを、いくつかの例では、第２のＤＣＩ６２０によって使用されるサブバンド上でのＲＭＲの実際の送信を予期するようにトリガし得る。
【０１９３】
ＷＴＲＵは、ブロック６５２において、第２のＤＣＩ６２０など、ＤＣＩを受信し得、ＤＣＩは、ＲＭＲ６０２など、１つまたは複数のＲＭＲが、オンにされる（例えば、アクティブ化され、および／または、関連付けられた送信のために適用可能である）かまたはオフにされる（非アクティブ化される）ことがあることを示し得る。例えば、第２のＤＣＩ６２０は、例えば、特定の時間スケール上でＲＭＲ６０２を動的にオンおよび／またはオフにするためにブロック６５２において使用され得る。そのような時間スケールは、シンボル（またはそれの複数）、サブフレームおよび／もしくはＴＴＩ（またはそれの複数）、並びに／またはサブバンド（またはそれの複数）に対応し得る。
【０１９４】
第２のＤＣＩ６２０など、ＤＣＩは、限定はしないが、時間、周波数、コード、および／または空間など、パラメータを含み得る構成に基づいて、ＲＭＲ６０１およびＲＭＲ６０２の一方または両方など、ＲＭＲを動的にオンおよび／またはオフにするために使用され得る。そのようなパラメータは、ＲＭＲをどのようにおよび／またはいつ動的にオンおよび／またはオフにすべきかを決定するために使用され得る。あるいは、または追加として、第２のＤＣＩ６２０などのＤＣＩは、異なるサブフレーム（またはＴＴＩ）および／またはサブバンドのためのＲＭＲの目的を示し得る。
【０１９５】
第２のＤＣＩ６２０は、比較的短い時間フレーム内で、ＲＭＲ６０１など、ＲＭＲのパラメータを変更または調整するために使用され得る。例では、ブロック６５３において、第２のＤＣＩ６２０は、固定持続時間（例えば、ライフスパン）など、１つまたは複数のパラメータを用いてＲＭＲ６０１をアクティブ化し得る。そのような例では、第２のＤＣＩ６２０は、ブロック６５３において使用されるパラメータとは異なり得る１つまたは複数のパラメータを用いて、ブロック６５４においてＲＭＲ６０１をアクティブ化し得る。
【０１９６】
第２のＤＣＩ６２０は、ＲＭＲ６０１など、ＲＭＲを非アクティブ化するために使用され得る。例では、ブロック６５５において、第２のＤＣＩ６２０は、ＲＭＲ６０１を非アクティブ化し得る。
【０１９７】
ブロック６５６において、第１のＤＣＩ６１０は、ＲＭＲ６０３および６０４など、少なくとも１つの他のＲＭＲの構成を送信するために使用され得る。
【０１９８】
第２のＤＣＩ６２０など、第２のＤＣＩは、第１のＤＣＩ６１０など、第１のＤＣＩとの１つまたは複数の組合せにおいて適用可能であり得る。適切な第１のＤＣＩと適切な第２のＤＣＩとの組合せが、（例えば、第１のＤＣＩ６１０および第２のＤＣＩ６２０など、第１のおよび／または第２のＤＣＩ中で）明示的に示され得る。第１のＤＣＩ６１０など、第１のＤＣＩは、第２のＤＣＩ６２０など、第２のＤＣＩのためのスケジューリング情報および／または存在情報（例えば、存在指示）を含み得る。
【０１９９】
第１のＤＣＩと第２のＤＣＩとの間の関係が、暗黙的に決定され得る。第１のＤＣＩ６１０など、第１のＤＣＩは、１つまたは複数のサブバンド、シンボル、および／またはサブフレームのセットに関連付けられ得る。そのような第１のＤＣＩに関連付けられたサブフレームおよび／またはサブバンドのセット内でＷＴＲＵによって受信され得る、第２のＤＣＩ６２０など、第２のＤＣＩは、そのようなＷＴＲＵによって、そのような第１のＤＣＩに関連付けられると仮定され得る。
【０２００】
図７は、例示的なＤＣＩプロセスを示す図７００を示す。ブロック７１０において、ＷＴＲＵは、例えば、ＵＬ上で１つまたは複数のＲＳについての要求を送信し得、ここで、そのようなＷＴＲＵは、それが性能劣化を経験し得ると決定し得る。例では、そのような要求は送信されないことがある。
【０２０１】
ブロック７２０において、ＤＣＩ７２１が、ＤＬ上でＲＳ７３１およびＲＳ７４１を示し得る。ＤＣＩ７２１は、ＲＳ７３１およびＲＳ７４１がＣＳＩ測定のために使用され得るリソースであり得ることを示し得る。ＲＳ７３１は、ブロック７３０において与えられ得、ＲＳ７４１は、ブロック７４０において与えられ得る。
【０２０２】
ブロック７５０において、後続のＤＣＩ７５１が、ＤＬ中でＣＳＩ報告７６１を要求し得る。例では、ＲＳ７３１は信号に関連付けられ得、ＲＳ７４１は干渉に関連付けられ得る。あるいは、ＲＳ７４１は信号に関連付けられ得、ＲＳ７３１は干渉に関連付けられ得る。ブロック７６０において、ＣＳＩ報告７６１はＵＬ中で送信され得る。
【０２０３】
ＷＴＲＵはＲＭＲアクティブ化を逃し得る。そのようなＷＴＲＵは、１つまたは複数の構成された測定を実施しないことがある。そのようなＲＭＲに関連付けられた測定および／またはチャネル推定プロシージャ（例えば、データ復調、測定フィードバック）は、実施することが困難であり得る。いくつかの例では、そのような測定プロシージャは、実施されることが可能でないことがある。そのような例では、ＷＴＲＵは、例えば、１つまたは複数の関連付けられたサービングＴＲＰに、関連付けられたプロシージャを実施することに失敗したことを報告し得る。そのようなＷＴＲＵは、失敗の原因を、ＲＭＲがないこととして示し得る。
【０２０４】
ＷＴＲＵはＲＭＲ非アクティブ化を逃し得る。そのようなＷＴＲＵは、非アクティブ化がそれについて逃されたＲＭＲに関連付けられた１つまたは複数の目的に関連付けられた１つまたは複数の測定および／または他のタスクを実施することを試み続け得る。そのようなＷＴＲＵは、ＲＭＲが存在することをＷＴＲＵが間違って予期する、１つまたは複数のリソースを使用して、そのような１つまたは複数の測定および／または他のタスクを実施することを試み得る。例では、ＷＴＲＵは、例えば、第１のＲＭＲインスタンスへのある程度の依存を有したとＷＴＲＵが仮定し得る第２のＲＭＲインスタンスとの比較に基づいて、第１のＲＭＲインスタンスに対してとられていることがある１つまたは複数の測定の異常な変化を決定することが可能であり得る。そのようなＷＴＲＵは、それが予期されない変化を経験したことをＴＲＰに報告し得る。そのような報告に基づいて、ＴＲＰは、ＷＴＲＵがＲＭＲ非アクティブ化を成功裡に受信しなかったと決定し得る。
【０２０５】
ＲＭＲプロセスは、複数のＲＭＲインスタンスを含み得る。ＷＴＲＵは、第１のＲＭＲプロセスの異なるＲＭＲインスタンスに基づいてとられる測定の類似度を予期し得る。測定が、例えば、（構成可能であり得る）閾値量だけ変化した場合、ＷＴＲＵは、予期されない変化が起こっていることがあると決定し得、そのような予期されない変化の指示をＴＲＰに与え得る。
【０２０６】
ＷＴＲＵは、チャネル推定のためにＲＭＲプロセスを使用し得、および／または、信号強度が、例えば、２つの連続するＲＭＲ値を上回る閾値量超だけ変化したと決定し得る。そのようなＷＴＲＵは、そのような決定をＴＲＰに示し得る。
【０２０７】
ＷＴＲＵは、ＲＭＲ非アクティブ化および／またはＲＭＲアクティブ化の受信に肯定応答し得る。ＷＴＲＵは、１つまたは複数の長期ＲＭＲプロセスのためのＲＭＲ非アクティブ化および／またはＲＭＲアクティブ化の受信に肯定応答し得る。ＷＴＲＵは、フィードバック測定がそれについて適用可能であり得る１つまたは複数のＲＭＲインスタンスを示し得る。
【０２０８】
ＲＭＲの存在は、暗黙的様式でＷＴＲＵに示され得る。例えば、ＷＴＲＵは、暗黙的手段を介してＲＭＲの存在を決定し得る。１つまたは複数のＤＬリソースを付与し得るＤＣＩは、例えば、１つまたは複数のＤＬ送信を復調する際に使用するために、ＲＭＲの存在を、暗黙的に構成し、アクティブ化し（例えば、１つまたは複数の送信に適用可能であり）、および／または示し（例えば、関連付けられた送信に適用可能であり）得る。
【０２０９】
ＲＭＲの存在は、ＷＴＲＵに測定フィードバックを要求すると、決定され得る。
【０２１０】
第２のＲＭＲの受信は、第１のＲＭＲの受信に依存し得る。例えば、ＷＴＲＵは、送信されることを含むかもしくはそれに関連付けられ得る第１のＲＭＲによって構成および／またはアクティブ化され得、そのような構成は、第１のＲＭＲの存在をＷＴＲＵに暗黙的に示し得る。
【０２１１】
１つまたは複数の参照信号、またはそれらの、第２のＲＭＲのための１つまたは複数の測定の受信は、第１のＲＭＲの受信への依存性を有し得る。例えば、ＷＴＲＵは、第２のＲＭＲの同様の構成および／またはアクティブ化状態（例えば、アクティブ化または存在）を示し得る第１のＲＭＲで構成され、および／またはそれの存在を予期するためにアクティブ化され得る。そのようなＷＴＲＵは、例えば、そのような第２のＲＭＲに対する１つまたは複数の測定をトリガするために使用され得る成果を決定するために、そのような第１のＲＭＲに対する測定を受信および／または実施し得る。
【０２１２】
ＲＭＲの指示は、例えば、１つまたは複数の送信パラメータの構成された変更に基づいて、暗黙的に決定され得る。ＷＴＲＵは、ＳＯＭ、フレーム構造、および／もしくは信号構造を再構成するようにとの指示並びに／または命令を受信し得る。関連付けられたＲＭＲはまた、再構成され得る。そのようなＲＭＲ再構成は、あらかじめ決定され得る。
【０２１３】
ＲＭＲ再構成は、新しい信号構造の機能に基づき得る。あるいは、または追加として、ＲＭＲ構成は、信号構造に関連付けられると仮定され得る。そのような信号構造の変更は、関連付けられたＲＭＲの非アクティブ化を示し得る。ＷＴＲＵは、（信号構造などの）１つまたは複数の送信パラメータのためのＲＭＲ構成を記憶し得る。例えば、前に使用された送信パラメータのセットを使用するように再構成されると、そのようなＷＴＲＵは、送信パラメータのそのようなセットに関連付けられた１つまたは複数の前に構成されたＲＭＲおよび／または１つまたは複数のＲＭＲ構成を再利用し得る。
【０２１４】
ＲＭＲ構成は、１つまたは複数のＴＲＰ、ＴＲＰＧ、システムシグネチャ、セル識別情報など、またはそれらの任意の組合せに関連付けられ得る。そのようなＴＲＰ、ＴＲＰＧ、システムシグネチャ、セル識別情報など、またはそれらの任意の組合せ（例えば、モビリティイベント）のうちの１つまたは複数を修正し得るＷＴＲＵの再構成は、関連付けられたＲＭＲ構成を再構成し得る。例えば、ＷＴＲＵは、事前構成および／またはＲＭＲ構成のリストに基づいて、適用可能なＲＭＲ構成を決定し得、それらの各々は、１つまたは複数のＴＲＰ、ＴＲＰＧ、システムシグネチャ、セル識別情報など、またはそれらの任意の組合せに関連付けられ得る。
【０２１５】
ＷＴＲＵに送信され、および／またはそれから受信され得る１つまたは複数のＤＬおよび／またはＵＬ送信のために、例示的なフレーム構造が使用され得る。そのような例示的なフレーム構造は、ＴＲＰによって送信され、ＷＴＲＵおよび／または別のＴＲＰによって受信され得るプリアンブルを含み得る。このプリアンブルは、フレーム構造の始まりより前にまたは始まりにおいて、いくつかの例では、フレーム構造の始まりの直前に、送信および／または受信され得る。そのようなプリアンブルは、半静的に構成され得るＲＭＲを含み得る。そのようなＲＭＲは、プリアンブル内で送信され得る情報の復調を可能にし得る。
【０２１６】
プリアンブルは、そのようなプリアンブルがそれについて送信され得るフレームおよび／またはサブフレームのセットのうちの少なくとも１つ中にあり得る１つまたは複数の制御領域のために使用され得るＲＭＲ（例えば、プリアンブルに並行して送信され得るＲＭＲ）を含んでいることがある。あるいは、または代わりに、プリアンブルは、そのようなプリアンブルがそれについて送信され得るフレームおよび／またはサブフレームのセットのうちの少なくとも１つ中の１つまたは複数の制御領域のために使用され得るＲＭＲの存在および／または１つまたは複数のパラメータを決定するようにそのようなＷＴＲＵに示し、および／または命令するＷＴＲＵへの指示を含み得る。プリアンブルの送信は、限定はしないが、本明細書で説明されるように、第１のＤＣＩおよび／または第２のＤＣＩなど、ＤＣＩの送信を含み得る。
【０２１７】
プリアンブルは、１つまたは複数のＲＭＲのための構成を含み得る。そのようなプリアンブルに関連付けられ、および／またはそれとともに含まれるＲＭＲ構成は、プリアンブルがそれについて送信され得るフレームまたはフレームのセットについて有効であり得る。そのようなプリアンブルに関連付けられ、および／またはそれとともに含まれるＲＭＲ構成は、プリアンブルがそれについて送信されたフレーム（またはサブフレーム）のサブセットについて有効であり得る。プリアンブル送信は、限定はしないが本明細書で説明されるように、第１のＤＣＩおよび／または第２のＤＣＩなど、ＤＣＩの送信を含み得る。
【０２１８】
ＷＴＲＵは、１つまたは複数のＴＲＰ、ＴＲＰＧ、システムシグネチャ、セル識別情報など、またはそれらの任意の組合せのための１つまたは複数のダウンリンクおよび／またはアップリンク送信のために適用可能であり得るＲＭＲを決定し得る。あるいは、または追加として、ＷＴＲＵは、ランダムアクセス（ＲＡ）プリアンブルの送信の関数であり得るランダムアクセス応答（ＲＡＲ）を含んでいることがある１つまたは複数のダウンリンクおよび／またはアップリンク送信のために適用可能であり得るＲＭＲを決定し得る。あるいは、または追加として、ＷＴＲＵは、１つまたは複数のＴＲＰ、ＴＲＰＧの識別情報、システムシグネチャ、セル識別情報など、またはそれらの任意の組合せに応じてＲＡＲを含み得る送信のために適用可能であり得るＲＭＲを決定し得る。
【０２１９】
ＲＭＲは、ＷＴＲＵが専用シグナリングを使用してＲＭＲ（例えば、代替ＲＭＲパラメータ）を用いて再構成され得るまで、適用可能であり得る。そのようなＲＭＲは、１つまたは複数のプロシージャに関連付けられた送信のために、例えば、ランダムアクセスプロシージャのために、モビリティ関係再構成のために、モビリティ関係プロシージャ中に、および／またはＷＴＲＵが適用可能なＵｕ関連付けのための専用シグナリングを受信し得るまで、適用可能であり得る。例えば、ＷＴＲＵは、ＲＡプリアンブルの送信のために時間および／または周波数において使用され得る１つまたは複数のリソースに応じて、および／またはＲＡプリアンブルの送信のために使用されるＲＭＲに応じて、適用可能なＲＭＲを決定し得る。そのような決定は、関連付けられたＲＡＲの受信に適用可能であり得るＲＡ−ＲＮＴＩに応じて実施され得る。例では、そのような決定は、適用可能な識別情報と組み合わせて実施され得る。
【０２２０】
ＷＴＲＵは、データ送信および／または受信のために使用され得る１つまたは複数のリソースに基づいて、ＲＭＲを決定する（例えば、ＲＭＲを暗黙的に決定する）ように構成され得る。第１のＷＴＲＵは、別の（第２の）ＷＴＲＵとの接続を確立し得るか、または場合によってはそれとの通信を始め得る。第１および第２のＷＴＲＵは、互いと通信するために使用され得る１つまたは複数のリソースのセットを決定し得る。送信ＷＴＲＵであり得るそのようなＷＴＲＵのうちの１つは、所与の時間期間（例えば、スケジューリング期間）の間の１つまたは複数の送信のためのリソースのセットを選定し得る。関連付けられたＲＭＲは、所与の時間期間（例えば、スケジューリング期間）の持続時間の間有効であり得る。あるいは、または追加として、ＲＭＲは、１つまたは複数のリソース定義の一部として定義され得る。
【０２２１】
ＷＴＲＵは、それが、１つまたは複数のＲＭＲの送信および／または様々な機能のための１つまたは複数の既存のＲＭＲの再構成を使用し得ると決定し得る。ＷＴＲＵは、例えば、測位目的のために、オンデマンドＰＲＳ要求機構をサポートし得る。そのような要求は、適用可能なプロシージャ、所望の精度、速度推定などのうちの１つまたは複数など、１つまたは複数の要求パラメータを含み、および／または示し得る。ＷＴＲＵは、ＷＴＲＵ自律モビリティを実施するために、オンデマンドＲＭＲ要求機構をサポートし得る。
【０２２２】
ＷＴＲＵは、例えば、ＵＬ送信中でＲＭＲ要求を送信することによって、ＲＭＲの送信を要求し得る。ＷＴＲＵは、それがＲＭＲを要求し得る、周期ＵＬリソースを有し得る。そのようなＷＴＲＵは、それが１つまたは複数のＲＭＲの送信を望むとき、信号を送信し得、それは、それが１つまたは複数のＲＭＲの送信を望まないとき、サイレントのままであり得る。ＷＴＲＵは、ＷＴＲＵがＲＭＲを望むかどうかを示し得るコードポイントを送信し得る。
【０２２３】
ＷＴＲＵは、１つまたは複数の要求、情報、および／またはＲＭＲ要求でない任意の他のデータを含み得るＵＬ送信上のＲＭＲ要求を「ピギーバック」し得る（例えば、ＷＴＲＵは、ＲＭＲ要求を、それが場合によってはＲＭＲ要求でないことがあるＵＬ送信に伴うように、送信し得る）。ＷＴＲＵは、データの送信のためのＵＬリソースを付与され得、そのようなＷＴＲＵは、付与されたＵＬリソースにＲＭＲ要求を付加し得る。あるいは、または追加として、ＷＴＲＵは、それが送信することを望み得るＵＬフィードバックを有し得、それがＵＬフィードバックおよび／または１つまたは複数のＵＣＩ送信とともに送り得るＲＭＲ要求に付加し得る。例では、ＷＴＲＵは、ＤＬ送信の後にＵＬ  ＨＡＲＱを送信し得る。例では、ＷＴＲＵは、以前のＲＭＲ構成に基づいて報告すべきフィードバックを有し得る。そのようなＷＴＲＵは、そのようなフィードバックとともに、そのようなフィードバックを与える送信を用いたＲＭＲ構成の変更についての要求を含み得る。ＷＴＲＵは、ＷＴＲＵが１つまたは複数のＨＡＲＱフィードバックリソース中の１つまたは複数のＲＭＲの送信を望み得ることをＴＲＰに示し得る。
【０２２４】
ＷＴＲＵは、ＲＭＲについての要求を示すためにＵＬ制御領域を使用し得る。ＷＴＲＵは、ＵＬ送信を自律的にスケジュールし得、ＵＬ制御領域を使用してそうすることがある。制御領域（またはＵＬ制御領域中で送信されるＵＣＩ中のフィールド）内のチャネルが、１つまたは複数のＲＭＲ送信を要求するためにそのようなＷＴＲＵによって使用され得る。
【０２２５】
ＲＭＲについてのＷＴＲＵ要求は、ＲＭＲの目的の指示など、ＲＭＲの１つまたは複数のパラメータを含み得る。そのような要求は、要求のために使用される（例えば、時間、周波数、空間、および／または適用可能なヌメロロジーにおける）リソース、コードポイント、および／または要求の送信に関連付けられ得る任意の他の態様に応じて、（例えば、ＲＭＲの目的の指示を使用することによって）ＲＭＲの１つまたは複数の態様を暗黙的に示し得る。
【０２２６】
ＷＴＲＵは、１つまたは複数の様々な基準および／またはイベントによってＲＭＲの送信または再構成を要求するようにトリガされ得る。そのような基準および／またはイベントは、復調性能の変化であり得る。ＷＴＲＵが、あらゆるＤＬ送信中で復調のために使用されるＲＭＲを受信するとは限らないことがある場合、そのようなＷＴＲＵは、前のＤＬ送信と比較して、受信されたＤＬ送信のＳＩＮＲの変化を決定し得る。
【０２２７】
ＷＴＲＵは、ＷＴＲＵのデコーダの性能が変化したと決定し得る。そのようなＷＴＲＵは、１つまたは複数の将来のおよび／または前のＤＬ送信の復調におけるチャネル推定のために使用され得る新しいまたは再構成されたＲＭＲを要求するようにトリガされ得る。例えば、ＷＴＲＵは、１つまたは複数のＤＬ送信とともにスケジュールされ得、それのチャネル推定が古いことがあると決定し得る。そのようなＷＴＲＵは、１つまたは複数のＤＬ送信をバッファし得、１つまたは複数のスケジュールされたＤＬ送信とともにそのようなものを復調する際に使用するためのＲＭＲの送信を要求し得る。
【０２２８】
ＷＴＲＵは、再送信のための要望に基づいて、ＲＭＲの送信または再構成を要求するようにトリガされ得る。そのようなＷＴＲＵは、同じまたは複数のトランスポートブロックのための、あらかじめ決定されたまたは動的に決定された数のＮＡＣＫの受信時に、ＲＭＲを要求するようにトリガされ得る。そのようなＷＴＲＵはまた、または代わりに、同じまたは異なるＴＲＰから受信された、あらかじめ決定されたまたは動的に決定された数のＮＡＣＫの受信時に、ＲＭＲを要求するようにトリガされ得る。そのようなＷＴＲＵはまた、または代わりに、同じもしくは複数のトランスポートブロックのための、または同じもしくは異なるＴＲＰからのいくつかのＮＡＣＫを受信したことに基づいて、ＲＭＲの再構成を要求するようにトリガされ得る。そのような要求された再構成は、再構成されることを要求されるＲＭＲの密度とは異なる密度に関連付けられ得る。そのような密度は、再構成されることを要求されるＲＭＲの密度に関連付けられた性能とは異なり得る性能を可能および／または容易にし得る。
【０２２９】
ＷＴＲＵは、オーグメントされたＨＡＲＱフィードバックを与え得る。ＷＴＲＵは、ＨＡＲＱ報告中に１つまたは複数のチャネル推定性能値（例えば、ＳＩＮＲ、平均ＳＩＮＲ、測定の分散、最大測定、最小測定）を含め得る。そのような１つまたは複数のチャネル推定性能値は、ＨＡＲＱ報告がＮＡＣＫであるとき、いくつかの例では、そのようなＨＡＲＱ報告が１つまたは複数の特定の再送信値についてＮＡＣＫであるとき、含まれ得る。ＷＴＲＵは、例では、ＷＴＲＵがＲＭＲまたはＲＭＲ構成の変更を望むかどうかをＨＡＲＱフィードバック中で明示的に示し得、ここで、そのようなＲＭＲは１つまたは複数のＨＡＲＱプロセスに関連付けられ得る。ＷＴＲＵは、それが新しいまたは修正されたＲＭＲを望むことをＨＡＲＱフィードバック報告中で示し得、ここで、そのような新しいまたは修正されたＲＭＲは目的に関連付けられ得る。例では、ＷＴＲＵは、それが、例えば、１つまたは複数の現在のトランスポートブロック送信の性能により、１つまたは複数のモビリティ測定を実施する目的に関連付けられた新しいまたは修正されたＲＭＲを望むことを示し得る。
【０２３０】
ＷＴＲＵは、ＲＭＲの測定に基づいて、ＲＭＲの送信または再構成を要求するようにトリガされ得る。例では、ＷＴＲＵは、例えば、粗い測定のために使用され得る第１のＲＭＲで構成され得る。そのようなＷＴＲＵは、より細かい測定を実施するための第２のＲＭＲが要求され得るかどうかを決定するために、（例えば、１つまたは複数の測定閾値に基づいて）１つまたは複数のトリガを使用し得る。第１のＲＭＲまたはＲＭＲの第１のセットに対してとられた１つまたは複数の粗い測定は、ＷＴＲＵによってＴＲＰにフィードバックされることもフィードバックされないこともある。ＷＴＲＵが１つまたは複数のより粗い測定を報告する場合、そのような報告は、第２のＲＭＲまたはＲＭＲの第２のセットについての要求の暗黙的指示であり得る。
【０２３１】
ＷＴＲＵは、１つまたは複数の送信仮説の絞り込み選択に基づいて、ＲＭＲの送信または再構成を要求するようにトリガされ得る。例では、ＷＴＲＵは、第１のＲＭＲまたはＲＭＲの第１のセットに対する第１のタイプの１つまたは複数の測定を取得し得る。そのような１つまたは複数の測定に基づいて、そのようなＷＴＲＵは、例えば、第１のＲＭＲまたはＲＭＲの第１のセットがサポートし得るよりも少数の送信仮説のために、第２のタイプの１つまたは複数の測定を取得するために使用され得る第２のＲＭＲまたはＲＭＲの第２のセットを要求するようにトリガされ得る。例では、ＷＴＲＵは、第１のＲＭＲまたはＲＭＲの第１のセットに関連付けられ得るビームの第１のセットのための粗いチャネル状態情報を測定し得る。そのようなＷＴＲＵは、いくつかの例では、ビームの第１のセットよりも少数のビームを有する潜在的ビームの第２のセットに絞り込み選択するために、１つまたは複数の測定閾値とともに、そのような粗いチャネル状態情報測定を使用し得る。そのようなＷＴＲＵは、ＴＲＰが、潜在的ビームの第２のセットに関連付けられ得、および／または１つまたは複数のより細かい測定を可能にし得る、第２のＲＭＲまたはＲＭＲの第２のセットを送信することを要求し得る。
【０２３２】
ＷＴＲＵは、ＴＲＰからの指示に基づいて、ＲＭＲの送信または再構成を要求するようにトリガされ得る。ＷＴＲＵは、第２のＴＲＰの１つまたは複数の測定に対するフィードバックを報告するようにＷＴＲＵに命令し得る指示を第１のＴＲＰから受信し得る。ＷＴＲＵは、それが第２のＴＲＰからの１つまたは複数のＤＬ送信中で第１のＴＲＰから受信し得る干渉を決定し得る。そのようなＷＴＲＵは、第１のＴＲＰにＲＭＲを要求し得る。
【０２３３】
ＷＴＲＵは、ＴＲＰからの送信に基づいて、ＲＭＲの送信または再構成を要求するようにトリガされ得る。ＷＴＲＵは、全二重無線が可能であり得る。そのようなＷＴＲＵは、ＷＴＲＵがまた、第２のＴＲＰにＵＬ送信を送信するためにスケジュールされ得る、同じ、または時間的に近接した時間において、第１のＴＲＰからのＤＬ送信の受信のためにスケジュールされ得る。第２のＴＲＰへのＵＬ送信のためにスケジュールされると、そのようなＷＴＲＵは、第１のＴＲＰにＲＭＲを要求し得る。
【０２３４】
ＷＴＲＵは、ＷＴＲＵのＲＭＲ要望の変更に基づいて、ＲＭＲの送信または再構成を要求するようにトリガされ得る。そのようなＷＴＲＵは、ＷＴＲＵのステータス（例えば、速度）に基づいて、第１の１つまたは複数のＲＭＲパラメータに関連付けられた第１のＲＭＲまたはＲＭＲの第１のセットを望み得る。ＷＴＲＵのステータスが変化する（例えば、それの速度が変化する）ので、そのようなＷＴＲＵは、１つまたは複数のＲＭＲパラメータの変更、または１つまたは複数のＲＭＲの完全に新しいセットを望み得る。ＷＴＲＵは、第１のＲＭＲを使用し得る第１のタイプの接続（例えば、光接続）を使用することから、第２のＲＭＲを使用し得る第２のタイプの接続（例えば、全接続）に変更し得、したがって、そのような変更に基づいて、ＲＭＲの送信または再構成を要求し得る。
【０２３５】
ＷＴＲＵは、衝突の検出に基づいて、ＲＭＲの送信または再構成を要求するようにトリガされ得る。ＷＴＲＵは、（例えば、サイドリンク上で）リソース衝突がいつ起きたかを決定するように構成され得、１つまたは複数のネットワークおよび／または隣接デバイスに関連付けられたＲＭＲを要求するように構成され得る。
【０２３６】
ＷＴＲＵは、ＷＴＲＵ自律モビリティに基づいて、ＲＭＲの送信または再構成を要求するようにトリガされ得る。ＷＴＲＵは、好適なＴＲＰ、ＴＲＰＧ、システムシグネチャ、および／またはセル（例えば、それらのセット）を自律的に決定するように構成され得る。そのようなＷＴＲＵは、そのような好適なＴＲＰ、ＴＲＰＧ、システムシグネチャ、および／またはセルのための選択プロシージャを起動すると、ＲＭＲについての要求を起動し得る。ＲＭＲについてのそのような要求は、アクセステーブルに基づいて決定されるリソースなど、特定のリソース上でのプリアンブルの送信に対応し得る。
【０２３７】
ＷＴＲＵは、ＷＴＲＵの位置に基づいて、ＲＭＲの送信または再構成を要求するようにトリガされ得る。ＷＴＲＵは、それの位置を決定するように構成され得る。ＷＴＲＵによって決定され得るＷＴＲＵの位置は、粒度および／またはエラーマージンに関連付けられ得る。ＷＴＲＵは、そのようなＷＴＲＵが、それが現在の位置を改良し、および／または別の位置、例えば、より粒度が細かく、より固有であり得、および／またはより低いエラーマージンを有し得る、位置を取得し得ると決定し得るとき、ＲＭＲについての要求を起動し得る（例えば、起動するようにトリガされ得る）。要求されたＲＭＲは、例えば、位置が取得および／または決定され得るとＷＴＲＵが決定したとき、ＰＲＳとして使用され得る。
【０２３８】
ＷＴＲＵは、粗い位置および／または粗い位置情報を有し、取得し、および／または決定し得る。そのようなＷＴＲＵは、そのような粗い位置および／または粗い位置情報の追加の改良が実施され得るとさらに決定し得る。そのようなＷＴＲＵは、例えば、そのようなＰＲＳの周波数を増加させる目的のために、および／または（例えば、時間におけるおよび／または周波数における）１つまたは複数の異なる特性をもつＰＲＳ信号を有する目的のために、要求を起動し得る。追加の改良のためのそのような決定は、例えば、異なるＲＭＲ−ＰＲＳが異なる粒度に関連付けられ得る、測位の目的のために１つまたは複数のＲＭＲの構成に基づき得る。
【０２３９】
ＷＴＲＵは、無線リンク監視および／または無線リンク回復に基づいて、ＲＭＲの送信または再構成を要求するようにトリガされ得る。ＷＴＲＵは、それが、１つまたは複数の無線リンク問題であり、および／またはそれを経験したと決定し得る。この決定は、限定はしないが、ＲＭＲを使用する測定、およびＬＴＥシステムにおいて使用される方法（例えば、同期外れ検出）と同様であり得る方法に基づく測定など、様々な測定のいずれかに基づき得る。例では、ＷＴＲＵは、それが無線リンクおよび／またはチャネル品質推定を実施するために１つまたは複数の参照信号を使用し得ると決定し得、ここで、そのような推定は、１つまたは複数の無線リンク問題に対処するために使用され得る。そのような例では、それを決定したことに応答して、ＷＴＲＵは、１つまたは複数の無線リンク問題に対処するために無線リンクおよび／またはチャネル品質推定を実施するために１つまたは複数の参照信号を使用し得る。例えば、ＷＴＲＵは、例えば、回復目的のために、および／または無線リンク問題の確認のために、ＲＭＲについての要求を起動し得る。
【０２４０】
ＴＲＰは、例えば、任意のＲＭＲの指示について本明細書で説明される様式と同様の様式で、ＷＴＲＵ要求されたＲＭＲの存在を示し得る。ＴＲＰは、ＷＴＲＵによって要求されていることがある１つまたは複数のＲＭＲパラメータの変更が行われた肯定応答を示し得る。例えば、ＲＭＲ密度の１つまたは複数のあらかじめ決定された値があり得る。ＷＴＲＵは、ＲＭＲ密度の第１の値で構成され得る。そのようなＷＴＲＵは、第２の値へのＲＭＲ密度の変更を要求し得る。ＴＲＰは、要求された変更がＲＭＲ構成の全てを再送信することなしに行われたことを示す肯定応答を送信し得る。
【０２４１】
ＷＴＲＵは、それがＲＭＲを送信するために使用し得る１つまたは複数のリソースを要求し得る。限定はしないが、１つまたは複数のＲＭＲのＤＬ送信のためのＷＴＲＵからの要求をトリガし得る、本明細書に記載されるイベントのいずれかなどのイベントは、ＵＬ  ＲＭＲを送信するために使用され得る１つまたは複数のリソースを要求するようにそのようなＷＴＲＵをトリガし得る。ＷＴＲＵをＲＭＲのＵＬ送信を要求するようにトリガし得るイベントが、ＵＬまたはＳＬデータを送信したいという要望として検出され得る。例では、ＷＴＲＵは、データのＷＴＲＵ自律送信が可能であり得、復調を可能にするためにＲＭＲを含め得る。
【０２４２】
限定はしないが、本明細書に記載されるイベントのいずれかなどのイベントは、ＷＴＲＵを、ＲＭＲのＵＬ送信を自律的に実施するようにトリガし得る。ＷＴＲＵは、それがイベントトリガ型ＵＬ  ＲＭＲをそれの上で送信し得るリソースを事前構成し得る。そのようなリソースは、ＷＴＲＵのセットのために構成され得、および／または競合ベースであり得る。ＷＴＲＵのそのようなセット内の各ＷＴＲＵは、ＲＭＲ送信識別情報を有し得る。ＲＭＲ送信の１つまたは複数のパラメータは、例えば、競合解消を容易にするために、ＷＴＲＵ識別情報に依存し得る。
【０２４３】
ＷＴＲＵは、１つまたは複数のＲＭＲに関連付けられた１つまたは複数の測定を実施し、および／または報告するように構成され得る。測定構成は、１つまたは複数のＲＭＲの構成と並行して、および／または１つまたは複数のフィードバックリソースの構成と並行して実装され得る。例えば、ＷＴＲＵは、測定および／または１つまたは複数のフィードバックリソースで構成され得、そのようなＷＴＲＵに、１つまたは複数のＲＭＲに１つまたは複数の測定および／または１つまたは複数のフィードバックリソースを関連付けるように命令する指示をＴＲＰから受信し得る。例えば、ＷＴＲＵは、ＲＭＲの少なくとも１つのインスタンス、少なくとも１つの関連する測定（または測定目的）、および／またはフィードバックリソースの少なくとも１つのインスタンスの存在を示され（例えば、それらを示す指示メッセージを受信し）得る。例では、指示メッセージは、ＲＭＲのインスタンス、関連する測定（または測定目的）、およびフィードバックリソースのインスタンスの存在の各々の１つまたは複数を示し得る。
【０２４４】
測定構成は、半静的に構成され得るＲＭＲに関連付けられ得る。例えば、プリアンブルまたは制御チャネル内に位置するＲＭＲは、半静的に構成され得る。測定構成はまた、または代わりに、動的に制御されるＲＭＲに関連付けられ得る。
【０２４５】
測定構成は、周期フィードバック、非周期フィードバック、および／またはトリガされたフィードバックのために使用され得る。測定構成は、１つまたは複数のＲＭＲのための構成および／またはアクティブ化情報を含み得る。例えば、測定フィードバック構成は、１つまたは複数のＲＭＲ構成を含み、および／または指すことがある。
【０２４６】
測定構成は、ＲＭＲ構成のサブセットを含み得る。測定構成は、ＲＭＲのリソースのサブセットに適用され得る。例では、ＲＭＲは、複数のサブキャリアにわたるリソース上で送信され得、測定構成は、そのような複数のサブキャリアのサブセットに適用可能であり得る。ＲＭＲは、複数のシンボル、サブフレーム、および／またはＴＴＩにわたり得るリソース上で送信され得、測定構成は、複数のシンボル、サブフレーム、および／またはＴＴＩのサブセットに適用可能であり得る。
【０２４７】
測定構成は、１つまたは複数のＲＭＲを絞り込み選択するための１つまたは複数のＷＴＲＵルールを含み得る。測定構成は、ＲＭＲおよび／またはＲＭＲプロセスに結びつけられ得る。ＷＴＲＵは、ＲＭＲ構成に関連付けられたＲＭＲインスタンスまたはＲＭＲリソースのサブセットを決定し得る。そのようなＷＴＲＵは、ＲＭＲインスタンスまたはＲＭＲリソースのそのようなサブセットに対する１つまたは複数の測定を実施し得る。そのような１つまたは複数の測定は、各々、ネットワークに折り返し報告され得る最終測定であり得る。ＲＭＲインスタンスおよび／またはＲＭＲリソースを絞り込み選択するときにＷＴＲＵが従い得る１つまたは複数のルールは、あらかじめ決定され、前に構成され、並びに／または動的に構成および／もしくは決定され得る。
【０２４８】
測定構成は、ＲＭＲ測定構成を含み得る。そのようなＲＭＲ測定構成は、複数のＲＭＲおよび／またはＲＭＲの複数のリソース間の関係をＷＴＲＵに示し得る（例えば、ここで、ＲＭＲの複数のリソースが、例えば、ＲＭＲの１つのインスタンス化を用意するために使用される各個々のリソースとして定義され得、またはＲＭＲの各インスタンス化が、時間期間内に複数回送信されるように定義され得る）。
【０２４９】
ＷＴＲＵは、そのようなＷＴＲＵがそれらの各々に基づいて同じ測定タイプをとり得る、複数のＲＭＲで構成され得る。ＲＭＲ測定構成は、そのような複数のＲＭＲのすべてが同じ瞬時チャネル実現形態を表し得ることをＷＴＲＵに示し得る。例では、ＷＴＲＵは、短期チャネル測定を実施し得る。例では、ＲＭＲ測定構成は、ＷＴＲＵに、構成されたＲＭＲのセット（または１つまたは複数のＲＭＲに関連付けられたリソースのセット）が、複数のチャネル実現形態にわたり得、または複数のチャネル実現形態にわたると仮定され得ることを示し得る。そのようなＷＴＲＵは、長期チャネル測定（例えば、長期チャネル統計値タイプ測定）を実施し得る。
【０２５０】
ＷＴＲＵは、ＲＭＲプロセスで構成され得る。そのようなＲＭＲプロセスは、１つまたは複数のＲＭＲインスタンスのセットに関連付けられ得る。測定構成（例えば、動的シグナリングによって与えられる構成）は、測定を取得するために組み合わせられ（例えば、平均化され）得るそのようなＲＭＲプロセスに関連付けられたＲＭＲインスタンスのセットを示し得る。そのような測定構成は、１つまたは複数のＲＭＲ、ＲＭＲプロセス、並びに／またはＲＭＲおよび／もしくはＲＭＲプロセスに関連付けられたＲＭＲインスタンスを示し得る。そのような測定構成は、ＲＭＲ、ＲＭＲプロセス、またはＲＭＲインスタンスの少なくとも１つのための測定目的を示し得る。例えば、そのような測定構成は、複数のＲＭＲ（またはそれらの指示）を含み得、それらの各々は、異なる測定目的に関連付けられ得る（例えば、第１のＲＭＲは、信号強度を測定するためにＷＴＲＵによって使用され得る、第２のＲＭＲは、ドップラーを測定するためにＷＴＲＵによって使用され得る、第３のＲＭＲは、チャネル占有を測定するためにＷＴＲＵによって使用され得るなど）。
【０２５１】
測定構成は、１つまたは複数の測定タイプを含み得る。測定タイプは、限定はしないが、本明細書で説明される測定目的など、測定目的と同様であり得るが、同様である必要はない。測定タイプは、ＷＴＲＵに、（例えば、特定の）ＣＳＩ測定が、関連付けられたＲＭＲに対して実施され得ることを示し得る。測定タイプは、１つまたは複数のＲＭＲのとられ得る測定のセットの機能に基づいて取得され得る。例えば、ＷＴＲＵは、第１のＲＭＲ（またはＲＭＲプロセスもしくはＲＭＲインスタンス）に対する第１の測定と第２のＲＭＲ（またはＲＭＲプロセスもしくはＲＭＲインスタンス）に対する第２の測定とを取得し得る。測定構成中で示される測定タイプは、そのようなＷＴＲＵに、第３の測定を決定または生成するために、第１の測定と第２の測定とを組み合わせるためにＷＴＲＵが使用し得る機能を示し得る。そのような第３の測定は、測定構成の意図された結果であり得、および／またはトリガイベントまたは基準が満たされたかどうかを決定するために使用され得、ここで、そのようなトリガイベントまたは基準は、満たされた場合、測定報告をトリガし得る。
【０２５２】
測定構成は、１つまたは複数の測定フィードバックリソースを含み得る。そのような１つまたは複数の測定フィードバックリソースは、例えば、周期的に、非周期的に、および／またはトリガされたフィードバックを報告するためにＷＴＲＵによって使用され得る。
【０２５３】
測定構成は、測定または関連付けられたプロシージャの目的の指示を含み得る。測定構成は、１つまたは複数のＲＭＲに関連付けられた単一の目的を示し、および／またはそれに関連付けられ得る。あるいは、または追加として、測定構成は、１つまたは複数のＲＭＲに関連付けられた複数の目的を示し、および／またはそれに関連付けられ得る。例では、ＷＴＲＵは、（例えば、復調、モビリティ、無線リンク監視など）測定構成とプロシージャとの間の関連付けを決定し得る。
【０２５４】
ＷＴＲＵは、ＷＴＲＵが実施し、アクセスし、および／または、取得していることがある１つまたは複数の測定へのアクセスを記憶および／または場合によっては維持しないことがある。測定構成は、１つまたは複数の測定トリガを含み得、それらの各々は、関連付けられたＷＴＲＵを、１つまたは複数の測定を実施するようにトリガし得る。
【０２５５】
第１の測定構成において構成される測定トリガが、第２の測定構成に基づいて実施され得る１つまたは複数の測定の１つまたは複数の結果に関連付けられ得る。そのような第２の測定構成は、限定はしないが、第２の測定構成に関連付けられ得る第２のＲＭＲ上の長期チャネル統計値の集合など、１つまたは複数の測定を実施するようにＷＴＲＵを構成し得る。そのような１つまたは複数のそのような測定および関連付けられたトリガに基づいて、ＷＴＲＵは、第１の測定構成において構成され得る１つまたは複数の測定を実施するようにトリガされ得る。さらに、または代わりに、ＷＴＲＵは、第１の測定構成において与えられ得るトリガによってトリガされ得る、
測定構成は、ＷＴＲＵに、独立ＲＭＲ、ＲＭＲプロセス、および／またはＲＭＲインスタンスであり得る１つまたは複数の測定のリストを示し得る。あるいは、そのようなリストは、独立ＲＭＲ、ＲＭＲプロセス、および／またはＲＭＲインスタンスでないことがある１つまたは複数の測定のものであり得る。測定構成は、後続の測定が取得されるべきであるかどうかの決定を起動するために使用され得る１つまたは複数の測定トリガを示し得る。例では、ＷＴＲＵは、第１のＲＭＲに対する第１の測定および第２のＲＭＲに対する第２の測定で構成され得る。そのようなＷＴＲＵはまた、例えば、閾値を達成することに基づくトリガなど、そのような第１の測定に基づき得る測定トリガで構成され得る。そのような第１の測定が、そのような測定トリガのトリガ条件を満たすか、または場合によってはそのような測定トリガをアクティブ化する（例えば、ここで、そのような第１の測定が、閾値を満たすかまたは超える）と、ＷＴＲＵは、第３の測定を実施および／または計算し得る。そのような第３の測定は、第３のＲＭＲ並びに／または第１および／もしくは第２の測定の機能のものであり得る。
【０２５６】
例では、ＷＴＲＵは、測定をトリガし得るダウンリンク制御情報（例えば、ＤＣＩ）を受信し得る。そのようなＤＣＩは、ＲＭＲ構成および／または適用可能なＲＭＲ構成の識別情報を含み得る。そのようなＤＣＩはまた、または代わりに、トリガされた測定に関連付けられ得る報告のためのスケジューリング情報を含み得る。
【０２５７】
測定構成は、１つまたは複数の報告トリガを含み得る。ＷＴＲＵは、測定構成によって構成された全ての測定を報告するとは限らないことがある。そのような測定構成は、測定を報告するようにＷＴＲＵをトリガするために使用され得る１つまたは複数の基準を与え得る。例では、ＷＴＲＵは、測定報告をトリガし得るダウンリンク制御情報（例えば、ＤＣＩ）を受信し得る。そのようなＤＣＩは、適用可能なＲＭＲ構成の識別情報を含み得る。そのようなＤＣＩはまた、または代わりに、トリガされた測定に関連付けられ得る報告に関連付けられ得るスケジューリング情報を含み得る。
【０２５８】
測定構成は、１つまたは複数の関連付けられたＴＲＰ、ＴＲＰＧ、システムシグネチャ、セル、およびデバイス識別情報の指示を含み得る。そのような測定構成は、そのような測定が適用され得る、ＴＲＰもしくはＴＲＰのセットおよび／またはＷＴＲＵまたはＷＴＲＵデバイスのセットを与え得る。
【０２５９】
測定構成は、ランダムアクセス構成を含み得る。ＷＴＲＵは、１つまたは複数のＲＭＲ、および／またはそれに関連付けられた情報で構成され得る。そのようなＲＭＲの各々は、セル、ＴＲＰ、ＴＲＰＧ、および／またはシステムシグネチャ選択のうちの１つまたは複数を支援するか、またはそれを容易にし得る。
【０２６０】
ＷＴＲＵは、アクセス権利、ランダムアクセスパラメータなど、１つまたは複数のアクセス関係パラメータで構成され得、それらのいずれかも、ＷＴＲＵにおいて、構成された１つまたは複数のＲＭＲに関連付けられ、または構成された情報に関連付けられ得る。そのようなＷＴＲＵは、そのような１つまたは複数のＲＭＲ構成または情報を使用して１つまたは複数の測定を実施し得る。そのようなＷＴＲＵは、そのような測定のうちの１つまたは複数が好適なまたは場合によっては準拠する結果を生じたかどうかを決定し得る。
【０２６１】
そのようなＷＴＲＵは、ＲＭＲに関連付けられた構成が、関連付けられたセル、ＴＲＰ、ＴＲＰＧ、および／またはシステムシグネチャに対応し得るかどうかを決定するために、そのようなＲＭＲに関連付けられたアクセス関係パラメータを比較または場合によっては使用し得る。そのようなセル、ＴＲＰ、ＴＲＰＧ、および／またはシステムシグネチャが、そのようなＲＭＲに対応すると決定された場合、ＷＴＲＵは、そのようなパラメータを使用してそのようなＲＭＲのアクセスを起動し、いくつかの例では、それのランダムアクセスを実施し得る。そのようなＷＴＲＵは、そのようなＲＭＲのいずれかに関連付けられた構成が、セル、ＴＲＰ、ＴＲＰＧ、および／またはシステムシグネチャに対応するかどうかを決定するために、並びに、関連付けられたパラメータを使用して任意のそのようなＲＭＲのアクセス（例えば、ランダムアクセス）を起動すべきかどうかを決定するために、アクセス関係パラメータのそのような比較および／または使用を実施し得る。
【０２６２】
ＷＴＲＵ自律モビリティ例では、ＷＴＲＵは、そのようなＷＴＲＵが、ＲＭＲに関連付けられたセル、ＴＲＰ、ＴＲＰＧ、および／またはシステムシグネチャを、それぞれサービングセル、サービングＴＲＰ、サービングＴＲＰＧ、および／またはサービングシステムシグネチャ（「サービングセット」）として見なすかどうかを決定するために、そのようなＲＭＲを使用し得る。そのようなＷＴＲＵは、異なるＲＭＲが、サービングセル、サービングＴＲＰ、サービングＴＲＰＧ、および／またはサービングシステムシグネチャに関連付けられるべきであると決定し得る。
【０２６３】
ＲＭＲがサービングセットに追加され得る場合、ＷＴＲＵは、そのような追加されたＲＭＲに関連付けられたセル、ＴＲＰ、ＴＲＰＧ、および／またはシステムシグネチャが、そのようなサービングセットに前に関連付けられたセル、ＴＲＰ、ＴＲＰＧ、および／またはシステムシグネチャと同じエリアの一部であり得るかどうかを決定し得る。そうでない場合、そのようなＷＴＲＵは、限定はしないが、例では、ＲＡＮベースであり得るロケーション更新など、１つまたは複数の機能を実施するためにそのような追加されたＲＭＲに関連付けられたアクセスパラメータを使用し得る。
【０２６４】
ＷＴＲＵは、上位レイヤシグナリングを介した測定構成で構成され得る。ＷＴＲＵは、ＤＬ送信モードで構成され得る。そのような送信モードは、ＴＴＩ持続時間、信号構造、およびＲＭＲのうちの１つまたは複数を含み得る。測定構成は、送信モード構成と並行して適用され得る。そのような測定構成は、ＲＭＲの目的（例えば、復調）の指示を与え得る。
【０２６５】
測定構成は、動的に制御され得る。動的測定構成は、ＲＭＲを構成し得るＤＣＩ（または他の制御チャネル）によって実施または場合によっては実装され得る。ＤＣＩは、測定構成を与えるために制御領域中で送信され得る。例では、ＲＭＲ構成のために使用され得る専用ＤＣＩが測定構成のために使用され得る。例では、第１の（例えば、長期または広帯域）ＤＣＩは、１つまたは複数のＲＭＲを構成し得、第２の（例えば、短期またはサブバンド）ＤＣＩは、１つまたは複数の測定構成を与え得る。そのような１つまたは複数のＲＭＲは、そのような第１のＤＣＩによってカバーされ得るリソースにわたって存在し得、そのような１つまたは複数の測定構成は、そのような第２のＤＣＩによってカバーされるリソース（例えば、サブフレームまたはシンボル、サブキャリア、またはサブバンド）に適用され得る。
【０２６６】
動的測定構成は、ＤＬ送信をスケジュールし得るＤＣＩ（または他の制御チャネル）によって実施または場合によっては実装され得る。ＤＬ送信をスケジュールするＤＣＩは、関連付けられた測定構成を含み得る。そのような測定構成は、関連付けられたＤＬ送信の復調のために使用され得るＲＭＲをマッピングするために使用され得る。
【０２６７】
動的測定構成は、ＭＡＣ制御要素（「ＭＡＣ  ＣＥ」）によって実施または場合によっては実装され得る。ＷＴＲＵは、１つまたは複数の測定構成を含み得るＭＡＣ  ＣＥを受信し得る。そのようなＭＡＣ  ＣＥは、ＲＡＲ中に含まれ得る。そのようなＭＡＣ  ＣＥは、ダウンリンク送信上で受信され得る。ＷＴＲＵは、そのような受信されたＭＡＣ  ＣＥとともに含まれるそのような１つまたは複数の測定構成が、そのようなＭＡＣ  ＣＥを含んだダウンリンク送信に関連付けられた物理チャネル、トランスポートチャネル、および／または制御チャネルに関連付けられ得るＳＯＭに適用可能であり得ると決定し得る。
【０２６８】
ＷＴＲＵは、ＴＲＰによって構成され得るリソース中で測定を報告し得る。フィードバックリソースの構成は、測定構成内で実施され得る。ＷＴＲＵは、それ自体の測定に基づいて、並びに、またはそれの代わりに、限定はしないが、本明細書に記載され得、ＷＴＲＵがそれのために測定を実施し得る、任意の１つまたは複数の目的など、１つまたは複数の目的に対処し得る測定を報告することに基づいて、情報を報告し得る。
【０２６９】
ＷＴＲＵは、実施された測定に基づき得る値を報告し得る。そのような実施された測定に関連付けられた目的は、１つまたは複数の様々なフィードバック報告を与え得、それらの各々は、実施された測定に依存し得る。例では、ＷＴＲＵは、とられた測定の量子化されたバージョンを報告し得る。例では、ＷＴＲＵは、１つまたは複数の取得された測定に関連付けられた１つまたは複数の測定閾値に基づいてフィードバック報告を与え得る。
【０２７０】
ＷＴＲＵは、とられた測定に応じて、チャネル利用の異なるレベルおよび／またはタイプを報告し得る。そのようなＷＴＲＵは、それが干渉および干渉タイプを検出することを試み得るＲＭＲ（例えば、ブランキングされたＲＭＲ）で構成され得る。そのようなＷＴＲＵは、構成されたＲＭＲ上で遭遇されていることがあるチャネル利用のタイプをフィードバックし得る。あるいは、または追加として、そのようなＷＴＲＵは、構成されたＲＭＲ上で遭遇されていることがあるチャネル構造のタイプをフィードバックし得る。
【０２７１】
ＷＴＲＵによって報告された値は、１つまたは複数のサブＲＭＲ測定に基づき得る。ＷＴＲＵは、それが１つまたは複数の測定を実施し得る、ＲＭＲまたはＲＭＲプロセスで構成され得る。そのようなＷＴＲＵは、構成されたＲＭＲまたはＲＭＲプロセスの１つまたは複数のサブセットを決定するように構成され得るか、またはそれを自律的に決定し得、そのような１つまたは複数のサブセットに対する１つまたは複数の個々の測定を実施し得る。そのようなＷＴＲＵは、構成されたＲＭＲまたはＲＭＲプロセスの全てのリソースのための全体的測定（例えば、平均測定）を報告し得る。あるいは、または追加として、そのようなＷＴＲＵは、１つまたは複数の個々のサブＲＭＲまたはサブＲＭＲプロセス測定を報告し得る。例では、ＷＴＲＵは、干渉を測定すべきＲＭＲプロセスで構成され得る。そのようなＷＴＲＵは、干渉が、ＲＭＲプロセスのリソースにわたって均一でないと決定し得る。そのようなＷＴＲＵは、複数の干渉値をフィードバックし得る。そのような干渉値は、それぞれの関連付けられたＲＭＲリソースの指示とともにフィードバックされ得る。（例えば、ＵＲＬＬＣ送信による）予期されない干渉変化をもつチャネルへのより速い適応が、そのような例では容易にされ得る。
【０２７２】
ＷＴＲＵは、複数のリソースにわたり得るＲＭＲで構成され得、ここで、各そのようなリソースは、異なるアンテナポートに結びつけられ得る。そのようなＷＴＲＵは、測定がそれについて有効であり得るリソースのサブセットを決定し得る。そのようなＷＴＲＵはまた、または代わりに、測定がそれについて有効であり得るＲＭＲおよび／またはＲＭＲプロセスのリソースのサブセットをネットワークに報告し得る。例では、そのようなＷＴＲＵは、そのような報告とともに１つまたは複数のサブＲＭＲリソース識別子を使用し得る。
【０２７３】
ＷＴＲＵは、１つまたは複数の新しいおよび／または更新されたＲＭＲについての１つまたは複数の要求を報告し得る。
【０２７４】
ＷＴＲＵは、測定が有効であり得るＲＭＲおよび／またはＲＭＲサブリソースの１つまたは複数のセットを報告し得る。ＷＴＲＵは、そのような測定が、単一のチャネル実現形態のために仮定され得るのか、複数のチャネル実現形態の機能のために仮定され得るのかを示し得る。
【０２７５】
ＷＴＲＵは、１つまたは複数のＲＭＲのセットの各ＲＭＲの（１つまたは複数の）指示を与え得、それに基づいて、そのようなＷＴＲＵは、報告されるべきである測定を決定および／または取得し得る機能を実施するためにＷＴＲＵが使用し得る１つまたは測定を実施していることがある。ＷＴＲＵは、第１の測定がそれについて実施され得る第１のＲＭＲ、および第２の測定がそれについて実施され得る第２のＲＭＲで構成され得る。そのようなＷＴＲＵは、第３の測定および／または結果を取得するためにそのような第１の測定および第２の測定を使用し得る機能を実施するように構成され得る。
【０２７６】
ＷＴＲＵは、測定がそれについて有効であり得るリソースの１つまたは複数のセット（例えば、シンボル、サブフレーム、サブフレームセット、ＴＴＩ、フレーム、時間の構成可能な単位、サブキャリア、サブバンド、構成可能な周波数ブロックなど）を報告し得る。そのようなＷＴＲＵは、広帯域および／またはサブバンド測定を報告し得る。そのようなＷＴＲＵはまた、または代わりに、長期および／または短期測定を報告し得る。そのようなＷＴＲＵによって報告され得る測定タイプ（例えば、ＲＩ、ＣＱＩ、ＰＭＩなど）は、１つまたは複数の長期測定および１つまたは複数の短期測定の各々について同様におよび／または別々に定義され得る。１つまたは複数の長期測定は、チャネルの統計的性能を示し得る。ＷＴＲＵは、他のＴＲＰおよび／またはＷＴＲＵによるそのようなチャネルの平均使用を報告し得る。１つまたは複数の短期測定は、１つまたは複数の瞬時チャネル特性を示し得る。ＷＴＲＵは、チャネルが現在使用中であり得るかどうかを報告し得る。
【０２７７】
ＷＴＲＵは、測定がトリガされていることがある理由を報告し得る。そのような報告は、トリガが測定の関数でないことがあるときを示し得る。例では、第１の測定は、フィードバック報告の送信をトリガする第２の測定により報告され得る。
【０２７８】
ＷＴＲＵは、ＲＭＲ  ＩＤおよび／または関連付けられたＴＲＰ、ＴＲＰＧ、システムシグネチャ、セル、および／またはＷＴＲＵ  ＩＤを報告し得る。
【０２７９】
フィードバックリソースは、測定構成中に含まれ得る。フィードバックリソースは、測定リソースとは無関係に送信され得る。例では、ＷＴＲＵは、ＲＭＲのアクティブ化を示し得るＲＭＲ構成を受信し得る。そのようなＷＴＲＵは、受信されたＲＭＲ構成に関連付けられたＲＭＲに対して実施されるべき測定のアクティブ化を示し得る測定構成を受信し得る。そのようなＷＴＲＵは、いくつかの例ではそのような測定構成を受信した後に、測定がそれの上でフィードバックされ得る１つまたは複数のリソースを示し得るフィードバックリソース構成を受信し得る。
【０２８０】
フィードバックリソースおよび／またはそれの指示が、測定構成中に含まれ、および／または測定リソースとは無関係に与えられ得るが、フィードバックリソースはまた、または代わりに、ＤＣＩによって構成され得る。例えば、ＤＣＩは、ＷＴＲＵに１つまたは複数のフィードバックリソースを示すものとして定義され得る。そのようなＤＣＩは、ＷＴＲＵに１つまたは複数のフィードバックリソースを示すことに専用であることも専用でないこともある。２部手法が使用され得、ここで、第１の（例えば、長期または広帯域）ＤＣＩが、１つまたは複数のフィードバックパラメータを与えるために使用され得、第２の（例えば、短期またはサブバンド）ＤＣＩが、１つまたは複数の他のフィードバックパラメータを与えるために使用され得る。そのような第２のＤＣＩは、チャネルリソースのサブセット（例えば、総帯域幅のサブセットまたはシンボルのサブセット）上の１つまたは複数のフィードバックリソースを動的にアクティブ化または非アクティブ化するために使用され得る。
【０２８１】
フィードバックリソースはまた、または代わりに、ＵＬリソースを付与するために使用され得るＤＣＩによって構成され、および／またはそれとともに含まれ得る。そのようなＵＬリソースは、ＵＬデータ送信のために使用され得る。そのようなＵＬリソースは、アップリンク制御情報（ＵＣＩ）の送信のために使用され得る。
【０２８２】
フィードバックリソースはまた、または代わりに、独立型サブフレーム送信のためのＤＣＩによって構成され、および／またはそれに含まれ得る。そのようなＤＣＩは、独立型サブフレームのＤＬ制御領域中で送信され得る。そのようなＤＣＩは、１つまたは複数の目的をサービスし得る。例では、そのようなＤＣＩは、ＤＬリソースおよび／またはＵＬフィードバックリソースを割り当て得る。そのようなＤＣＩは、測定をフィードバックするために使用され得るリソースを与え得るフィードバック構成を含み得る。
【０２８３】
ＤＣＩは、チャネルリソースのサブセット（例えば、総帯域幅のサブセット、シンボルのサブセット）上の１つまたは複数のフィードバックリソースを動的にアクティブ化または非アクティブ化するために使用され得る。ＤＣＩは、限定はしないが、本明細書で説明される任意の目的を含む、１つまたは複数の目的に関連付けられ得る構成へのインデックスを示し得る。
【０２８４】
ＷＴＲＵは、依存参照測定リソース、測定構成、および／またはフィードバックリソース構成のセットに基づいて、測定（例えば、ＣＳＩ報告）を報告するように構成され得る。ＷＴＲＵはまた、または代わりに、１つまたは複数の参照測定リソース、測定構成、および／またはフィードバックリソース構成の指示で構成され、および／またはそれを含み得、それらの各々は無関係であり得る。そのような構成は、例えば、上位レイヤシグナリングを介した、半静的様式で実装され得る。ＷＴＲＵは、参照測定リソースのセット、測定構成のセット、および／またはフィードバックリソースのセットを有し得る。そのようなＷＴＲＵは、例えば、各そのようなセットからの１つの要素（例えば、１つの参照測定リソース、１つの測定構成、および１つのフィードバックリソース）を、測定報告プロセスおよび／または測定報告に動的に関連付けるように構成され得る。
【０２８５】
ＷＴＲＵは、各々、異なる、および、いくつかの例では、独立リソース要素にわたり得る少なくとも２つのＲＭＲで構成され得る（例示目的のために、ＲＭＲ  ＡおよびＲＭＲ  Ｂが、そのような少なくとも２つのＲＭＲのうちの２つの例として本明細書で言及され得る）。そのようなＷＴＲＵは、例えば、２つの測定構成（例えば、測定報告トリガの第１のセットに結びつけられる長期ＣＳＩ報告のための第１の測定構成「１」、並びに測定報告トリガの第２のセットに結びつけられる短期ＣＳＩ報告のための第２の測定構成「２」）で構成され得る。そのようなＷＴＲＵは、例えば、少なくとも３つのフィードバックリソースで構成され得る（例示目的のために、Ｘ、Ｙ、Ｚが、そのような少なくとも３つのフィードバックリソースのうちの３つの例として本明細書で言及され得る）。各そのようなフィードバックリソースは、別のそのようなフィードバックリソース中で示される報告オケージョンおよび／または時間／周波数／コード／ビームリソースとは異なり得る報告オケージョンおよび／または時間／周波数／コード／ビームリソースを含むかまたは示し得る。
【０２８６】
そのようなＷＴＲＵは、動的におよび／または上位レイヤ信号を介して、１つまたは複数のリソース要素、測定構成、および／またはフィードバックリソースを組み合わせるように示されるかまたは命令され得る。そのような組合せは、測定報告プロセスと呼ばれることがある。例では、ＷＴＲＵは、ＲＭＲ  Ａと、測定構成２と、フィードバックリソースＹとを組み合わせて測定報告プロセスにするように構成され得る。そのような測定報告プロセスの有効性は、ＲＭＲ送信、測定発生、および／またはフィードバック送信の単一の発生に適用可能であり得る。あるいは、そのような測定報告プロセスの有効性は、（例えば、半永続的様式で）ＲＭＲ送信、測定発生、および／またはフィードバック送信の各々の複数の発生に適用可能であり得る。
【０２８７】
測定報告プロセスの構成または指示は、そのような測定報告プロセスがワンショット（例えば、ワンタイム測定リソース、測定構成、および／もしくはフィードバック報告またはそれらの任意の組合せ）であるのか、マルチショット（例えば、複数の測定リソース、測定構成、および／もしくはフィードバック報告またはそれらの組合せのセット）であるのか、または周期的（例えば、それらの各々が、さらなる再構成まで有効であり、および／または使用され得る、複数の周期測定リソース、測定構成、および／もしくはフィードバック報告またはそれらの組合せ）であるのかを示し得る。そのような測定報告プロセスの構成または指示はまた、または代わりに、マルチショットまたは周期プロセスのアクティブ化または非アクティブ化を示し得る。
【０２８８】
ＷＴＲＵは、１つまたは複数のＲＭＲに対する１つまたは複数の測定を実施するように構成され得る。そのようなＷＴＲＵは、そのような１つまたは複数の測定がフィードバックされ得るかどうかを決定するためにＷＴＲＵが使用し得る１つまたは複数のトリガで構成され得る。測定フィードバックトリガは、関連付けられた測定に基づき得る。例では、測定フィードバックトリガは、関連付けられた測定値がオフセットおよび／または閾値を満たし得るのか超え得るのかに基づき得る。例では、測定フィードバックトリガは、いくつかの例では、オフセットに加えて、関連付けられた測定値が、別の測定値（例えば、別のＲＭＲから取得され得る測定値）を満たすのか、またはそれより上位であるのか下位であるのかに基づき得る。
【０２８９】
トリガ基準は、ＲＭＲまたはＲＭＲのセットごとに評価され得る。例では、トリガ基準は、所与のＴＲＰ、ＴＲＰＧ、システムシグネチャ、セル、および／またはＷＴＲＵとともにアクティブ化され、および／またはそれに関連付けられた一部または全部のＲＭＲについて評価され得る。ＷＴＲＵは、第１のＲＭＲのための測定されたオフセットが、例では、オフセット値だけ、第２のＲＭＲの測定されたオフセットよりも「より良く」なるか、またはそれと比較して有利になり得るとき、フィードバックの送信を起動し得る。そのような第１のＲＭＲおよび第２のＲＭＲは、同じＴＲＰおよび／またはセルに関連付けられ得る。
【０２９０】
そのような１つまたは複数の測定、トリガ、および／または評価は、例えば、リンク適応の目的のために、使用され得る。ＷＴＲＵは、第１のＲＭＲが、閾値を満たすかまたはそれを超え得る測定されたオフセットを有し得るとき、および／または、第１のＲＭＲの測定されたオフセットが、第２のＲＭＲのための測定されたオフセットよりも「良い」かまたは場合によってはそれと比較して有利になるとき、フィードバックの送信を起動し得る。そのような第１のＲＭＲは、第１のＴＲＰまたはＴＲＰのセット（例えば、第１のシステムシグネチャ）に関連付けられ得る。そのような第２のＲＭＲは、サービングＴＲＰまたはサービングＴＲＰのセット（例えば、第２のシステムシグネチャ）に関連付けられ得る。そのようなフィードバックは、ネットワーク制御されたモビリティの目的のために使用され得る。
【０２９１】
そのような１つまたは複数の測定、トリガ、および／または評価は、例えば、ＴＢが成功裡に復号されていることがあるかどうかを決定するために使用され得る。ＴＢが適切に復号されていないことがある、および／またはＮＡＣＫが必要とされていることがあると（例えば、そのような１つまたは複数の測定、トリガ、および／または評価を使用して）ＷＴＲＵが決定した場合、ＷＴＲＵは、ＲＭＲに対する１つまたは複数の測定を実施するように構成され得、そのような１つまたは複数の測定をフィードバックし得る。例では、そのようなフィードバックは、例えば、ＴＢの再送信のために、ＴＲＰがリンク適応を実施するのを容易にし得る。
【０２９２】
ＲＭＲは、ＴＢの送信のために使用されていることがある１つまたは複数のリソースを再利用し得る。ＷＴＲＵは、１つまたは複数の測定を実施するために１つまたは複数のデータＲＥを使用し得る。そのようなＷＴＲＵは、例えば、１つまたは複数の測定の有効性を保証するために、ＴＢが適切に復号されていることがあるとＷＴＲＵが決定した場合、そのような１つまたは複数の測定をフィードバックするようにトリガされ得る。
【０２９３】
ＷＴＲＵは、アップリンクフィードバックの送信の代わりに、またはそれに加えてモビリティ関係プロシージャを起動し得る。モビリティ関係プロシージャのそのような起動は、本明細書に記載のように、１つまたは複数の測定、トリガ、および／または評価に基づき得る。
【０２９４】
特徴および要素が特定の組合せで上述されたが、各特徴または要素は、単独で、または他の特徴および要素との任意の組合せで使用され得ることを当業者は諒解されよう。また、本明細書で説明される方法は、コンピュータまたはプロセッサが実行するためにコンピュータ可読媒体に組み込まれたコンピュータプログラム、ソフトウェアまたはファームウェアにおいて実装され得る。コンピュータ可読媒体の例は、（有線または無線接続を介して送信される）電子信号、およびコンピュータ可読記憶媒体を含む。コンピュータ可読記憶媒体の例は、限定はしないが、ＲＯＭ、ＲＡＭ、レジスタ、キャッシュメモリ、半導体メモリデバイス、内蔵ハードディスクおよびリムーバブルディスクなどの磁気媒体、磁気光学的メディア、並びにＣＤ−ＲＯＭディスクおよびデジタル多用途ディスク（ＤＶＤ）などの光媒体を含む。ソフトウェアに関連するプロセッサは、ＷＴＲＵ、ＵＥ、端末、基地局、ＲＮＣ、または任意のホストコンピュータにおいて使用するための無線周波数トランシーバを実装するために使用され得る。
【図１Ａ】
2020202599.tif 000003
【図１Ｂ】
2020202599.tif 000004
【図１Ｃ】
2020202599.tif 000005
【図１Ｄ】
2020202599.tif 000006
【図１Ｅ】
2020202599.tif 000007
【図２】
2020202599.tif 000008
【図３】
2020202599.tif 000009
【図４】
2020202599.tif 000010
【図５】
2020202599.tif 000011
【図６】
2020202599.tif 000012
【図７】
2020202599.tif 000013
【手続補正書】
【提出日】令和2年10月28日(2020.10.28)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）であって、
リソース構成情報を受信し、前記リソース構成情報は、参照信号測定を実行するために前記ＷＴＲＵによって使用される同一の参照信号タイプの参照信号に関する情報を含み、
第１の測定構成情報を受信し、前記第１の測定構成情報は、第１の測定が、前記リソース構成情報によって示される前記参照信号の第１のサブセットを使用して前記ＷＴＲＵによって実行されること、および前記第１の測定が、チャネル状態情報（ＣＳＩ）を決定するために使用されることを示し、
第２の測定構成情報を受信し、前記第２の測定構成情報は、第２の測定が、前記リソース構成情報によって示される前記参照信号の第２のサブセットを使用して前記ＷＴＲＵによって実行されること、および前記第２の測定が、参照信号受信電力（ＲＳＲＰ）を決定するために使用されることを示し、
前記第１の測定および前記第２の測定を実行し、
前記第１の測定に基づいて決定された前記ＣＳＩおよび前記第２の測定に基づいて決定された前記ＲＳＲＰをネットワークエンティティに報告する
ように構成されたプロセッサ
を備えたＷＴＲＵ。
【請求項２】
前記リソース構成情報によって示される前記参照信号は、非ゼロ電力参照信号である、請求項１のＷＴＲＵ。
【請求項３】
前記プロセッサは、第３の測定構成情報を受信するようにさらに構成され、前記第３の測定構成情報は、第３の測定が、前記リソース構成情報によって示される前記参照信号の第３のサブセットを使用して前記ＷＴＲＵによって実行されること、および前記第３の測定が、無線リンク障害を監視するために使用されることを示す、請求項１のＷＴＲＵ。
【請求項４】
前記第１の測定構成情報は、前記第１の測定が、チャネル品質表示、ランク表示、またはプリコーダ行列表示のうちの１つまたは複数を決定するために使用されることを示す、請求項１のＷＴＲＵ。
【請求項５】
前記プロセッサは、前記第１の測定に基づいて決定された前記ＣＳＩおよび前記第２の測定に基づいて決定された前記ＲＳＲＰをそれぞれ第１のフィードバック報告および第２のフィードバック報告において報告するように構成される、請求項１のＷＴＲＵ。
【請求項６】
前記プロセッサは、前記第１のフィードバック報告または前記第２のフィードバック報告を前記ネットワークエンティティに周期的または非周期的に送信するようにさらに構成される、請求項５のＷＴＲＵ。
【請求項７】
前記プロセッサは、前記リソース構成情報によって示される前記参照信号の１つまたは複数がアクティブ化または非アクティブ化されるかを決定し、および前記決定に基づいて前記第１の測定または前記第２の測定の少なくとも１つを実行するようにさらに構成される、請求項１のＷＴＲＵ。
【請求項８】
前記参照信号の１つまたは複数がアクティブ化または非アクティブ化されるかの前記決定は、ダウンリンク制御情報（ＤＣＩ）に基づく、請求項７のＷＴＲＵ。
【請求項９】
前記参照信号の１つまたは複数がアクティブ化または非アクティブ化されるかの前記決定は、媒体アクセス制御（ＭＡＣ）制御要素（ＣＥ）に基づく、請求項７のＷＴＲＵ。
【請求項１０】
無線送受信ユニット（ＷＴＲＵ）によって実行される方法であって、前記方法は、
リソース構成情報を受信することであって、前記リソース構成情報は、参照信号測定を実行するために前記ＷＴＲＵによって使用される同一の参照信号タイプの参照信号に関する情報を含む、ことと、
第１の測定構成情報を受信することであって、前記第１の測定構成情報は、第１の測定が、前記リソース構成情報によって示される前記参照信号の第１のサブセットを使用して前記ＷＴＲＵによって実行されること、および前記第１の測定が、チャネル状態情報（ＣＳＩ）を決定するために使用されることを示す、ことと、
第２の測定構成情報を受信することであって、前記第２の測定構成情報は、第２の測定が、前記リソース構成情報によって示される前記参照信号の第２のサブセットを使用して前記ＷＴＲＵによって実行されること、および前記第２の測定が、参照信号受信電力（ＲＳＲＰ）を決定するために使用されることを示す、ことと、
前記第１の測定および前記第２の測定を実行することと、
前記第１の測定に基づいて決定された前記ＣＳＩおよび前記第２の測定に基づいて決定された前記ＲＳＲＰをネットワークエンティティに報告することと
を備える方法。
【請求項１１】
前記リソース構成情報によって示される前記参照信号は、非ゼロ電力参照信号である、請求項１０の方法。
【請求項１２】
第３の測定構成情報を受信することであって、前記第３の測定構成情報は、第３の測定が、前記リソース構成情報によって示される前記参照信号の第３のサブセットを使用して前記ＷＴＲＵによって実行されること、および前記第３の測定が、無線リンク障害を監視するために使用されることを示す、ことをさらに備える、請求項１０の方法。
【請求項１３】
前記第１の測定構成情報は、前記第１の測定が、チャネル品質表示、ランク表示、またはプリコーダ行列表示のうちの１つまたは複数を決定するために使用されることを示す、請求項１０の方法。
【請求項１４】
前記第１の測定に基づいて決定された前記ＣＳＩおよび前記第２の測定に基づいて決定された前記ＲＳＲＰは、それぞれ第１のフィードバック報告および第２のフィードバック報告において報告される、請求項１０の方法。
【請求項１５】
前記リソース構成情報によって示される前記参照信号の１つまたは複数がアクティブ化または非アクティブ化されるかを決定すること、および前記決定に基づいて前記第１の測定または前記第２の測定の少なくとも１つを実行することをさらに備える、請求項１０の方法。